(57)【要約】【課題】クッション性を有するも蒸れ難くて快適な保持を可能とし、衛生面の特性を向上させること。【解決手段】乳幼児Ｂを抱っこまたはおんぶにより乳幼児Ｂの身体にあてがい乳幼児Ｂを保持する保持部を有するベビーキャリア１において、乳幼児Ｂを保持する保持部は、外装生地１５０及び外装生地１５０に包まれた緩衝材で構成され、緩衝材は合成樹脂からなる連続線条体１０１が不規則に蛇行して絡み合い、しかも、蛇行した状態で随所に融着し、連続線条体１０１間の空間が連通して通気性のある立体網状構造体１００からなる。【選択図】図１
2018089281.tif 000002
【特許請求の範囲】
【請求項１】
乳幼児を抱っこまたはおんぶにより前記乳幼児の身体にあてがい前記乳幼児を保持する保持部を有するベビーキャリアにおいて、
前記乳幼児を保持する前記保持部は、外装生地及び前記外装生地に包まれた緩衝材で構成され、前記緩衝材は合成樹脂からなる連続線条体が不規則に蛇行して絡み合い、しかも、前記蛇行した状態で随所に融着し、前記連続線条体間の空間が連通して通気性のある立体網状構造体からなることを特徴とするベビーキャリア。
【請求項２】
前記乳幼児の身体にあてがい前記乳幼児を保持する前記保持部は、前記乳幼児を保持する使用者側とは反対側で前記乳幼児の身体にあてがう部位が、表生地及び前記表生地に対向する裏生地からなる前記外装生地に包まれた前記立体網状構造体からなることを特徴とする請求項１に記載のベビーキャリア。
【請求項３】
前記乳幼児の身体にあてがい前記乳幼児を保持する前記保持部は、前記乳幼児を保持する使用者側で前記乳幼児の身体にあてがう部位が、表生地及び前記表生地に対向する前記裏生地からなる外装生地に包まれた前記立体網状構造体からなることを特徴とする請求項１または請求項２に記載のベビーキャリア。
【請求項４】
前記立体網状構造体からなる緩衝材が入れられた外装生地は、その一部または全部が空気の出入りを許容するメッシュ状繊維で形成されていることを特徴とする請求項１乃至請求項３の何れか１つに記載のベビーキャリア。
【発明の詳細な説明】
【技術分野】
【０００１】
本発明は、乳幼児を抱っこしたりおんぶしたりするときに、それを補助して運搬するベビーキャリア（子守帯）に関するもので、特に、保持時の快適さ及び衛生面の特性を向上させたベビーキャリアに関するものである。
【背景技術】
【０００２】
乳幼児を抱いたりおんぶしたりする際にベビーキャリアを使用して乳幼児を保持する場合、乳幼児の身体の一部にベビーキャリアの一部があてがわれることになるが、乳幼児は新陳代謝が活発で体温調節機能が未熟なために体温が高く、また、長時間同じ保持姿勢が維持されることから、ベビーキャリアの使用中に乳幼児及び乳幼児が密着する使用者は体温が上昇して汗をかきやすく、蒸れ等の湿気も生じやすい。
特に、使用者の身体の胸腹部側で乳幼児を縦向きに保持する抱っこや、使用者の背中側で乳幼児を縦向きで保持するおんぶでは、使用者に乳幼児が密着される保持形態であることから、使用者及び乳幼児の相互の熱の伝わりにより暑さや蒸れが生じやすく使用者や乳幼児が不快感を受けたり、長時間の使用によっては蒸れて痒くなり汗疹やおむつかぶれを発症したりする。また、乳幼児の後頭部を覆って支える、所謂、ヘッドフードを採用した際には、ヘッドフード使用時に乳幼児の身体の全体が包み込まれることになるため、より一段と乳幼児が汗をかきやすい状態となる。殊更、肌が敏感で体勢が不安定な低月齢の乳幼児にとっては、身体のグラつきを少なくして負担の少ない安定保持のために使用者との密着性を高くした保持が必要であるから、暑さや蒸れによる影響は大きいものである。
【０００３】
また、このようにベビーキャリアで乳幼児を保持する際の蒸れ等による湿気及び温度の上昇により、更に、使用者や乳幼児の体温の上昇で使用者や乳幼児の身体から発汗した汗がベビーキャリアに付着することで、そこが菌の温床となり、ベビーキャリアにおいて菌の増殖や不快臭の発生を招く恐れがある。特に、核家族化が進む現代ではベビーキャリアの使用頻度も増大傾向にあり、更に、新生児期から使えるベビーキャリアの開発によって長期間の使用が可能となっていることから、汗をかきやすい乳幼児の敏感な肌に触れるベビーキャリアについて、清潔さや衛生面を気に掛ける使用者も増えている。
【０００４】
一方で、ベビーキャリアにおいて圧迫、揺れ、衝撃の緩和性や、乳幼児の姿勢や保持の安定性といった抱き心地を追求すると、乳幼児の背側や腹側にあてがう部分ではクッション性を良くする必要があり、そのために従来、例えば、特許文献１にも記載されているように、乳幼児の背側にあてがう部分に低反発等の軟質なウレタンフォーム、ポリオレフィン系発泡体等が使用されている。また、乳幼児の身体、特に、腰から上位の沈み込みを防いで乳幼児の身体を安定した支持状態に保つために、芯材として硬質の発泡ウレタンフォーム、ポリオレフィン系発泡体等が使用されることもある。更には、使用者への負荷を軽減するために使用者に装着される肩ベルトや腰ベルトにもウレタンフォーム、ポリオレフィン系発泡体等が使用されることもある。
【先行技術文献】
【特許文献】
【０００５】
【特許文献１】特開２００６−１３００１６号公報
【発明の概要】
【発明が解決しようとする課題】
【０００６】
しかしながら、このようなウレタン素材、ポリオレフィン系発泡体は基本的に通気性や透水透湿性に劣り、内部に入り込んだ熱や湿気も外部に抜け難く内部にこもりやすいことから、暑さや蒸れを助長してしまう。特に、独立気泡の発泡型は蓄熱性があり、より一段と厚さや蒸れを助長する。また、ウレタン素材、ポリオレフィン系発泡体は、洗濯によって破損、変形したり、ヘタリが生じたりする恐れがあり、乾燥にも時間がかかるため、頻繁な洗濯は躊躇わざるを得ず、衛生的にも気がかりである。
【０００７】
そこで、本発明は、クッション性を有するも蒸れ難くて快適な保持を可能とし、衛生面の特性を向上させたベビーキャリアの提供を課題とするものである。
【課題を解決するための手段】
【０００８】
請求項１の発明のベビーキャリアは、乳幼児の身体にあてがわれて前記乳幼児を保持する保持部に緩衝材として、合成樹脂からなる連続線条体が不規則に蛇行して絡み合っており、かつ、前記蛇行した状態で随所に融着してなり、前記連続線条体間の空間が連通して通気性のある立体網状構造体を有するものである。
【０００９】
ここで、上記保持部は、乳幼児の身体にあてがわれて乳幼児を保護する部材であり、ベビーキャリアの目的（抱っこまたはおんぶ等の保持態様、対象とする乳幼児の月齢）、種類等によって、乳幼児にあてがわれる部材のみのものもあれば、乳幼児及び乳幼児を抱っこやおんぶして支持する使用者（親等）にあてがわれる部材を有することもある。即ち、乳幼児の反使用者側にあてがわれる部材のみのものもあれば、乳幼児の反使用者側にあてがわれる部材及び乳幼児の使用者側にあてがわれる部材の両方を有するものもある。また、立体網状構造体の使用が、乳幼児の反使用者側にあてがわれる部材のみに用いられることもあれば、乳幼児の使用者側にあてがわれる部材のみに用いられることもあれば、乳幼児の反使用者側にあてがわれる部材及び乳幼児の使用者側にあてがわれる部材の両方に用いられることもある。
【００１０】
そして、上記緩衝材は、緩衝作用の機能を有していれば、その目的に限定されず、例えば、クッション性（弾力性）を高めたり、身体への当たりを良くしたり、支持力を高めたり、フィット性を高めたりする等の目的で配置されるものも含まれる。
【００１１】
上記立体網状構造体とは、合成樹脂からなる連続線条体が不規則に蛇行し、かつ、前記蛇行した状態で随所に融着してなるクッション性を有するものである。即ち、外力によって連続線条体間の空間が変形しても、外力が解除されると空間が回復する弾性を有するものである。そして、連続線条体間の空間が連通しており、通常、７０〜９８％の高い空隙率によって、通気性を有するものである。上記立体網状構造体は、外装生地に包まれて前記保持部を構成する。
この立体網状構造体の製造技術は、後述する特許公報等で公知である。この立体網状構造体は、保持部の対向する表裏面に対して垂直方向の厚み方向の弾性変化が大きく、表裏面に平行する方向の伸縮が小さくなるように配置される。なお、表面と裏面の区別は特に問われない。このように、立体網状構造体の弾性が任意に選択できることは、再生処理する場合に選別する合成樹脂の種類が少なくて済む。そして、立体網状構造体の弾性は、乳幼児を保持していると、その保持力または乳幼児の動きにより変化し、呼吸するから、蒸れることを防止できる。
【００１２】
請求項２の発明のベビーキャリアの保持部は、前記乳幼児の身体の反使用者側であてがわれる部位が、表生地及び前記表生地に対向する裏生地からなる前記外装生地に包まれた前記立体網状構造体から構成されているものである。
前記乳幼児を抱っこまたはおんぶする使用者側とは反対側で前記乳幼児の身体にあてがう部位は、前記乳幼児を対面抱っこや前向きおんぶする際に、前記乳幼児の背側にあてがうものである。
【００１３】
請求項３の発明のベビーキャリアの保持部は、前記乳幼児の身体の使用者側であてがわれる部位が、表生地及び前記表生地に対向する裏生地からなる前記外装生地に包まれた前記立体網状構造体から構成されているものである。
前記乳幼児を抱っこまたはおんぶする使用者側で前記乳幼児の身体にあてがう部位は、前記乳幼児と前記乳幼児を支持する使用者との間に配設され、前記乳幼児を対面抱っこや前向きおんぶする際に、前記乳幼児の身体の背側とは反対側の股側や腹側にあてがうものである。
【００１４】
請求項４の発明のベビーキャリアの前記立体網状構造体が入れられた外装生地の一部または全部が空気の出入りを許容するメッシュ状繊維で形成されているものである。
ここで、上記メッシュ状繊維とは、空気の流通を可能とするものであればよく、多少織目の粗い、密度の低い生地を使用したり、生地が編目状（ネット状）であったりすることに限定されず、例えば、生地に所定形状の貫通孔（開口）が複数形成されていることによって空気の流通を可能としていてもよい。
好ましくは、少なくとも乳幼児の身体にあてがわれる面の一部または全部がメッシュ状繊維で形成されているものである。
【発明の効果】
【００１５】
請求項１の発明に係るベビーキャリアによれば、乳幼児の身体にあてがわれて前記乳幼児を保持する保持部に配設された緩衝材が、合成樹脂からなる連続線条体が不規則に蛇行して絡み合っており、しかも、前記蛇行した状態で随所に融着してなり、前記連続線条体間の空間が連通して通気性のある立体網状構造体からなる。この立体網状構造体によれば、外力が加わると、それを構成する湾曲した連続線条体の曲率が変化すると共に、連続線条体間の空間が変形し、外力が解除されると、連続線条体が元の曲率に戻り、空間が回復するクッション性（弾力性）を表現でき、クッション性に優れる。
しかも、立体網状構造体を構成する連続線条体間の空間が連通して、通気性に優れ、特に、乳幼児や使用者の動きによっても空間が変形し、空気の流れが生じるから、湿気や熱が滞留し難く、蒸れ等の発生を防止できる。
よって、乳幼児にとって快適な抱き心地が得られ、長時間使用した際でも乳幼児にかかる負担が軽減される。
【００１６】
そして、このように立体網状構造体に湿気や熱が滞留し難いことで、細菌やカビ等も繁殖し難く、更に、前記連続線条体間の空間が連通して通気性及び透水透湿性に優れることで、水分の乾きも速く、また、立体網状構造体を構成する連続線条体が合成樹脂からなり、それらは不規則に蛇行して絡み合って、かつ、蛇行した状態で随所に融着しているから、繰り返しの洗濯に耐える強度を有し、繰り返し洗濯してもクッション性等の特性が低下し難い。よって、衛生さ、清潔さを維持することができる。
このようにして、クッション性を有するも蒸れ難くて快適な保持を可能とし、衛生面の特性を向上させたベビーキャリアとなる。
また、例えば、前記乳幼児を保持する使用者の肩に装着される肩ベルト部、前記乳幼児を保持する使用者の腰に装着される腰ベルト部、前記保持部としての前記乳幼児の反使用者側にあてがわれる部位、前記保持部としての前記乳幼児の使用者側にあてがわれる部位によって、前記立体網状構造体からなる弾性を任意に選択できるから、弾性を適材適所で選択できる。
【００１７】
請求項２の発明に係るベビーキャリアによれば、前記保持部において、反使用者側で前記乳幼児の身体にあてがわれる部位に前記立体網状構造体が配設されるから、請求項１に記載の効果に加えて、乳幼児の身体に対して広い面積で支持する部位に立体網状構造体が配設されることで、立体網状構造体によって圧迫、揺れ、衝撃が緩和され、長時間使用した際でも乳幼児の姿勢に無理がかからず負担を軽減できるも、乳幼児からの汗等の湿気や熱が立体網状構造体に溜まり難くて効果的に乳幼児の暑さや蒸れを防止でき、乳幼児にとっての快適性がより高いものとなる。
【００１８】
請求項３の発明に係るベビーキャリアによれば、前記保持部において、使用者側で前記乳幼児の身体にあてがわれる部位に前記立体網状構造体が配設されるから、請求項１または請求項２に記載の効果に加えて、立体網状構造体が通気性を有する外装生地で覆われた際には、空気の通り道が確保されて、使用者や乳幼児からの汗等の湿気や熱を逃すことができる。また、立体網状構造体を覆う外装生地が通気性を有さなくとも、連続線条体間の空間が空気を収容して、立体網状構造体による断熱効果が得られる。したがって、使用者と乳幼児の相互間の密着による熱や湿気の溜まりを防止し、部分的な体温の上昇や蒸れを生じ難くできる。
よって、使用者及び乳幼児にとって保持の快適性を向上させることができる。
【００１９】
請求項４の発明に係るベビーキャリアによれば、前記立体網状構造体からなる緩衝材が入れられた外装生地の一部または全部が空気の出入りを許容するメッシュ状繊維に形成されているから、立体網状構造体を構成する連続線条体間の空間への新鮮な空気の供給及び連続線条体間の空間が保持していた空気の排出がなされることで、請求項１乃至請求項３の何れか１つに記載の効果に加えて、乳幼児や使用者からの湿気や熱が逃れやすくなり、また、衛生面の特性も一段と向上する。
【図面の簡単な説明】
【００２０】
【図１】図１（ａ）は本発明の実施の形態に係るベビーキャリアに配設した緩衝材としての立体網状構造体の斜視図であり、図１（ｂ）は表生地及び裏生地からなる外装生地内に立体網状構造体が配設されていることを説明するための説明図である。
【図２】図２は本発明の実施の形態に係るベビーキャリアに配設した立体網状構造体の製造方法を説明するための製造装置の概略構造を示す説明図である。
【図３】図３は本発明の実施の形態に係るベビーキャリアの全体を示す展開図であり、ベビーキャリアにおいて乳幼児が収容される側とは反対側である本体部及び補助保持部の外面側の展開を示す全体説明図である。
【図４】図４は本発明の実施の形態に係るベビーキャリアの全体を示す展開図であり、ベビーキャリアにおいて乳幼児が収容される側である本体部及び補助保持部の内面側の展開を示す全体説明図である。
【図５】図５は本発明の実施の形態に係るベビーキャリアの全体を示す斜視図であり、ベビーキャリアにおいて乳幼児が収容される空間を示す全体説明図である。
【図６】図６は本発明の実施の形態に係るベビーキャリアの使用状態として乳幼児を使用者が相向き合う対面抱っこで保持する状態の説明図である。
【図７】図７（ａ）は、緩衝材としての立体網状構造体の変形例を示す斜視図であり、図７（ｂ）は表生地及び裏生地からなる外装生地内に変形例に係る立体網状構造体が配設されていることを説明するための説明図である。
【図８】図８（ａ）は、緩衝材としての立体網状構造体の別の変形例を示す斜視図であり、図８（ｂ）は表生地及び裏生地からなる外装生地内に別の変形例に係る立体網状構造体が配設されていることを説明するための説明図である。
【発明を実施するための形態】
【００２１】
以下、本発明の実施の形態について、図面を参照しながら説明する。
なお、実施の形態において、同一の記号及び同一の符号はそれら実施の形態に共通する機能部分であるから、ここでは重複する詳細な説明を省略する。
【００２２】
まず、本実施の形態のベビーキャリア１に用いた緩衝材としての立体網状構造体１００について図１、図２、図７及び図８を参照して説明する。
【００２３】
緩衝材としての立体網状構造体１００は、図１に示すように、合成樹脂からなる連続線条体１０１が不規則に蛇行して絡み合っており、かつ、蛇行した状態で随所に接着してなるものである。
【００２４】
このような立体網状構造体１００は、特許文献の特開平７−１７３７５３号公報、特開平７−６８０１号公報、特開２００１−３２８１５３号公報、特開２００６−９７２２３号公報、国際公開２０１１０３５７３６号公報、特開２０１６―５２８号公報、特開２０１３―４０４３７号公報、特開２００７―１３００５９号公報等で公知であり、その製造方法が説明されており、また、その商品も、例えば、東洋紡株式会社から商品名「ブレスエアー（登録商標）」、株式会社シーエンジから「Ｃ−ＣＯＲＥ」、株式会社エアウィーヴから商品名「エアウィーヴ（登録商標）」、東レ・デュポン株式会社から「ハイトレル（登録商標）等として販売されて公知であり、そのような市販品を用いることも可能である。
【００２５】
念のため、立体網状構造体１００の製造方法の一例を簡単に説明すると、図２に示すように、溶融した熱可塑性樹脂を押出成形機２００の底面に形成した複数の穿孔を設けてなるノズル（ダイス）から連続線条体１０１として垂直下方に押し出して降下させ、下方位置において冷却水２１０内に並設された無端コンベア２１１，２１２間に供給する。
なお、このとき無端コンベア２１１，２１２の間隔は、押し出された溶融樹脂の連続線条体１０１からなる外形よりも隙間を小さく形成し、連続線条体１０１が無端コンベア２１１，２１２から漏れないようにしている。また、水槽内の冷却水２１０の水温及び深さ、連続線条体１０１の押出温度等は無端コンベア２１１，２１２の速度、位置との間で相対的に設定している。
【００２６】
これにより、連続線条体１０１は、押出成形機２００の底面に形成した複数のノズルから押し出したとき、その押し出し速度は、無端コンベア２１１，２１２間の搬送速度よりも速く設定されているから、複数のノズルから押し出したときには直線状であるが、その温度降下と共に押し下げ力が左右方向の力となって立体網状となり、無端コンベア２１１，２１２の下降速度によってその立体網状が変化する。このとき、無端コンベア２１１，２１２の下降速度は、連続線条体１０１の押し出し下降速度よりも遅く設定されており、連続線条体１０１が湾曲して部分的に結合される。即ち、押出成形機２００から押し出された溶融状態の連続線条体１０１が、冷却水２１０の浮力、抵抗により、更には連続線条体１０１の下降速度よりも回転を遅くした無端コンベア２１１，２１２との接触等により３次元方向に湾曲し、そして、連続線条体１０１相互が部分的に溶着し、溶着部が冷却水２１０により冷却され、連続線条体１０１相互の接触部が強固に結合されると共に連続線条体１０１が固定化される。こうして、連続線条体１０１が曲がりくねって（カールして）無秩序に絡み合い、部分的に溶着してなり特定の厚みを有する立体網状構造体１００が形成される。
【００２７】
このようにして製造された立体網状構造体１００は、溶融する合成樹脂材料が連続線条体１０１として押し出され、その多数本が湾曲し立体的に不規則に絡み合って相互に高温度のとき、溶着され、３次元網状構造を有して所定の厚み及び幅に形成され、また、連続線条体１０１の間が空間となっており、その空間が連通して７０％〜９８％の空隙率を有する。そして、湾曲した連続線条体１０１は、外力によって湾曲の曲率が変化し、外力が解除されると、元の曲率に戻る弾性を有する。このため、立体網状構造体１００は、外力によって連続線条体１０１の湾曲の曲率が変化し、連続線条体１０１相互間の空間が変形するが、外力が解除された際には、連続線条体１０１の湾曲が元の曲率に戻り、空間が回復する程度に弾性を有する。即ち、外力が加えられた場合でも立体網状構造体１００の全体が変形することにより、また、合成樹脂のゴム弾性等により、応力を吸収・分散すると共に、応力が解除されると元の形態に回復され、適度な弾力性（クッション性）、反発性を有する。特に、連続線条体１０１同士が融着されているため、外力が加えられたときには、ベビーキャリア１に配設する立体網状構造体１００の略全体が一体に変形されることで、圧分散性に優れ、また、部分的なヘタリが生じ難く耐久性に優れる。立体網状構造体１００の全体が一体に変形するエネルギー変換により弾力性（クッション性）、反発性等にも優れる。
【００２８】
また、合成樹脂からなる連続線条体１０１で形成され、空隙率も７０％〜９８％であるため、軽量である。合成樹脂のみからなるためリサイクル性にも優れる。
更に、ウレタン素材、ポリオレフィン系発泡体と比較して連続線条体１０１間の空間も大きく、その空間も連通しており、７０％〜９８％の空隙率、より好ましくは８５％〜９８％の空隙率を有することにより、通気性や透水透湿性に優れる。このため、水分が溜まり難く、速乾性を有し、特に、材質が合成樹脂であることで、弾性復元力も良好で、収納時の折り畳みや洗濯により破損、変形、ヘタリも生じ難く、アルコール、次亜塩素酸ナトリウム等の殺菌消毒によっても破損、変形するこがなく、耐久性に優れる。即ち、連続線条体１０１同士が固定されているため、圧縮や洗濯によって、連続線条体１０１が移動したり、全体形状が崩れたりすることがなく、嵩高性の低下や弾力性の低下等のヘタリも少ない。
そして、このように通気性や速乾性に優れることで、熱や湿気が放散されやすく、温度と湿度の上昇が防止されるため、微生物の繁殖を抑制できる。水洗い等の洗濯を行っても、乾燥までに微生物の増殖を招く恐れがなく、洗濯によって清潔に保つことができ衛生的である。
【００２９】
ここで、立体網状構造体１００を構成する連続線条体１０１としては、熱可塑性樹脂が使用され、例えば、ポリエチレン、ポリエステル、ＥＶＡ (エチレン酢酸ビニルコポリマー) 、ポリプロピレン等のポリオレフィン、ポリエチレンテレフタレート等のポリエステル、ナイロン６６等のポリアミド、ポリ塩化ビニル、ポリスチレン、ＥＭＭＡ（エチレン・メチルメタクリレートコポリマー）、ＰＥＴ等が挙げられる。これらの合成樹脂をベースとして共重合したコポリマやエラストマー等を混合したものでもよい。
特に、ＥＶＡ樹脂は、弾性に富み、応力の集中を分散させる圧分散性を高くできる。また、ポリエチレンは、融点が高いために、熱湯消毒、蒸気殺菌等によっても物性変化を起こすことがなく、より衛生的な使用に適する。
このように立体網状構造体１００を構成する連続線条体１０１が熱可塑性樹脂であると、リサイクル性にも優れる。また、ベビーキャリア１使用時の温度上昇による塑性変形も少なく、クッション性等の特性が安定的に維持される。
【００３０】
立体網状構造体１００を形成する連続線条体１０１の繊度は、１００〜１０００００デシテックスの範囲内が好ましく、より好ましくは３００〜５００００デシテックスの範囲内、更に好ましくは５００〜３００００デシテックスの範囲内である。当該範囲内であれば反発力、引っ張り応力（抗圧縮力）等が良好で応力集中によるへたりも発生し難く、長期間に亘って高い弾力性（クッション性）を保持する。このため緩衝材として使用した際に保持する乳幼児Ｂの姿勢も安定し、快適な抱き心地が得られる。
【００３１】
また、立体網状構造体１００を構成する連続線条体１０１は、単一繊度の線条からなる連続線状体だけでなく、繊度の異なる線条からなる連続線状体であってもよいし、単一種のみならず、複数種の合成樹脂で形成してもよい。
【００３２】
更に、連続線条体１０１は、中空管(チューブ状)であってもよいし、中実管であってもよいし、その断面形状も特に限定されず、円形断面であってもよいし、三角形、四角形等の多角断面形状や、Ｙ字型断面形状、星型断面形状等、円形断面とは異なる異形断面であってもよい。
中空管(チューブ状)ではより軽くなることから、中実管のものと同じ重量とした立体網状構造体１００では連続線条体１０１の密度が高く硬いものとなる。乳幼児や使用者の身体にあてがわれるその部位に応じて、連続線条体１０１の形状を選択することも可能である。例えば、乳幼児の臀部にあてがわれる部位では、中実状の連続線条体１０１からなる低密度な立体網状構造体１００の使用により、ソフトな感触で乳幼児の臀部を柔らかく受け止めて臀部の落ち込みをより安定化させることができる。また、乳幼児の腹側及び使用者側にあてがわれる部位でも低密度な立体網状構造体１００の使用により、ソフトな感触で乳幼児及び使用者の間の密着性を良くし、抱き心地を良くする。一方で、乳幼児の頭部や背中部にあてがわる部位では、中空状の連続線条体１０１からなる高密度で硬い立体網状構造体１００の使用により、乳幼児の体重をしっかり支える強度で、乳幼児の姿勢を安定させて体重を高分散できる。また、使用者の腰や肩に装着される腰ベルト部や肩ベルトでも、高密度な立体網状構造体１００の使用により、乳幼児の体重をしっかり支える強度で受け止めて高分散させることができる。
【００３３】
本実施の形態では、立体網状構造体１００をベビーキャリア１に配設した際に、厚み方向に対向するフロント側及びバック側に位置することになり最大面積の面を有する表裏端面は、連続線条体１０１の連続する長さ方向の端部が表出することなく、連続線条体１０１同士の接触部の大部分が溶着されてフラット化されている。即ち、２次元的に接続されている。これにより、乳幼児や使用者に当たる表面がでこぼこ感や違和感を与える恐れがなく、連続線条体１０１の長さ方向の剥き出し端部が立体網状構造体１００を覆う後述の外装生地１５０に引っ掛かることによる破損も生じない。また、２次元的な接続により、表面に局部的な外力が掛かった際でも応力集中によるヘタリが生じ難く外力が面で受け止められるため、面に重みが加わっても剛性の低下が生じ難く、応力を吸収し、分散する圧分散性が高い。よって身体にかかる負担を緩和でき、保持姿勢を安定させたり抱き心地や身体への当たりを良くしたりできる。
【００３４】
なお、このような表裏端面で連続線条体１０１の長さ方向の端部が表出することない２次元的な溶着は、対向する無端コンベア２１１，２１２との接触によって形成される。勿論、外周の３面以上で連続線条体１０１の連続する長さ方向の端部が表出することなく、連続線条体１０１同士の接触部の大部分が溶着されてフラット状に整列されていてもよい。
また、本発明を実施する場合には、対向する一対の表裏端面が連続線条体１０１の連続する長さ方向の端部が表出しないものであれば、その表層が波形状、連続する凹凸状、凸状または凹状形状、鋸状、隅が曲面（Ｒ）または面取り形状に形成されていても良い。
【００３５】
更に、立体網状構造体１００は、全体の密度が均一であってもよいし、粗密があってもよい。
特に厚み方向の表裏側が内層の密度と比較して高いと、ヘタリ難く、耐圧分散性が高くて快適な抱き心地を得ることができる。一方で、例えば、乳幼児の身体にあてがわれる側の一方の面側よりも他方の面側の方で連続線条体１０１の密度を高めることにより、つまり、乳幼児に近いほど低密度で弾性を柔らかくし、乳幼児から遠くなるほど、高密度として乳幼児側と反対側で弾力性を硬くすることで、乳幼児へのフィット性が増し、ソフトな感触で沈み易くなり、位置ずれが防止され、安定感が得られる。
また、組成や特性が異なる合成樹脂（連続線条体１０１）の組み合わせによって、厚み方向に（層状に）、特性や密度を変化させたものであってもよい。
【００３６】
なお、立体網状構造体１００の密度は、図２に示した連続線条体１０１を押し出すノズル（ダイス）の複数の穿孔位置、間隔を調節することによって連続線条体１０１の分布密度を調節したり、ノズルの複数の穿孔の大きさを調節することによって連続線条体１０１の太さを調節したり、ノズルからの合成樹脂の供給速度を調節したりすることによって、調整可能となっている。また、無端コンベア２１１，２１２の間隔や、無端コンベア２１１，２１２の回転速度を変化させることによっても調節でき、無端コンベア２１１，２１２の回転速度を速めると低密度とすることができ、回転速度を遅くすることにより高密度に形成できる。
即ち、立体網状構造体１００において、同一太さであっても連続線条体１０１の押出速度、無端コンベア２１１，２１２の搬送速度によっても密度を変化させて、ソフトからハードまでのクッション性を付与できる。また、連続線条体１０１の押出し太さによっても変化させることができる。
【００３７】
これにより、例えば、図７に示したように、図１に示した立体網状構造体１００と比較して連続線条体１０１間の密度が高められて緻密な立体網状構造体１００を使用してもよいし、図８に示したように、図１に示した立体網状構造体１００と比較して連続線条体１０１間の密度を低下させた低密度の立体網状構造体１００としてもよい。
【００３８】
因みに、図２に示したように、押出成形機２００の下部であって冷却水２１０が入った水槽上部に、連続線条体１０１の冷却水２１０への着水前後に連続線条体１０１を受け止めて無端コンベア２１１，２１２まで案内するための４面を順次狭くした４角ロート状の案内板（シュート）２２０を設置することにより、ノズル（ダイス）の孔から押し出された連続線条体１０１の一部が、案内板２２０の斜面を滑って無端コンベア２１１，２１２に案内されるが、その際、案内２２０板の表面上で連続線条体１０１の絡み合いや溶着が生じて、内層に向かって絞り込まれることで、密度の高い表面層を形成することができる。同時に、平坦な案内板２２０上を滑ることにより、その表面層の端面は平坦に形成される。
【００３９】
本実施の形態のベビーキャリア１において、緩衝材として使用する立体網状構造体１００は、例えば、２５％圧縮時硬さ（ＪＩＳ  Ｋ  ６４００−２に準拠して、立体網状構造体１００を２００ｍｍ径の円形状の圧縮板にて７５％まで圧縮した後に再度２５％圧縮した時の応力）が、１０Ｎ／φ２００以上、２００Ｎ／φ２００以下、より好ましくは１５Ｎ／φ２００以上、１８０Ｎ／φ２００以下の範囲内とされる。また、平均の見掛け密度が０．００５〜０．９０ｇ／ｃｍ、より好ましくは０．０２以上、０．２０ｇ／ｃｍ３以下、更に好ましくは０．０５以上、０．１５ｇ／ｃｍ３以下の範囲内とされる。上記範囲内であれば、適度な硬さでクッション性、衝撃吸収性、圧分散性が良好で乳幼児Ｂや使用者Ｍの身体への当たりも良好であり、長時間ベビーキャリア１を装着しても凝りが少なく負担が少ない。また、立体網状構造体１００の厚みは、配置場所等によって選択可能であり、特に限定されないが、３ｍｍ〜３０ｍｍ、より好ましくは３ｍｍ〜２０ｍｍの範囲内であれば、緩衝機能が発現されやすく、また、乳幼児Ｂや使用者Ｍの身体形状に対応して屈曲可能な程度に可撓性、柔軟性を有する。
【００４０】
なお、このような立体網状構造体１００は、押出し成形の他、型はめ成形によっても形成可能であり、また、連続線条体１０１相互間が、融着に限られず、接着剤による接着されたものであってもよい。何れにせよ、合成樹脂からなる連続線条体１０１が不規則に蛇行して絡み合っており、かつ、蛇行した状態で随所に接着してなる立体網状構造体１００は、その製造及び加工も容易で、製造中に使用される薬品の公害問題も殆どなく、焼却時にダイオキシン類を発生せず、更にリサイクル性も高い。
【００４１】
このように、本実施の形態にかかるベビーキャリア１に使用される緩衝材としての立体網状構造体１００は、合成樹脂からなる連続線条体１０１が不規則に蛇行して絡み合っており、しかも、蛇行した状態で随所に融着して、特定の厚みを有し、連続線条体１０１相互の空間が連通して通気性があるものである。なお、通気や透水透湿性に関しては、その方向性は特定されない。
【００４２】
次に、このような構成の立体網状構造体１を緩衝材として使用したベビーキャリア１の一例について、主に、図１、図３乃至図６を参照してその構造を説明する。
本実施の形態のベビーキャリア１は、乳幼児Ｍを抱っこまたはおんぶにより乳幼児Ｍの身体にあてがい乳幼児Ｍを保持する保持部として、乳幼児Ｂを抱っこまたはおんぶする親等の使用者Ｍ側とは反対側で乳幼児Ｂの身体にあてがわれ乳幼児Ｂの体重を支持する本体部１０と、本体部１０の下部に接続し本体部１０とは反対側で乳幼児Ｂの身体にあてがわれる補助保持部２０と、本体部１０と補助保持部２０の間に渡されて配設された位置決め座部３０とを有する。更に、補助保持部２０に接続され、使用者Ｍの肩に掛けられる左右１対の肩ベルト部４０と、本体部１０と補助保持部２０の下端部に接続されて本体部１０と補助保持部２０の長さ方向に対して直角方向に配設し、使用者Ｍの腰回りに装着される腰ベルト部５０とを有する。
【００４３】
乳幼児Ｂを保持する使用者Ｍ側とは反対側で乳幼児Ｂの身体にあてがわれる本体部１０は、乳幼児Ｂと使用者Ｍの顔が相向き合う対面抱っこや乳幼児Ｂと使用者Ｍの顔が同一方向を向く前向きおんぶのように、乳幼児Ｂの身体の腹側が乳幼児Ｂを保持する親等の使用者Ｍに向くように乳幼児Ｂを保持する際に乳幼児Ｂの身体の背側にあてがわれるものである。
本実施の形態の本体部１０は、乳幼児Ｂを対面抱っこや前向きおんぶで保持する際に乳幼児Ｂの主に頭部にあてがわれて主に頭部を受ける略半楕円形状の頭当部１１と、乳幼児Ｂの頭部側から背中、腰にかけてあてがわれて主に背中部を受ける背当部１２と、乳幼児Ｂの背中側から臀部にかけてあてがわれて主に臀部を受ける臀当部１３が一体に形成されている。
【００４４】
そして、本実施の形態においては、この頭当部１１、背当部１２及び臀当部１３からなる本体部１０に緩衝材としての立体網状構造体１００が配設される。
具体的には、緩衝材としての立体網状構造体１００は、図１（ｂ）に示すように、表生地１１０及び裏生地１２０からなる外装生地１５０で覆われて、本体部１０に配設される。つまり、袋状に閉じられた表生地１１０及び裏生地１２０からなる外装生地１５０に緩衝材としての立体網状構造体１００が入れられて本体部１０が構成されている。
【００４５】
このように、本体部１０において、表生地１１０と裏生地１２０との２枚の布からなる外装生地１５０は、図１（ｂ）に示すように、立体網状構造体１００を包み込む。表生地１１０と裏生地１２０は１枚物の生地を折り畳んで形成してもよいし、３枚または４枚で形成してもよい。特に、本実施の形態では、表生地１１０と裏生地１２０を折り曲げて重ね合わせ、２条のミシン糸で縫い合わせたり、そのうちの１条のミシン糸によってパイピンを縫い付けたりしてもよい。或いは、表生地１１０と裏生地１２０によって袋状を形成しておき、そこに立体網状構造体１００を挿入してもよい。
【００４６】
本実施の形態のベビーキャリア１において、本体部１０を構成する表生地１１０及び裏生地１２０の外装生地１５０は、少なくとも乳幼児Ｂの身体にあてがわれる内面側（乳幼児Ｂ側）の全面、または一部の面、例えば、乳幼児Ｂの身体に対応する位置で、通気性を有する生地が使用される。
通気性を有する生地としては、例えば、所定の開口の網目・網模様構造を有するネット生地や、多少織目を粗くした粗密度の生地や、表裏のネット生地間に特定の厚みの空気層を形成する連結糸を織り込んでなる特定の厚みを有する立体編物（ダブルラッシェル）等が使用される。このような通気性を有する生地の使用により外装生地１５０をメッシュ状繊維に形成することで、通気性を確保し、また、乳幼児Ｂに接触する表面からの吸湿性を上げ、湿気や熱を放散することができる。吸水性の高い綿素材等の素材を使用することでも吸湿性が向上する。
【００４７】
特に、立体編物（ダブルラッシェル）によれば、表裏のメッシュ生地間に織り込まれた連結糸によって形成される空気層により乳幼児Ｂや使用者Ｍの汗等の湿気や熱の発生に対しても、その湿気や熱を収容できる容積を有しており、更に、使用者Ｍの動き及び乳幼児Ｂの動きが空気層の体積変化となって、空気層の空気が排出及び供給されるから、使用者Ｍや乳幼児Ｂの身体から発汗した汗を速やかに吸収でき、また、使用者Ｍや乳幼児Ｂの身体の熱を逃すことができる。勿論、表裏のメッシュ生地及び空気層により通気性、通水性にも優れるから、水分の乾きも速い。更に、連結糸によって形成される空気層により多少の弾力性（クッション性）等を有し、乳幼児Ｂが動いても、空気層の追随変化によって違和感が生じず、乳幼児Ｂの体形への馴染みもよい。
【００４８】
なお、このような立体編物（ダブルラッシェル）はダブルラッシェル機やトリコット機等の織布製造機によって製造され、その商品は、旭化成株式会社から「フュージョン（商標名）」、また、帝人興産から「エアクィーン（商標名）」等として販売されているので、ここでは仔細な説明を省略する。
【００４９】
本発明を実施する場合には、上述した通気性を有する生地は、本体部１０の内面側、即ち、乳幼児Ｂ側の全面に使用されることもあれば、部分的に使用されることもある。特に、乳幼児Ｂが発汗しやすい頭部や背中部分にあてがう頭当部１１や背当部１２のみの使用であってもよいし、おむつかぶれを防止するために臀当部１３のみに使用してもよい。頭当部１１、背当部１２、臀当部１３の何れかのみの使用であってもよいし、頭当部１１及び背当部１２のみ、頭当部１１及び臀当部１３のみ、背当部１２及び臀当部１３のみの使用であってもよいし、頭当部１１及び背当部１２及び臀当部１３の全部で使用してもよい。勿論、頭当部１１や背当部１２や臀当部１３の各一部分であってもよい。
また、本体部１０の内面側のみならず、本体部１０の外面側の外装生地１５０においても通気性を有する生地を使用しても良く、本体部１０の内面側（乳幼児Ｂ側）及び外面（乳幼児Ｂ側とは反対側）の表裏の両面の厚み方向で空気の流通を許容する構造が望ましい。本体部１０の表裏面が所定のメッシュ状繊維で形成されていれば、表裏の厚み方向の空気の通り道が確保されることから、通気量が増し、より効果的に湿気や熱を逃すことができる。また、特定部分で通気性を有する生地に対して通気性のない生地を被覆自在とした２層構造に形成してもよい。何れにせよ、外装生地１５０において、その全部または一部で通気性を有する生地の使用により空気が排出及び供給される開口を形成することで、表生地１１０及び裏生地１２０間に入れた立体網状構造体１００の通気性が生かされて通気が維持される構造であればよい。
【００５０】
なお、メッシュの孔の大きさ、数によって、即ち、メッシュ密度の選択により、空気の出入りを決定する流体抵抗を任意に設定できる。更に、対応させる乳幼児Ｂの部位に応じてメッシュの粗密を変えてもよい。例えば、乳幼児Ｂの顔や触れやすい部位では、目の細かいメッシュによって肌触りを良くしたり、乳幼児Ｂが発汗しやすい頭部や背中部に対応する頭当部１１及び背当部１２では、目の粗いメッシュによって高い通気性を確保したりできる。また、デザイン的にメッシュの形状を決定してもよい。必ずしも網目構造である必要はなく、複数の開口によって空気の流通を確保しても良い。
【００５１】
本体部１０の表生地１１０及び裏生地１２０からなる外装生地１５０において、通気性を有する生地以外は、任意の生地で形成できる。また、対応させる乳幼児Ｂの部位に応じて生地の種類を変えても良く、例えば、肌触りのよい生地、ソフト感のある柔らかい生地、刺激性のない生地が乳幼児Ｂの頭部近辺で使用されたり、吸湿性の高い生地が乳幼児Ｂの頭部や背中近辺で使用されたりする。デザイン的、機械強度的に生地の材質を選択しても良い。
【００５２】
そして、本実施の形態のベビーキャリア１においては、このように通気性が確保された表生地１１０及び裏生地１２０からなる袋状とした外装生地１５０の内部に、緩衝材として、合成樹脂からなる連続線条体１０１が不規則に蛇行して絡み合っており、しかも、蛇行した状態で随所に融着してなる特定の厚みを有する立体網状構造体１００が配設されている。
【００５３】
立体網状構造体１００の配設は、ベビーキャリア１の目的（保持対象の月齢、保持形態等）、商品的価値の特徴・特性等に応じて、本体部１０の全体に配設しても良いし、特定の一部のみの配設であっても良い。即ち、頭当部１１、背当部１２、臀当部１３の何れかのみの配設であってもよいし、頭当部１１及び背当部１２のみ、頭当部１１及び臀当部１３のみ、背当部１２及び臀当部１３のみの配設であってもよいし、頭当部１１及び背当部１２及び臀当部１３の全体に配設してもよい。好ましくは、位置ずれを防止するために各部を構成する面積相当で充填されるが、頭当部１１や背当部１２や臀当部１３の各一部分であってもよく、その場合には部分的に外装生地１５０に縫い付ける等、或いは外装生地１５０内に収容部を形成する等の位置ずれ防止手段が設けられる。
また、上述したように立体網状構造体１００は、その密度、大きさ、厚み、原料の材質や、連続線条体１０１の形状等によって、硬さや柔らかさ、弾力性等の特性を調節可能であるから、例えば、背当部１２では硬く、臀当部１３では柔らかいものを使用する等、配設位置、部位によって異なる特性（密度、厚み等）の立体網状構造体１００を選択することも可能である。
そして、本体部１０に配設される立体網状構造体１００は厚みが３ｍｍ以上、３０ｍｍ以下の範囲内、より好ましくは３ｍｍ以上、２０ｍｍ以下の範囲内のものが使用されることで、緩衝機能が発現されやすく、また、乳幼児Ｂや使用者Ｍの身体形状に対応して屈曲可能な程度に可撓性、柔軟性を有し、更に、携帯時の嵩張りも少ないものとなる。
【００５４】
例えば、頭当部１１に立体網状構造体１００を配設することによって、乳幼児Ｂの頭部を支持してグラつきを防止したり、後方への傾きを防止したり、頭部への衝撃を和らげたりできる。また、周囲の音が減衰されて快適な睡眠環境を形成することもできる。
特に、頭当部１１に配設する立体網状構造体１００の２５％圧縮時硬さ（立体網状構造体１００を２００ｍｍ径の円形状の圧縮板にて７５％まで圧縮した後に再度２５％圧縮した時の応力）を、１０Ｎ／φ２００以上、１８０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内が好ましく、より好ましくは４ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内である。
上記範囲内であれば、別途、硬質な芯材を外装生地１５０内に入れなくとも、乳幼児Ｂの頭部にあてがわれる頭当部１１では乳幼児Ｂの頭部をしっかり支持して乳幼児Ｂの頭部の後方への傾き、反り返りを防止できることから、低月齢の乳幼児Ｂを保持する際や、乳幼児Ｂが眠った際でも乳幼児Ｂの頭部をしっかり支持して頭部のグラつきを防止することが可能である。更に、使用者Ｍの歩行等による振動、衝撃吸収性も高く、乳幼児Ｂの頭部や首部にかかる負担を少なくできる。
【００５５】
また、背当部１２に立体網状構造体１００を配設することによって、乳幼児Ｂにとっての抱き心地が向上して、乳幼児Ｂの姿勢や保持の安定性も向上する。
特に、背当部１２に配設する立体網状構造体１００の２５％圧縮時硬さを、１０Ｎ／φ２００以上、１８０Ｎ／φ２００以下の範囲内とするのが好ましく、より好ましくは、１０Ｎ／φ２００以上、１５０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１５ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは１５ｋｇ／φ１５０以上、３０ｋｇ／φ１５０以下の範囲内である。
上記範囲内であれば、別途、硬質な芯材を入れなくとも乳幼児Ｂの腰から背中部にあてがわれる背当部１２では乳幼児Ｂの腰から背中部をしっかり支持して、落ち込みを防止して乳幼児Ｂの安定した姿勢を維持でき、また、使用者Ｍの目の届かないおんぶ時でも、乳幼児Ｂの反り返りを防止できる。
【００５６】
更に、臀当部１３に立体網状構造体１００を配設することによって、乳幼児Ｂの臀部が落ち込み易くなり、乳幼児Ｂの重心位置が安定して保持安定性が向上する。また、乳幼児Ｂの臀部にかかる圧力が分散されやすくなり、座り心地が向上し、乳幼児Ｂの負担も軽減される。
特に、臀当部１３に配設する立体網状構造体１００の２５％圧縮時硬さを、後述する中央部１３Ａにおいて１０Ｎ／φ２００以上、１５０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内である。
上記範囲内であれば、乳幼児Ｂの臀部を落ち込み易くし、臀部の重心位置を安定化させて位置ずれを防止することにより、乳幼児Ｂの安定した沈みを得て保持安定性を高め、使用者Ｍ及び乳幼児Ｂにとって負担の少ない快適な姿勢での保持を可能とする。また、乳幼児Ｂの脚に触れてもそれに追従し、乳幼児Ｂの脚の動きが制限され難い。殊に、首据わり前の低月齢の乳幼児Ｂを保持する際でも、乳幼児Ｂの臀部が落ち込み易いことで、乳幼児Ｂの臀部の位置よりも高い位置で膝が曲げられ、Ｍ字開脚とする自然な開脚姿勢で、乳幼児Ｂの重心が脚側ではなく臀部にかかり、乳幼児Ｂの体形に負担の少ない保持を可能とする。
【００５７】
ここで、本実施の形態の臀当部１３においては、乳幼児Ｂの臀部の中央側を受ける中央部１３Ａと中央部１３Ａの左右両側に位置し乳幼児Ｂの太股付近に当たる左右１対の端部１３Ｂとから構成されている。
【００５８】
なお、本実施の形態のベビーキャリア１においては、立体裁断によって臀当部１３の中央部１３Ａ及び左右両側の端部１３Ｂを形成しており、中央部１３Ａ及び端部１３Ｂを内側（中心側）に向かって弧状に湾曲した縫製線１３ａによって接ぎ合わせ、更に、臀当部１３の下端部を後述の腰ベルト部５０の本体ベルト部５１に対して、本体ベルト部５１の上端部に接ぎ合わせる略直線状の縫製線及びその下方に弧状に湾曲した縫製線（図示せず）にて一体に接続することにより、立体的な収容空間を形成している。これにより、後述する高い位置で保持する際の乳幼児Ｂの脚の動きが拘束され難くなり、また、乳幼児Ｂの臀部の重心位置も安定しやすい。
【００５９】
このとき、臀当部１３において中央部１３Ａと端部１３Ｂの接続は、表生地１１０及び裏生地１２０間に入れる立体網状構造体１００を連続させないことによって、或いは、立体網状構造体１００を連続させても表生地１１０及び裏生地１２０を縫合することによって、または、立体網状構造体１００自体が折曲自在に形成されていることで、中央部１３Ａと端部１３Ｂの間が区別され、中央部１３Ａの面に対し端部１３Ｂが乳幼児Ｂ側に折曲自在に形成されている。
【００６０】
特に、端部１３Ｂに縫製線１３ａによって接ぎ合わされる中央部１３Ａの外形が中央側に湾曲した形状、即ち、上下の端部よりも中央側で幅狭の形状であるから、この中央部１３Ａに立体網状構造体１００が配設されると、乳幼児Ｂの臀部が落ち込み易くて、臀部の位置ずれも生じ難い。よって、乳幼児Ｂの負担が少なく快適な姿勢での保持を可能とし、保持安定性を高くできる。
【００６１】
なお、本発明を実施する場合には、臀当部１３の中央部Ａの表面形状を変化させたり、表生地１１０及び裏生地１２０の外装生地１５０の中に入れる立体網状構造体１００について厚みに変化を付けたりすることによって、臀部の落ち込みが自在なように窪みを形成することで、または、表生地１１０及び裏生地１２０の外装生地１５０の中に入れる立体網状構造体１００についてクッション性や柔軟性を変化させる構造とすることによっても、乳幼児Ｂの臀部の落ち込みを安定化させ、保持安定性を高めることができる。
【００６２】
更に、臀当部１３の端部１３Ｂにおいては、その外縁が乳幼児Ｂの太股に接触することにより乳幼児Ｂの太股に対し大きな負荷をかけやすいことから、乳幼児Ｂの太股に触れる左右両側の端部１３Ｂでは、中央部Ａよりもクッション性（弾力性）の高い立体網状構造体１００の配設により、乳幼児Ｂの太股への圧迫を軽減できる。例えば、端部１３Ｂに配設する立体網状構造体１００は、２５％圧縮時硬さを、１０Ｎ／φ２００以上、１８０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内が好ましく、より好ましくは４ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内である。
【００６３】
また、本実施の形態のベビーキャリア１では、背当部１２と臀当部１３の境界部で水平方向の横幅が狭くそこから下方に向かって臀当部１３を幅広とする設計によっても、構造的に臀当部１３で乳幼児Ｂの臀部の落ち込みを容易としているが、背当部１２に配設する立体網状構造体１００と臀当部１３に配設する立体網状構造体１００とで、クッション性、硬さ等の特性を変えることでも、例えば、背当部１２に配設する立体網状構造体１００と比較して、臀当部１３に配設する立体網状構造体１００の硬さを柔らかくし、クッション性を小さくすることによって、背当部１２では乳幼児Ｂの姿勢をしっかり支持するも、臀当部１３では乳幼児Ｂの臀部を落ち込みやすくできる。
特に、立体網状構造体１００が高い通気性を有することで、立体網状構造体１００の厚みを厚くしてクッション性や硬さを高めても蒸れを防止できる。
【００６４】
なお、上述したように、立体網状構造体１００の硬さ、反発力、クッション性等の特性については、その密度、大きさ、厚み、原料の材質や、連続線条体１０１の形状等によって決定されることから、立体網状構造体１００の密度、原料の材質、連続線条体１０１の形状を統一し、厚みのみ変化させることで所望の硬さを得ても良いし、立体網状構造体１００を均一な厚みに統一して、それを構成する原料の材質、連続線条体１０１の形状、密度等を変化させることによって所望の硬さ、反発力、クッション性等の特性を得ても良い。
【００６５】
このように、本実施の形態のベビーキャリア１によれば、一部または全部を通気性を有する生地で形成して通気性を確保した表生地１１０及び裏生地１２０からなる袋状の外装生地１５０の中に、特定部位または全体に緩衝材として、合成樹脂からなる連続線条体１０１が不規則に蛇行して絡み合っており、しかも、蛇行した状態で随所に融着してなり、連続線条体１０１間の空間が連通してなる特定の厚みを有する立体網状構造体１００が入れられて本体部１０が形成されている。
【００６６】
したがって、立体網状構造体１００が配設された部位では緩衝作用、クッション性（弾力性）が得られるが、この立体網状構造体１００は、それを構成する連続線条体１０１間の空間が連続していることによって、好ましくは７０％〜９８％の空隙率によって、通気性を有している。このため、緩衝材として立体網状構造体１００を配設しても、連続線条体１０１間の空隙によって空気の通り道が形成されていることから、また、乳幼児Ｂや使用者Ｍの動きにより立体網状構造体１００の空間の体積変化が生じることによって空気の流れが生じることから、熱や湿気が滞留し難く、乳幼児Ｂに対して暑さや蒸れを生じさせ難い。
【００６７】
そして、このように立体網状構造体１００が通気性に優れ、湿気や熱が滞留し難いことから、また、合成樹脂からなる連続線条体１０１の不規則に蛇行した絡み合いによって連続線条体１０１の多くがループ状で合成樹脂屑も出にくいことから、従来の緩衝材として使用されていたウレタン、ポリオレフィン系発泡体と比較しても、細菌、カビ等が繁殖し難く、乳幼児Ｂや使用者Ｍからの汗の染み込みや細菌・カビ等の繁殖による臭気も発生し難い。更に、連続線条体１０１間の連続した空間によって通気性及び透水透湿性に優れることで、速乾性を有し、洗濯しても水分の乾きが速くて、乾燥までに細菌が繁殖する恐れもなく、洗濯によって衛生さ、清潔さを保つことができる。乳幼児Ｂのよだれ、吐き戻し等の水分の付着に対しても、乾きが速く、細菌、カビ等の繁殖を防止できる。よって、衛生特性が向上する。また、立体網状構造体１００を構成する連続線条体１０１が合成樹脂からなり、それらは不規則に蛇行して絡み合って、かつ、蛇行した状態で随所に融着しているから、繰り返しの洗濯に耐える強度を有し、繰り返し洗濯しても緩衝性、クッション性等の特性が低下し難い。即ち、連続線条体１０１同士が固定されているため、圧縮や洗濯によって、連続線条体１０１が移動したり、全体形状が崩れたりすることがなく、嵩高性の低下や弾力性の低下等のヘタリも少ない。
【００６８】
特に、本実施の形態では、一部または全体が通気性を有する生地からなる外装生地１５０によって立体網状構造体１００が覆われており、外装生地１５０の通気性により空気の流れ道が形成され、乳幼児Ｂの身体の熱や湿気を逃すことができる。更に、外装生地１５０の通気性により、外装生地１５０に入れられた立体網状構造体１００に新鮮な空気が供給されるから、立体網状構造体１００に入り込んだ湿気や熱の高い空気の排出が促進される。即ち、立体網状構造体１００は、その高い空隙率により、乳幼児Ｂの汗等の湿気や熱の発生に対してその湿気や熱を収容できる容積を有するも、それを覆う外装生地１５０が通気性を有することで、新鮮な空気が取り入れられて、湿気や熱が逃れやすくなる。特に、使用者Ｍの動きや乳幼児Ｂの動きによっても、立体網状構造体１００を構成する連続線条体１０１間の空隙（空間）の体積変化となって、空隙の空気の供給及び排出が促進される。したがって、外装生地１５０を介して乳幼児Ｂの身体から発汗した汗を速やかに吸収でき、また、使用者Ｍや乳幼児Ｂの身体の熱を逃すことが可能である。よって、立体網状構造体１００に湿気や熱がこもり難く、乳幼児Ｂの暑さや蒸れを軽減できる。そして、長時間の保持に対しても部分的に異常に乳幼児Ｂの体温が上昇することが防止されて、ジトジト感、ベトベト感も少なく、発汗対策、暑さ及び蒸れ対策、汗疹対策になる。
【００６９】
より好ましくは、外装生地１５０の表生地１１０及び裏生地１２０の両方、即ち、乳幼児Ｂの身体にあてがわれる面及びそれとは反対側面との本体部１０の両面（表裏）で、通気性を有する生地を使用した場合には、立体網状構造体１００の通気性及び表裏の生地の通気性によって、本体部１０の厚み方向の通気量が増すことで、より効果的に湿気や熱を逃すことができ、清涼感、爽快感が得られる。なお、本体部１０の表裏の両面（対向面）がメッシュ状であれば、使用者Ｍ及び乳幼児Ｂの体形や動作に従って空気の出入りを決定する流体抵抗を任意に設定できる。
【００７０】
そして、このように合成樹脂からなる連続線条体１０１が不規則に蛇行して絡み合っており、かつ、蛇行した状態で随所に融着してなる特定の厚みを有する立体網状構造体１００によれば、空隙率が高いが、それを構成する連続線条体１０１が合成樹脂からなり、互いに３次元状に絡み合い融着していることで面全体で外力を受けるから、従来の緩衝材としてのウレタン、ポリオレフィン系発泡体と比較して、同等のクッション性としても軽量化される。よって、装着する使用者Ｍにとっての重さや持ち運びの負担を少なくできる。
また、従来、ベビーキャリア１のクッション材として使用されていたウレタン、ポリオレフィン系発泡体と比較して、立体網状構造体１００は回復特性が速く、乳幼児Ｂの身体の動きに追従するフィット性、抱持性が得られ、抱き心地や保持安定性を向上させることができる。よって、厚みを少なくしても適度なクッション性が得られ、嵩張りを小さくできる。
【００７１】
加えて、連続線条体１０１が３次元状に絡み合い、連続した空間を有する立体網状構造体１００によれば、乳幼児Ｂの面積に対して均一に支持して体重の応力の集中を少なくできる。即ち、立体網状構造体１００の配設によって受圧面積が広くなり、乳幼児Ｂにかかる圧力が分散されやすい。よって、乳幼児Ｂの体形にかかる負担を軽減できる。特に、乳幼児Ｂの重心位置がくる臀当部１３において、立体網状構造体１００を配設することで、長時間保持する場合でも、乳幼児Ｂの臀部にかかる圧力が分散されることで快適な座り心地となり、乳幼児Ｂの臀部への負担が軽減される。
【００７２】
なお、本実施の形態では、立体網状構造体１００を頭当部１１と背当部１２に配設しても、頭当部１１と背当部１２の境界部において表生地１１０及び裏生地１２０の外装生地１５０の間に入れた立体網状構造体１００を連続させないことによって、或いは、立体網状構造体１００を連続させても立体網状構造体１００自体を折曲げ自在とした構造により、頭当部１１と背当部１２の間が区別され、背当部１２の面に対し頭当部１１が折曲自在となっている。これにより、背当部１２にて乳幼児Ｂの腰から背中部を安定して支持するも乳幼児Ｂの頭部の重みに応じて頭当部１１が背当部１２の面に対して傾斜し易く（折れ曲がり易く）、乳幼児Ｂの頭部及び首部に無理が加わらないように乳幼児Ｂの頭部及び首部を保護できるようになっている。また、乳幼児Ｂの成長に応じ、背当部１２の面に対して頭当部１１を乳幼児Ｂ側とは反対側に折曲して使用することで、乳幼児Ｂの視界を広げることができる。
【００７３】
更に、本実施の形態のベビーキャリア１においては、本体部１０の乳幼児Ｂが配置される側で、頭当部１１と背当部１２の境界部の頭当部１１と背当部１２の面から略三角形状の接続部１４を突出して設けており、この接続部１４により乳幼児Ｂの頭部の左右方向の傾きを支え、グラつきを防止して乳幼児Ｂの頭部及び首部への負担を軽減できる。特に、接続部１４をクッション性を有する材料で形成することで、衝撃を緩和して乳幼児Ｂの頭部及び首部を保護できる。そして、この接続部１４に緩衝材としての立体網状構造体１００を配設することも可能である。即ち、接続部１４を構成する外装生地１５０の表生地１１０及び裏生地１２０の間に立体網状構造体１００を入れても良い。
【００７４】
なお、頭当部１１には、図示しない所定の収容容積を有するポケット状の収納部が設けられており、図１に示した本体部１０の乳幼児Ｂが配置される側とは反対側の面（使用者Ｍがベビーキャリア１を装着した状態で意匠面側となる外面側）に、図示しない収納部を開閉自在とするためのスライドファスナ１５（ホック、ボタン、接着布等であってもよい）を有し、乳幼児Ｍの頭部を覆う所定面積の図示しないヘッドフードや、保冷剤、タオル等の持ち物等を収容可能としている。図示しないヘッドフードは、例えば、その一端が収納部内に縫着等によって固着され、また、他端を肩ベルト部４０に連結具（例えば、バックル、ホック、ナスカン、カラビナ、Ｄロック、クイックキャッチ、楕円リング等）を介して取付けることで、乳幼児Ｂの頭部を後頭部側から覆って支持し、保持している乳幼児Ｂが眠った際でも乳幼児Ｂの頭部が後方に倒れて乳幼児Ｂの身体がのけ反る事態を防止したり、乳幼児Ｂの日除けや、ベビーキャリア１の装着状態で抱っこしたまま授乳する際に授乳を隠すカバー等として機能したりする。
なお、このヘッドフードにおいても通気性を有するのが望ましく、緩衝材として立体網状構造体１００を使用することで、通気性を確保できる。
【００７５】
そして、本実施の形態のベビーキャリア１において、このように頭当部１１、背当部１２及び臀当部１３が一体に形成された本体部１０には、臀当部１３側の下端部で直線状の縫製線及び弧状に湾曲した縫製線（図示せず）にて腰ベルト部５０が縫い付けられている。なお、本体部１０と腰ベルト部５０は全体として略逆Ｔ字状に配設され、本体部１０の下端及びその付近の縫製によって腰ベルト部５０に一体に縫い合わされていることによって、腰ベルト部５０の面方向に対して本体部１０は直角方向に折れ曲がり自在となっている。
【００７６】
腰ベルト部５０は、本体部１０及び後述する補助保持部２０の下部において、本体部１０及び補助保持部２０の長さ方向（上下方向）に対して略直交方向に配設して乳幼児Ｂの体重の多くを受けるので強度的に耐えられ、かつ、使用者Ｍの腰回りに取付けても使用者Ｍの体形に無理が掛からないように力（乳幼児Ｂの体重）の分散が行われる形態として、本体部１０及び後述の補助保持部２０と一体化されて縦幅が幅広な本体ベルト部５１と本体ベルト部５１の長さ方向の両端部に配設されアジャスター付きバックルを有する布ベルトからなる左右１対の長さ調節部５２とから構成されている。そして、この腰ベルト部５０は、長さ調節部５２に設けたアジャスター付きバックルの連結差込具５３と連結受具５４の連結係合によって使用者Ｍの腰回りに固定可能とし、連結差込具５３と連結受具５４を連結自在としていることで、使用者Ｍの腰回りに取付け及び取外し自在となっている。
【００７７】
このように腰ベルト部５０において、本体ベルト部５１の両端部に設けた左右１対の長さ調節部５２は、使用者Ｍの腰回りへの取付けに必要なベルト長が決められるように所定の長さを有し、１対の雌雄のアジャスター付きバックルからなる連結差込具５３と連結受具５４においてアジャスター機能を有することで、使用者Ｍの腰の周囲の長さに合わせることができる。なお、アジャスターは、ベルト長を調節できるものであれば、独立したアジャスターでもよいし、連結具と一体となったものでもよい。
【００７８】
縦幅が幅広な本体ベルト部５１は、例えば、表生地１１０及び裏生地１２０の外装生地１５０の間に緩衝材を入れた所定の柔軟性、可撓性、弾性、硬度等を有する材料で形成され、使用者Ｍへの腰回りへの馴染みを良くし、食い込まない程度にフィット性を高め、使用者Ｍの腰回りに掛かる荷重を分散しやすくして、使用者Ｍへの負担を少なくしている。  好ましくは、本体ベルト部５１においても、それを構成する外装生地１５０の全体または一部に上述したような通気性を有する生地を使用することで、蒸れ等を防止して、不快感を軽減できる。また、少なくとも使用者Ｍの腰回りに触れる内面側を吸水性のある綿生地等で形成することによっても吸湿性が向上する。
【００７９】
本発明を実施する場合には、表生地１１０及び裏生地１２０の外装生地１５０の間に、緩衝材として硬質なウレタンやポリオレフィン系発泡体からなる芯材及び軟質なウレタンやポリオレフィン系発泡体からなるクッション材を使用して本体ベルト部５１を形成することもできるし、表生地１１０及び裏生地１２０の外装生地１５０の間に、緩衝材としての立体網状構造体１００を入れて本体ベルト部５１を構成することも可能である。
【００８０】
特に、本体ベルト部５１においては、緩衝材としての立体網状構造体１００を配設することによって、ウレタン、ポリオレフィン系発泡体と比較して、軽量で通気性が高く、蒸れ等を軽減でき衛生的に保つことが可能となる。
つまり、立体網状構造体１００が通気性に優れることで、空気の通り道が形成されており、使用者Ｍの動きによっても、立体網状構造体１００内の空間の体積変化が生じることで空気の流れが促進されることから、湿気や熱が滞留し難く、蒸れ等を軽減できる。
【００８１】
特に、立体網状構造体１００の全体または一部が通気性を有する生地で覆われていると、新鮮な空気が取り入れられ湿気や熱が逃れやすい。また、立体網状構造体１００の高い空隙率により、使用者Ｍの汗等の湿気の発生に対しても、その湿気を収容できる容積を有するも、使用者Ｍの動きの動きが立体網状構造体１００内の空気層の体積変化となって、空気層の空気が排出及び供給されるから、通気性を有する生地を介して使用者Ｍや乳幼児Ｂの身体から発汗した汗を速やかに吸収でき、また、使用者Ｍや乳幼児Ｂの身体の湿気や熱を逃すことができる。よって、立体網状構造体１００に湿気や熱がこもることなく、暑さや蒸れを軽減でき、長時間の使用に対しても部分的に異常に体温が上昇することが防止されて、発汗対策、蒸れ対策にもなり、使用者Ｍの腰回りの蒸れ感による不快感を軽減できる。
【００８２】
勿論、本体ベルト部５１を構成する表生地１１０及び裏生地１２０の両面、即ち、使用者Ｍの身体にあてがわれる面及びそれとは反対面との本体ベルト部５１の表裏面で、通気性を有する生地を使用した場合には、立体網状構造体１００の通気性及び表裏の生地の通気性によって、厚み方向にも通気量が増すことで、蒸れがより一層軽減される。
【００８３】
そして、このように立体網状構造体１００を本体ベルト部５１の緩衝材として使用した際には、本体ベルト部５１が通気性に優れ湿気や熱が滞留し難いことで、ウレタン、ポリオレフィン系発泡体と比較して、細菌・カビも繁殖し難く、使用者Ｍからの汗の染み込みや細菌・カビの繁殖による臭気を防止することができる。更に、立体網状構造体１００によれば、連続した空間によって、通気性及び透水透湿性に優れることで、速乾性を有することから、洗濯しても水分の乾きが速くて、乾燥までに細菌が繁殖する恐れもなく、洗濯によって衛生さ、清潔さを保つことができる。よって、衛生特性が向上する。また、立体網状構造体１００を構成する連続線条体１０１が合成樹脂からなり、それらは不規則に蛇行して絡み合っており、かつ、蛇行した状態で随所に融着しているから、繰り返しの洗濯に耐える強度を有し、繰り返し洗濯してもクッション性が低下し難い。
【００８４】
更に、連続線条体１０１が３次元状に絡み合い、連続した空間を有する立体網状構造体１００の配設によって使用者Ｍの腰回りの受圧面積が広くなり、使用者Ｍにかかる圧力が分散されやすく、使用者Ｍが感じる重さを軽減できる。
特に、本体ベルト部５１に配設する立体網状構造体１００は、厚みが３ｍｍ〜３０ｍｍの範囲内が好ましく、より好ましくは、３ｍｍ〜１０ｍｍの範囲内である。そして、２５％圧縮時硬さが、１０Ｎ／φ２００〜２００Ｎ／φ２００以下の範囲内であれば、適度な弾性を有して、別途、硬質な芯材を用いなくとも使用者Ｍの腰回りに掛かる応力の集中が回避され、更に、適度な柔らかさがあることで、腰ベルト部５０の浮きが防止されて腰ベルト部５０を使用者Ｍの体型に応じて腰回りの曲線に沿ってフィットさせることができる。これより、馴染みが良くて使用者Ｍの腰回りに掛かる荷重が分散されやすく、特定の箇所で重みが集中しないので使用者Ｍの負担が軽減され、長時間の着用でも痛み等の不快感を感じ難くなる。そして、所定の硬さの立体網状構造体１００によって使用者Ｍの腰回りの体形に沿ってフィットし易くても、立体網状構造体１００が通気性を有することで、蒸れ難い。特に、使用者Ｍの腰回りにおいて、背腹部に比べて膨らみがないフラットな腰の背後側でも、フィットさせることが可能であり、おんぶしたときでも腰の背後にかかる負担が軽減され、楽になる。
また、立体網状構造体１００によれば、従来のウレタン、ポリオレフィン系発泡体からなる緩衝材と比較して、同等の緩衝作用としても軽量であり、装着する使用者Ｍにとっての重さや持ち運びの負担を少なくできる。
【００８５】
なお、本発明を実施する場合には、本体ベルト部５１に硬質のウレタン、ポリオレフィン系発泡体からなる芯材を配設し、身体への当たりを良くするために、使用者Ｍ側に立体網状構造体１００を配設する構成としてもよい。これによっても立体網状構造体１００が通気性に優れるため、湿気や熱が滞留し難いことで蒸れ等を軽減できる。また、立体網状構造体１００によって体圧が分散され、使用者Ｍの負担を軽減できる。
また、腰ベルト部５０の本体部１０や補助支持部２０への接続は、縫製であってもよいし、係合手段等による取付け、取り外し自在な構成であっても良い。
【００８６】
更に、本実施の形態のベビーキャリア１においては、補助保持部２０が本体部１０と共に腰ベルト部５０に縫い合わされている。
この補助保持部２０は、本体部１０の乳幼児Ｂ側に配設されて、その下端部が腰ベルト部５０に本体部１０と共に一体に取付けられているも、それ以外は本体部１０と分離自在とされており、本体部１０とは反対側で乳幼児Ｂの身体にあてがわれる。乳幼児Ｂを対面抱っこや前向きおんぶで保持する際には、乳幼児Ｂの反背側、即ち、股側や腹側にあてがわれることになる。
【００８７】
なお、図において、補助保持部２０は、本体部１０と腰ベルト部５０の接続横幅よりも内方にて本体部１０と共に腰ベルト部５０に縫製され、上方に延びた自由端の他端側に向かって徐々に幅広とした略台形状を呈している。補助保持部２０と腰ベルト部５０の関係も全体として略逆Ｔ字状に配設され、補助保持部２０の下端のみの縫製によって腰ベルト部５０に一体に接続されており、腰ベルト部５０の面方向に対して補助保持部２０も直角方向に折れ曲がり自在となっている。
【００８８】
そして、本実施の形態においては、本体部１０とは反対側で乳幼児Ｂの身体にあてがわれる補助保持部２０においても緩衝材としての立体網状構造体１００が配設される。
ここでも、緩衝材としての立体網状構造体１００が表生地１１０及び裏生地１２０からなる外装生地１５０で覆われて、補助支持部２０を構成している。つまり、袋状に閉じられた表生地１１０及び裏生地１２０からなる外装生地１５０に緩衝材としての立体網状構造体１００が入れられて補助支持部２０が構成されている。これにより、補助支持部２０は所定の柔軟性、可撓性、弾性等を有し、乳幼児Ｂの体形に無理が加わらないようにする。
更に、補助保持部２０においても、乳幼児Ｂ側または使用者Ｍ側の外装生地１５０、或いはその両方の表裏の外装生地１５０において、一部または全部に通気性を有する生地が使用される。
【００８９】
このように本実施の形態のベビーキャリア１において、本体部１０とは反対側の乳幼児Ｂの身体にあてがわれる補助保持部２０を設け、保持する乳幼児Ｂと使用者Ｍとの間で通気性を有する生地で被覆された立体網状構造体１００を配設することにより、乳幼児Ｂと使用者Ｍの間に空気の通り道ができ、湿気や熱が逃れやすくなるため異常な保温状態に至らない。また、乳幼児Ｂや使用者Ｍの動きによっても、立体網状構造体１００の空間（空気層）の体積変化が生じることから空気の流れが生じて、新鮮な空気の供給及び湿気や熱の高い空気の排出が促進される。更に、汗等の湿気の発生に対しても、立体網状構造体１００がその湿気を収容できる容積を有し、使用者Ｍの体や乳幼児Ｂの体から発汗した汗は速やかに吸収されるが、立体網状構造体１００の空間が連続していることによって、吸収した湿気は外部に放散されやすく、湿気や熱がこもり難い。よって、使用者Ｍ及び乳幼児Ｂの密着による暑さやむれは著しく軽減され、発汗対策、汗疹対策にもなり、乳幼児Ｂを保持したときにベトベト感、ジトジト感が生じない。更に、乳幼児Ｂ及び使用者Ｍの体形や動きが変化しても、補助保持部２０の追随変化によって違和感がない。加えて、使用者Ｍと乳幼児Ｂの間に補助保持部２０が介在することで、使用者Ｍの衣類に乳幼児Ｂの体温によって生じる皺が入るのを防止できる。また、立体網状構造体１００を覆う外装生地１５０が通気性を有さなくとも、連続線条体１０１の密度を高めると、空気を保持して断熱効果が得られる。
【００９０】
そして、このように立体網状構造体１００が通気性を有し湿気や熱が滞留し難いことから、また、合成樹脂からなる連続線条体１０１の不規則に蛇行した絡み合いによって連続線条体１０１の多くがループ状で合成樹脂屑も出にくいことから、細菌・カビも繁殖し難く、乳幼児Ｂや使用者Ｍからの汗の染み込みや細菌・カビの繁殖による臭気を防止することができる。更に、連続した空間によって、通気性及び透水透湿性に優れることで、速乾性を有することから、洗濯しても水分の乾きが速くて、乾燥までに細菌が繁殖する恐れもなく、洗濯によって衛生さ、清潔さを保つことができる。また、立体網状構造体１００を構成する連続線条体１０１が合成樹脂からなり、それらは不規則に蛇行して絡み合っており、かつ、蛇行した状態で随所に融着しているから、繰り返しの洗濯に耐える強度を有し、繰り返し洗濯してもクッション性が低下し難い。
加えて、立体網状構造体１００の適度なクッション性によって快適な抱き心地が得られる。
【００９１】
そして、補助保持部２０に配設される立体網状構造体１００は厚みが３ｍｍ以上、２０ｍｍ以下の範囲内、より好ましくは３ｍｍ以上、１０ｍｍ以下の範囲内のものが使用されることで、緩衝機能が発現されやすく、また、乳幼児Ｂや使用者Ｍの身体形状に対応して屈曲可能な程度に可撓性、柔軟性を有し、更に、携帯時の嵩張りも少ないものとなる。
補助保持部２０に配設する立体網状構造体１００の２５％圧縮時硬さは、１０Ｎ／φ２００以上、１５０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内である。
上記範囲内であれば、立体網状構造体１００が乳幼児Ｂと使用者Ｍの動きに追従して、体形への馴染みが良くて乳幼児Ｂと使用者Ｍの間でゴワゴワ感等の違和感のない密着感を確保することができる。
【００９２】
また、本実施の形態のベビーキャリア１においては、補助保持部２０の自由端側の左右両端部に、接続布地２５を介し、先端にアジャスター付きバックルの連結差込具２３を有する所定長の布ベルトからなる左右１対の連結調整部２２が取付けられ、また、本体部１０の乳幼児Ｂ側（外面側）の左右において背当部１２と臀当部１３の境界付近に連結差込具２３の係合に対応するバックルの連結受具２４が取付けられており、連結差込具２３と連結受具２４との連結係合により補助保持部２０の自由端側の左右側部と本体部１０の背当部１２と臀当部１３の境界付近の左右両側とを接続する所定長の接続部２１を形成する（図６参照）。
【００９３】
よって、本実施の形態のベビーキャリア１においては、本体部１０の乳幼児Ｂ側（内面側）で本体部１０と共に腰ベルト部５０に縫い付けられた補助保持部２０が、その左右両側で連結調整部２２及び連結差込具２３と連結受具２４の連結係合により形成される所定長の接続部２１によって本体部１０と接続されることで、本体部１０と補助保持部２０との間隔（距離）が固定され、本体部１０と補助保持部２０と接続部２１との間に形成された空間内で乳幼児Ｂが位置決めされる。これより、本体部１０と補助保持部２０と接続部２１との間に乳幼児Ｂが収容され、対面抱っこや前向きおんぶでは乳幼児Ｂの背側に本体部１０があてがわれ、乳幼児Ｂの反背側の腹側には補助保持部２０があてがわれ、そして、接続部２１によって乳幼児Ｂが横に倒れないように保持される。特に、接続部２１の下側において本体部１０の左右側縁部と補助保持部２０の左右側縁部との間に形成された環状の開口に乳幼児Ｂの脚が通されることになり、乳幼児Ｂの収容空間が規制されることで乳幼児Ｂのおんぶ時のそり返りや、抱っこ時に使用者Ｍの前屈姿勢等で本体部１０の頭当部１１側から乳幼児Ｂが落下してしまう事態を防止できる。更に、抱っことおんぶの切り替えを行って使用者Ｍに対する乳幼児Ｂの位置を移動するときでも、乳幼児Ｂの落下を防止して、熟練でなくとも使用者Ｍにとって抱っことおんぶの切り替えの操作を容易とする。
【００９４】
更に、本実施の形態のベビーキャリア１においては、左右１対の肩ベルト部４０が補助保持部２０の自由端側に縫い付けられている。
この左右１対の肩ベルト部４０は、その一端部が補助保持部２０の自由端側の上端部の左右に縫製によって堅固に取付けられ、その他端部が補助保持部２０の自由端側の上部の左右側部に接続布地２５を介して縫製によって堅固に取付けられている。即ち、本実施の形態の肩ベルト部４０は、補助保持部２０の上下方向に渡されている。
【００９５】
左右１対の肩ベルト部４０は、補助保持部２０及び本体部１０に直接的または間接的に接続して乳幼児Ｂの体重の多くを受けるので強度的に耐えられ、かつ、使用者Ｍの肩回りに取付けても使用者Ｍの体形に無理が掛からないように力（乳幼児Ｂの体重）の分散が行われる形態として、補助保持部２０の自由端側の上端に一体に接続し横幅が幅広な肩掛け部４１と、肩掛け部４１の他端に取付けられ補助保持部２０の自由端側の上部の左右側部側に接続する調節ベルト部４２から構成されている。
【００９６】
肩掛け部４１は、使用者Ｍの左肩または右肩に掛けられることから、所定の柔軟性、可撓性等を有する材料で形成され、使用者Ｍへの肩回りへの馴染みを良くし、フィット性を高めて使用者Ｍへの負担を少なくしている。例えば、表生地１１０及び裏生地１２０の外装生地１５０の間に緩衝材を入れて形成され、使用者Ｍの肩または首の背後の一部分が乳幼児Ｂの体重集中が生じないようにすることができる。また、肩掛け部４１においても、全体または一部に外装生地１５０に通気性を有する生地を使用することで、蒸れ等の湿気を防止して、不快感を軽減できる。更に、少なくとも使用者Ｍの肩回りに触れる内面側を吸水性のある綿生地等で形成することによっても吸湿性が向上する。
【００９７】
本発明を実施する場合には、表生地１１０及び裏生地１２０の外装生地１５０の間に、緩衝材として硬質なウレタンやポリオレフィン系発泡体からなる芯材及び軟質なウレタンやポリオレフィン系発泡体からなるクッション材を使用して肩掛け部４１を形成することもできるし、緩衝材として立体網状構造体１００を使用することも可能である。
肩掛け部４１において、緩衝材としての立体網状構造体１００を配設することによって、ウレタン、ポリオレフィン系発泡体と比較して、軽量で通気性が高く、蒸れ等を軽減でき衛生さを保つことが可能となる。
【００９８】
つまり、立体網状構造体１００が通気性に優れることで、空気の通り道が形成されており、使用者Ｍの動きによっても、立体網状構造体１００内の空間の体積変化が生じることで空気の流れが促進されることから、湿気や熱が滞留し難く、蒸れ等を軽減できる。
【００９９】
特に、立体網状構造体１００の全体または一部が通気性を有する生地で覆われていると、新鮮な空気が取り入れられ湿気や熱が逃れやすい。また、立体網状構造体１００の高い空隙率により、使用者Ｍの汗等の湿気の発生に対しても、その湿気を収容できる容積を有するも、使用者Ｍの動きの動きが立体網状構造体１００内の空気層の体積変化となって、空気層の空気が排出及び供給されるから、通気性を有する生地を介して使用者Ｍや乳幼児Ｂの身体から発汗した汗を速やかに吸収でき、また、使用者Ｍや乳幼児Ｂの身体の湿気や熱を逃すことができる。よって、立体網状構造体１００に湿気や熱がこもることなく、暑さや蒸れを軽減でき、長時間の使用に対しても部分的に異常に体温が上昇することが防止されて、発汗対策、蒸れ対策にもなり、使用者Ｍの肩回りの蒸れ感による不快感を軽減できる。
【０１００】
勿論、肩掛け部４１を構成する表生地１１０及び裏生地１２０の両面、即ち、使用者Ｍの身体にあてがわれる面及びそれとは反対面との肩掛け部４１の表裏面で、通気性を有する生地を使用した場合には、立体網状構造体１００の通気性及び表裏の生地の通気性によって、厚み方向にも通気量が増すことで、蒸れがより一層軽減される。
【０１０１】
そして、このように立体網状構造体１００を肩掛け部４１の緩衝材として使用した際には、肩掛け部４１が通気性に優れ湿気や熱が滞留し難いことで、ウレタン、ポリオレフィン系発泡体と比較して、細菌・カビも繁殖し難く、使用者Ｍからの汗の染み込みや細菌・カビの繁殖による臭気を防止することができる。更に、立体網状構造体１００によれば、連続した空間によって、通気性及び透水透湿性に優れることで、速乾性を有することから、洗濯しても水分の乾きが速くて、乾燥までに細菌が繁殖する恐れもなく、洗濯によって衛生さ、清潔さを保つことができる。よって、衛生特性が向上する。また、立体網状構造体１００を構成する連続線条体１０１が合成樹脂からなり、それらは不規則に蛇行して絡み合っており、かつ、蛇行した状態で随所に融着しているから、繰り返しの洗濯に耐える強度を有し、繰り返し洗濯してもクッション性が低下し難い。また、乳幼児Ｂのよだれや、吐き戻し等の付着に対しても、水分の乾きが速く、細菌・カビの繁殖を防止できる。
【０１０２】
更に、連続線条体１０１が３次元状に絡み合い、連続した空間を有する立体網状構造体１００の配設によって使用者Ｍの肩や背中回りの受圧面積が広くなり、使用者Ｍにかかる圧力が分散されやすく、使用者Ｍが感じる重さを軽減できる。
特に、肩掛け部４１に配設する立体網状構造体１００は、厚みが３ｍｍ〜３０ｍｍの範囲内が好ましく、より好ましくは、３ｍｍ〜１０ｍｍの範囲内である。そして、２５％圧縮時硬さが、１０Ｎ／φ２００〜２００Ｎ／φ２００以下の範囲内であれば、適度な弾性を有して、別途、硬質な芯材を用いなくとも使用者Ｍの肩回りに掛かる応力の集中が回避されて食い込みが少なく、更に、適度な柔らかさがあることで、馴染みが良くて使用者Ｍの肩回りに掛かる荷重が分散されやすく、特定の箇所で重みが集中しないので使用者Ｍの負担が軽減され、長時間の着用でも痛み等の不快感や肩凝りを感じ難くなる。そして、所定の硬さの立体網状構造体１００によって使用者Ｍの肩回りの体形に沿ってフィットし易くても、立体網状構造体１００が通気性を有することで、蒸れ難い。
【０１０３】
また、立体網状構造体１００によれば、従来のウレタン、ポリオレフィン系発泡体からなる緩衝材と比較して、同等の緩衝作用としても軽量であり、装着する使用者Ｍにとっての重さや持ち運びの負担を少なくできる。
なお、本発明を実施する場合には、肩掛け部４１に硬質のウレタン、ポリオレフィン系発泡体からなる芯材を配設し、身体への当たりを良くするために、使用者Ｍ側に立体網状構造体１００を配設する構成としてもよい。これによっても立体網状構造体１００が通気性に優れるため、湿気や熱が滞留し難いことで蒸れ等を軽減できる。また、立体網状構造体１００によって体圧が分散され、使用者Ｍの負担を軽減できる。
【０１０４】
そして、図において、肩掛け部４１の一端部に接続する調節ベルト部４２は、使用者Ｍの肩回りへの取付けに必要なベルト長が決められるように所定の長さを有する布ベルトからなるベルト部４２ａと、肩掛け部４１への接続側に配設されたアジャスタ４２ｂと補助保持部２０の左右側部への接続側に配設されたアジャスタ４２ｃとから構成される。
このように、所定長のベルト部４２ａの長さ方向の一端側にアジャスタ４２ｂが取付けられ、また、他端側でもアジャスタ４２ｃが取付けられていることで、ベルト長を調節自在とし、肩ベルト部４０の長さを使用者Ｍの肩に掛け、背後に回すその肩回り長さに合わせることができる。
【０１０５】
また、左右１対の肩ベルト部４０の肩掛け部４１には、本体部１０と接続するための回転式のバックルの連結差込具４３が取付けられている。この連結差込具４３が、本体部１０の乳幼児Ｂ側（内面側）で頭当部１１と背当部１２の境界付近の左右両側から乳幼児Ｂ側に突設した接続部１４の先端に取付けた回転式バックルの連結受具４４と連結係合することにより、回転式バックルの連結差込具４３及び連結受具４４と接続部１４とによって肩ベルト部４０と本体部１０が接続され、人為的にバックルの係合を外さない限り、肩ベルト部４０と本体部１０の接続状態が固定され、本体部１０と補助時支持部２０の間に収容された乳幼児Ｂの保持を可能とする。
【０１０６】
更に、本実施の形態の肩掛け部４１には、左右の肩ベルト部４０間の間隔を調整保持する肩ベルト調整部４６が設けられている。この肩ベルト調整部４６は、左肩に掛ける肩掛け部４１にベルト可動用アジャスター４８を介して取付けた所定長さの調整ベルト部４６ａの先端にバックルの連結差込具４６ｃを取付け、また、右肩に掛ける肩掛け部４１にベルト可動用アジャスター４８及びベルト布４６ｂを介してバックルの連結受具４６ｄを取付けており、連結差込具４６ｃと連結受具４６ｄが係合自在となっている。そして、バックルの連結差込具４６ｃのアジャスターに取付けた調整ベルト部４６ａによるベルト長の調節により、左右の肩ベルト部４０間を接続する肩ベルト調整部４６の接続長さを調節して、左右の肩ベルト部４０相互間の間隔（距離）が調整できるようになっている。なお、本発明を実施する場合には、連結差込具４６ｃと連結受具４６ｄの両者にアジャスター機能を設けても良いし、何れか一方のみでもよいし、アジャスター機能を独立させてもよい。
【０１０７】
これにより、左右の肩ベルト部４０を肩に掛けた状態で、肩ベルト調整部４６の連結差込具４６ｃと連結受具４６ｄを連結係合することで、左右の肩ベルト部４０の間隔が固定されて所定の距離を保つことができ、左右の肩ベルト部４０が肩から外れることがなくなる。また、アジャスターに取付けた調整ベルト部４６ａによるベルト長によるベルト長の調節により、使用者Ｍの体型、使い勝手、好みや乳幼児Ｂの抱き方等に応じて、乳幼児Ｂの体重を支持する支点を使用者Ｍにとって負担の少ない位置に調節できる。よって、肩の凝りやすい人でも、肩の負担を軽減できる。
【０１０８】
加えて、本実施の形態の肩ベルト調整部４６は、肩掛け部４１の表面上に沿って配設したスライドベルト４７に対して４方向にベルト通し部があるベルト可動用アジャスター４８を介して摺動自在とされ、肩ベルト調整部４６の位置が肩掛け部４１の表面上で移動自在となっている。
したがって、左右１対の肩ベルト部４０を使用者Ｍの肩に掛けた際でも肩ベルト調整部４６の位置を移動させて肩ベルト調整部４６の連結差込具４６ｃと連結受具４６ｄの連結係合の位置を使用者Ｍにとって連結係合の操作がし易い最適な位置に調節できる。また、使用者Ｍの体型、使い勝手、好みや乳幼児Ｂの抱き方等に応じて、乳幼児Ｂの体重を支持する支点を使用者Ｍにとって負担の少ない位置に調節できる。これによっても、肩の凝る人には肩の負担を軽減できる。
因みに、本発明を実施する場合には、左右の肩ベルト部４０相互間の間隔（距離）を調節したり、固定したりする手段は、バックルの連結やバックルの摺動によるものに限定されることはない。また、これらの機能は一つの部材で行ってもよいし、別々の部材で行ってもよい。
【０１０９】
なお、図においては、肩ベルト部４０の肩掛け部４１に取付けられた連結差込具４３を、肩掛け部４１に取付けた被覆カバー４５によって被覆することにより、乳幼児Ｂが誤ってバックルの係合を解除してしまうのを防止している。また、プラスチックで形成されるバックルの紫外線等による劣化を防止する。更に、肩掛け部４１に乳幼児Ｂの唇が当たり、それによって乳幼児Ｂの唇が刺激され、肩ベルト部４０を舐めることがあっても、肩掛け部４１に取付けた被覆カバー４５によって被覆することにより、バックルで乳幼児Ｂの唇や舌を怪我させることがない。
【０１１０】
本実施の形態のベビーキャリア１においては、更に、本体部１０と補助保持部２０の間に渡されて配設され、長さ方向に折り畳む長さ調節によって本体部１０と補助保持部２０の間の深さの調節を自在とし、乳幼児１０の臀部の沈み深さを位置決めする位置決め座部３０を有する。この位置決め座部３０も乳幼児Ｂの身体に直接的にあてがわれることになるため、所定の柔軟性、可撓性等を有する材料で形成される。
【０１１１】
図において、位置決め座部３０は、本体部１０の背当部１２と臀当部１３の境界部付近から一体に延びて中心側に向かって徐々に幅狭とされたのち、反対側の他端部に向かって徐々に幅広とされ、乳幼児Ｂを対面抱っこや前向きおんぶで保持する際に乳幼児１０の臀部にあてがわれる第２の臀当部３１と、第２の臀部当部３１から一定の横幅で一体に延びて形成され長さ寸法を調節可能とする長さ調節部３２とからなる。
【０１１２】
第２の臀当部３１から一体に形成された長さ調節部３２は、横幅が一定に形成され、本体部１０及び補助保持部２０の対向側とは反対の裏面側に、その長さ寸法を調節可能とするための調節具としてのスライド式ファスナ３３の１対の雌側３３ａと雄側３３ｂを有し、このスライド式ファスナ３３の１対の雌側３３ａと雄側３３ｂは、所定距離、離れて取付けられている。
【０１１３】
よって、長さ調節部３２において所定距離、離して取付けたスライド式ファスナ３３の１対の雌側３３ａと雄側３３ｂを合わせて閉じることにより、雌側３３ａと雄側３３ｂの間の長さが折り畳まれた状態で固定され、本体部１０と補助保持部２０の間を接続する位置決め台座部３０の長さが短縮されることになる。一方、スライド式ファスナ３３の１対の雌側３３ａと雄側３３ｂの係合を解除している状態では折り畳みが展開され、位置決め台座部３０は本来の長さによって本体部１０と補助保持部２０の間を接続する。
【０１１４】
これより、本体部１０と補助保持部２０との間に乳幼児Ｂを配置した際、本体部１０と補助保持部２０の間を渡す位置決め台座部３０のスライド式ファスナ３３の１対の雌側３３ａと雄側３３ｂの係合がなされていない状態では、本体部１０と補助保持部２０の間に配設された位置決め台座部３０の長さが長いため、本体部１０と補助保持部２０の間の深さが深く、本体部１０と補助保持部２０の間に収容されて位置決め台座部３０に臀部が受け止められる乳幼児Ｂは、その臀部の沈み深さが深くなる。即ち、乳幼児Ｂの臀部が低い位置で位置決めされることになる。
【０１１５】
一方で、本体部１０と補助保持部２０の間を渡す位置決め台座部３０のスライド式ファスナ３３の１対の雌側３３ａと雄側３３ｂを合わせて閉じた係合状態では、１対の雌側３３ａと雄側３３ｂ間の長さが折り畳まれて本体部１０と補助保持部２０の間を接続している位置決め台座部３０の接続長さが短縮されることから、位置決め台座部３０によって本体部１０と補助保持部２０の間の深さが底上げされ、本体部１０と補助保持部２０の間に収容されて位置決め台座部３０に臀部が受け止められる乳幼児Ｂは、その臀部の沈み深さが浅くなる。即ち、乳幼児Ｂの臀部が高い位置で位置決めされることになる。
【０１１６】
したがって、本実施の形態のベビーキャリア１によれば、保持対象とする乳幼児Ｂの身長が低いときには、本体部１０と補助保持部２０の間に渡されて配設された位置決め台座部３０のスライド式ファスナ３３の１対の雌側３３ａと雄側３３ｂを係合させて、位置決め台座部３０において本体部１０と補助保持部２０の間の接続長さを短くすることで、乳幼児Ｂの臀部の沈みが高い位置で位置決めされることから、保持する乳幼児Ｂの身長が低くても本体部１０と乳幼児Ｂの位置関係において乳幼児Ｂの頭部が低い位置とならず、乳幼児Ｂの頭部が頭当部１１に適切に配置され、本体部１０と補助保持部２０の間で乳幼児Ｂの身体が沈み込む姿勢とならずに、負担の少ない快適な姿勢で乳幼児Ｂが安定して保持される。
【０１１７】
そして、保持対象とする乳幼児Ｂの身長が高いときには、即ち、成長により乳幼児Ｂが大きくなった際には、スライド式ファスナ３３の１対の雌側３３ａと雄側３３ｂの係合を解いて、位置決め台座部３０において本体部１０と補助保持部２０の間の接続長さを本来の長さに展開することで、乳幼児Ｂの臀部の沈みが低い位置で位置決めされることから、乳幼児Ｂの身体に対して適切な位置で本体部１０の頭当部１１、背当部１２、臀当部１３があてがわれ、負担の少ない快適な姿勢で乳幼児Ｂが安定して保持される。
【０１１８】
また、乳幼児Ｂを使用者Ｍの背中側で使用者Ｍと同一方向に向けた前向きおんぶする場合では、本体部１０及び補助保持部２０の間を接続する位置決め台座部３０の長さを短くして乳幼児Ｂの臀部の位置を高くできることで、乳幼児Ｂの位置を使用者Ｍの腰の位置からより離れた位置で保持できることになるから、使用者Ｍの背骨と乳幼児Ｂの背骨が反発することなく使用者Ｍの曲線状の背骨ラインの形状に対して乳幼児Ｂの曲線状の背骨ラインの形状が沿いやすく、使用者Ｍに乳幼児Ｂが密着しやすくなる。よって、使用者Ｍ及び乳幼児Ｂにとって楽な姿勢で快適な保持が可能となる。特に、乳幼児Ｂをおんぶする使用者Ｍは抱っこよりも乳幼児Ｂの重みを感じ難くなり、楽に保持できる。また、使用者Ｍに乳幼児Ｂが密着しやすくなることによって、乳幼児Ｂの後方への反り返りが生じ難い状態のものとなる。
なお、本体部１０及び補助保持部２０の間の長さを本来の長さとした位置決め台座部３０に乳幼児Ｂの臀部を着地させて低い位置でおんぶする場合でも、補助保持部２０と本体部１０が接続部２１によって接続されて、補助保持部２０と本体部１０と接続部２１によって形成される環状に乳幼児Ｂの脚が通されていることで、乳幼児Ｂの反り返りによる落下を防止できる。
【０１１９】
このような位置決め座部３０においても、乳幼児Ｂの身体にあてがわれることから、所定の柔軟性、可撓性等を有する材料で形成され、例えば、表生地１１０及び裏生地１２０の外装生地１５０の間に緩衝材を入れて形成することで、乳幼児Ｂの、抱き心地、座り心地を快適にできる。例えば、乳幼児１０の臀部にあてがわれる第２の臀当部３１において、それを構成する表生地１１０及び裏生地１２０との相互間に立体網状構造体１００を配設することにより、乳幼児Ｂの臀部を柔らかく受けることがき、臀部の落ち込みを容易とし、乳幼児Ｂの重心位置を安定して保持安定性を高めることができる。そして、長時間保持する場合でも、乳幼児Ｂの臀部へのフィット性が高く、臀部にかかる圧力が分散されることで快適な座り心地となり、乳幼児Ｂの臀部への負担が軽減される。
【０１２０】
位置決め座部３０に配設する立体網状構造体１００の２５％圧縮時硬さは、１０Ｎ／φ２００以上、１５０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内である。
上記範囲内であれば、乳幼児Ｂの臀部を落ち込み易くし、臀部の重心位置を安定化させて位置ずれを防止することにより、乳幼児Ｂの安定した沈みを得て保持安定性を高め、使用者Ｍ及び乳幼児Ｂにとって負担の少ない快適な姿勢での保持を可能とする。また、乳幼児Ｂの脚に触れてもそれに追従し、乳幼児Ｂの脚の動きが制限され難い。殊に、首据わり前の低月齢の乳幼児Ｂを保持する際でも、乳幼児Ｂの臀部が落ち込み易いことで、乳幼児Ｂの臀部の位置よりも高い位置で膝が曲げられ、Ｍ字開脚とする自然な開脚姿勢で、乳幼児Ｂの重心が脚側ではなく臀部にかかり、乳幼児Ｂの体形に負担の少ない保持を可能とする。
【０１２１】
本実施の形態のベビーキャリア１においては、乳幼児Ｂの身体にあてがう保持部として乳幼児Ｂの反使用者側で乳幼児Ｂの身体の臀部にあてがう部位が本体部１０の臀当部１３と位置決め座部３０の第２の臀当部３１からなるが、臀当部１３または第２の臀当部３１の何れか、或いは、臀当部１３と第２の臀当部３１の両方に立体網状構造体１００を配設することによって、乳幼児Ｂの臀部が落ち込み易くなり、乳幼児Ｂの重心位置が安定して保持安定性が向上する。また、乳幼児Ｂの臀部にかかる圧力が分散されやすくなり、座り心地が向上し、乳幼児Ｂの負担も軽減される。勿論、長さ調節部３２にも立体網状構造体１００が配設されることで、乳幼児Ｂの座り心地が向上される。しかし、本実施の形態のベビーキャリア１においては、長さ調節部３２の長さを長くした状態では、それが補助保持部２０と重なり合って乳幼児Ｂの身体の股側にあてがわれることから、位置決め座部３０に立体網状構造体１００を配設する場合、乳幼児Ｂの股側の嵩張り、ゴワツキ等を考慮し乳幼児Ｂの臀部にあてがう部位のみの部分的な配設であっても良い。勿論、ベビーキャリア１の目的等に応じて、位置決め座部３０に立体網状構造体１００を配設する場合、乳幼児Ｂの股側にあてがう部位のみの部分的な配設とすることも可能である。
【０１２２】
特に、立体網状構造体１００の通気性が高いことで、乳幼児Ｂの臀部に密着しても蒸れ難く、おむつかぶれ等も招き難い。また、上述したように、衛生面の特性も良好となる。
そして、この位置決め座部３０においても、乳幼児Ｂに直接的にあてがわれることになることから、全体または一部に外装生地に通気性を有する生地を使用することで、蒸れ等の湿気を防止して、不快感を軽減できる。また、少なくとも乳幼児Ｂに触れる上面側（表面側）を吸水性のある綿生地等で形成することによっても吸湿性が向上する。
【０１２３】
なお、折り畳みを可能とする長さ調節部３２においても、折り畳み可能な程度に柔軟性、可撓性を有し、乳幼児Ｂに違和感や不快感を与えることない程度に弾性、緩衝性を有してもよく、薄い厚みで立体網状構造体１００を配設することも可能である。
そして、この位置決め座部３０においては、乳幼児１０の重みを受ける外力が加わったときにその重力方向に弾性力が強く働いて伸長、弾性変形することのない伸縮性の少ない材料で形成される。
【０１２４】
以上、説明してきたように、本実施の形態に係るベビーキャリア１は、乳幼児Ｂを抱っこまたはおんぶにより乳幼児Ｂの身体にあてがい乳幼児Ｂを保持する保持部として本体部１０、補助保持部２０、位置決め部３０を有するベビーキャリア１において、乳幼児Ｂを保持する保持部としての本体部１０、補助保持部２０、位置決め部３０は、外装生地１５０及び外装生地１５０に包まれた緩衝材で構成され、緩衝材は合成樹脂からなる連続線条体１０１が不規則に蛇行して絡み合い、しかも、蛇行した状態で随所に融着し、連続線条体１０１間の空間が連通して通気性のある立体網状構造体１００からなるものである。
【０１２５】
即ち、本実施の形態に係るベビーキャリア１は、乳幼児Ｂの身体にあてがわれて乳幼児Ｂを保持する保持部としての本体部１０、補助保持部２０、位置決め部３０に配設され、保持部としての本体部１０、補助保持部２０、位置決め部３０を構成する一方の表生地１１０及び表生地に対向する他方の裏生地１２０からなる外装生地１５０に入れられた緩衝材が、合成樹脂からなる連続線条体１０１が不規則に蛇行して絡み合っており、かつ、蛇行した状態で随所に融着してなり、連続線条体１０１間の空間が連通して通気性のある立体網状構造体１００からなるものである。
【０１２６】
したがって、本実施の形態に係るベビーキャリア１によれば、立体網状構造体１００の配設によって、外力が加わると、それを構成する湾曲した連続線条体１０１の湾曲の曲率が変化すると共に、連続線条体１０１間の空間が変形し、外力が解除されると、連続線条体１０１が元の曲率に戻り、空間が回復するクッション性（弾力性）に優れる。特に、連続線条体１０１同士が融着されているため、受圧面積が広く、外力が加えられたときには、立体網状構造体１００の全体が変形し、少ない沈み込み深さで使用者Ｍや乳幼児Ｂの身体を支えて身体にかかる圧力を均等に分散させ、厚みが薄くても底付き感が少ないクッション性を有する。
しかも、立体網状構造体１００を構成する連続線条体１０１間の空間が連通して、通気性に優れ、特に、乳幼児Ｂや使用者Ｍの動きによっても空間が変形し、空気の流れが生じるから、湿気や熱が滞留し難く、暑さを軽減し、蒸れ等の発生を防止できる。
よって、乳幼児Ｂにとって快適な抱き心地が得られ、長時間使用して際でも乳幼児Ｂにかかる負担が軽減される。
【０１２７】
そして、このように立体網状構造体１００に湿気や熱が滞留し難いことで、細菌やカビ等も繁殖し難く、更に、連続線条体間１０１の空間が連通して通気性及び透水透湿性に優れることで、水分の乾きも速く、また、立体網状構造体１００を構成する連続線条体１０１が合成樹脂からなり、それらは不規則に蛇行して絡み合って、かつ、蛇行した状態で随所に融着しているから、繰り返しの洗濯に耐える強度を有し、繰り返し洗濯してもクッション性等の特性が低下し難い。よって、衛生さ、清潔さを維持することができる。
【０１２８】
特に、立体網状構造体１００からなる緩衝材が入れられた外装生地１５０の一部または全部が空気の出入りを許容するメッシュ状繊維に形成されると、立体網状構造体１００を構成する連続線条体１０１間の空間への新鮮な空気の供給及び連続線条体１０１間の空間が保持していた空気の排出がなされることで、乳幼児Ｂや使用者Ｍからの湿気や熱が逃れやすくなり部分的な体温の上昇を防止でき、より一層蒸れを生じ難くできる。また、衛生面の特性も向上する。更に、生地が網目構造または通気孔を複数設けたメッシュ状とすることで柔軟性やストレッチ性も増し、乳幼児Ｂや使用者Ｍの体形や動きへのフィット性、馴染みが良くなる。加えて、軽量化されるから、使用者Ｍへの負担も軽減される。
【０１２９】
このようにして、本実施の形態に係るベビーキャリア１によれば、クッション性を有するも蒸れ難くて快適な保持を可能とし、長時間乳幼児Ｂを保持しても乳幼児Ｂの疲れを少なくできる。また、衛生面の特性が向上する。
そして、ヘッドフードを使用しても湿気や熱がこもり難く、寝かしつけにも有利で、また、睡眠中の乳幼児Ｂでも過剰に汗をかくのが防止され、快適な睡眠環境を作り出すことができる。
更に、立体網状構造体１００の通気性が高く、湿気や熱が緩衝材にこもり難いことで、暑さが緩和され、蒸れが軽減されるから、発汗対策、暑さ及び蒸れ対策、汗疹対策になり、汗疹やアトピー性皮膚炎等の患部を衛生的に保つことができて悪化を防止でき、またそれらの発症を防ぐことができる。
加えて、立体網状構造体１００の連通した空隙により、アルコール等の消臭、除菌スプレーを噴霧した際でも湿気が溜まることなく、広範囲に分布できることで、清潔、衛生ささを保つことができる。
【０１３０】
そして、乳幼児Ｂの身体にあてがわれて乳幼児Ｂを保持する保持部において、使用者Ｍ側とは反対側で乳幼児Ｂの身体にあてがわれる本体部１０に、立体網状構造体１０を配設することで、乳幼児Ｂの身体に対して広い面積で支持する部位の立体網状構造体１００によって圧迫、揺れ、衝撃が緩和され、長時間使用した際でも乳幼児Ｂの姿勢に無理がかからず負担を軽減できるも、乳幼児Ｂからの汗等の湿気や熱が立体網状構造体１００に溜まり難くて効果的に乳幼児Ｂの暑さや蒸れを防止でき、乳幼児Ｂにとっての快適性がより高いものとなる。
【０１３１】
ここで、乳幼児Ｂの身体にあてがわれて乳幼児Ｂを保持する保持部としての本体部１０において、乳幼児Ｂを対面抱っこや前向きおんぶで保持する際に乳幼児Ｂの身体の頭部にあてがわれる部位としての頭当部１１に配設する立体網状構造体１００の硬さや反発力が、小さ過ぎると乳幼児Ｂの首部及び頭部がぐらついてしまったり睡眠時等に頭が後方へ垂れてしまったりするため、別途芯材が必要となる。一方で、大き過ぎると身体への当たりが強くなる。
本発明者らの実験研究によれば、２５％圧縮時硬さ（立体網状構造体１００を２００ｍｍ径の円形状の圧縮板にて７５％まで圧縮した後に再度２５％圧縮した時の応力）が、１０Ｎ／φ２００以上、１８０Ｎ／φ２００以下の範囲内、より好ましくは、１０Ｎ／φ２００以上、１３０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内、より好ましくは４ｋｇ／φ１５０以上、１０ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内であれば、別途硬質な芯材を設けなくとも、乳幼児Ｂの頭部及び首部を支持し、衝撃を緩和できる。
【０１３２】
即ち、乳幼児Ｂの身体にあてがわれて乳幼児Ｂを保持する保持部において乳幼児Ｂの頭部にあてがわれる部位に配設する立体網状構造体１００は、１０Ｎ／φ２００以上、１８０Ｎ／φ２００以下の範囲内の２５％圧縮時硬さであることが好ましく、１０Ｎ／φ２００以上、１３０Ｎ／φ２００以下の範囲内の２５％圧縮時硬さがより好ましい。
乳幼児Ｂの腹側を使用者Ｍに向けて配置する対面抱っこや前向きおんぶの際に、保持部において乳幼児Ｂの身体の頭部にあてがわれる部位に配設する立体網状構造体１００の２５％圧縮時硬さが、１０Ｎ／φ２００以上、１８０Ｎ／φ２００以下の範囲内であれば、別途硬質な芯材を設けなくとも、乳幼児Ｂの頭部及び首部を支持し、衝撃を緩和できる。
【０１３３】
また、乳幼児Ｂの身体にあてがわれて乳幼児Ｂを保持する保持部において乳幼児Ｂの頭部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、１５ｋｇ／φ１５０以下の範囲内が好ましく、４ｋｇ／φ１５０以上、１０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の頭部にあてがわれる部位に配設する立体網状構造体１００の２５％（押込量５ｍｍ）圧縮時の反発力が３ｋｇ／φ１５０以上、１５ｋｇ／φ１５０以下の範囲内であれば、別途硬質な芯材を設けなくとも、乳幼児Ｂの頭部及び首部を支持し、衝撃を緩和できる。
【０１３４】
そして、乳幼児Ｂの身体にあてがわれて乳幼児Ｂを保持する保持部において乳幼児Ｂの頭部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、１０ｋｇ／φ１５０以上、３０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の頭部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、別途硬質な芯材を設けなくとも、乳幼児Ｂの頭部及び首部を支持し、衝撃を緩和できる。
【０１３５】
また、乳幼児Ｂの身体にあてがわれて乳幼児Ｂを保持する保持部としての本体部１０において、乳幼児Ｂを対面抱っこや前向きおんぶで保持する際に乳幼児Ｂの身体の腰部から背中部にあてがわれる部位としての背当部１２に配設する立体網状構造体１００の硬さや反発力が、小さ過ぎるとおんぶ時のそり返りの防止効果が小さく、一方で、大き過ぎると身体への当たりが強くなる。
本発明者らの実験研究によれば、２５％圧縮時硬さ（立体網状構造体１００を２００ｍｍ径の円形状の圧縮板にて７５％圧縮した後に再度２５％圧縮した時の応力）が、１０Ｎ／φ２００以上、１８０Ｎ／φ２００以下の範囲内、より好ましくは、１０Ｎ／φ２００以上、１５０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内、より好ましくは３ｋｇ／φ１５０以上、１５ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは１５ｋｇ／φ１５０以上、３０ｋｇ／φ１５０以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３６】
即ち、乳幼児Ｂの身体にあてがわれて乳幼児Ｂを保持する保持部において乳幼児Ｂの背中部にあてがわれる部位に配設する立体網状構造体１００は、１０Ｎ／φ２００以上、１８０Ｎ／φ２００以下の範囲内の２５％圧縮時硬さであることが好ましく、１０Ｎ／φ２００以上、１５０Ｎ／φ２００以下の範囲内の２５％圧縮時硬さがより好ましい。
乳幼児Ｂの腹側を使用者Ｍに向けて配置する対面抱っこや前向きおんぶの際に、保持部において乳幼児Ｂの身体の背中部にあてがわれる部位に配設する立体網状構造体１００の２５％圧縮時硬さが、１０Ｎ／φ２００以上、１５０Ｎ／φ２００以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３７】
また、乳幼児Ｂの身体にあてがわれて乳幼児Ｂを保持する保持部において乳幼児Ｂの背中部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、２０ｋｇ／φ１５０以下の範囲内が好ましく、３ｋｇ／φ１５０以上、１５ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の背中部にあてがわれる部位に配設する立体網状構造体１００の２５％（押込量５ｍｍ）圧縮時の反発力が３ｋｇ／φ１５０以上、２０ｋｇ／φ１５０以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３８】
そして、乳幼児Ｂの身体にあてがわれて乳幼児Ｂを保持する保持部において乳幼児Ｂの背中部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、１５ｋｇ／φ１５０以上、３０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の背中部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３９】
更に、乳幼児Ｂの身体にあてがわれて乳幼児Ｂを保持する保持部としての本体部１０において、乳幼児Ｂを対面抱っこや前向きおんぶで保持する際に乳幼児Ｂの身体の臀部にあてがわれる部位としての臀当部１３の中央部１３Ａや位置決め台座部３０の第２の臀部当部３１に配設する立体網状構造体１００の硬さや反発力が、小さ過ぎると体圧分散効果が小さく快適な座り心地が得られない。一方で、大き過ぎると臀部の落ち込みが少なく、保持安定性に欠ける。
本発明者らの実験研究によれば、２５％圧縮時硬さ（立体網状構造体１００を２００ｍｍ径の円形状の圧縮板にて７５％圧縮した後に再度２５％圧縮した時の応力）が、１０Ｎ／φ２００以上、１５０Ｎ／φ２００以下の範囲内、より好ましくは、１０Ｎ／φ２００以上、１３０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内、より好ましくは３ｋｇ／φ１５０以上、１０ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
【０１４０】
即ち、乳幼児Ｂの身体にあてがわれて乳幼児Ｂを保持する保持部において乳幼児Ｂの臀部にあてがわれる部位に配設する立体網状構造体１００は、１０Ｎ／φ２００以上、１５０Ｎ／φ２００以下の範囲内の２５％圧縮時硬さであることが好ましく、１０Ｎ／φ２００以上、１３０Ｎ／φ２００以下の範囲内の２５％圧縮時硬さがより好ましい。
乳幼児Ｂの腹側を使用者Ｍに向けて配置する対面抱っこや前向きおんぶの際に、保持部において乳幼児Ｂの身体の臀部にあてがわれる部位に配設する立体網状構造体１００の２５％圧縮時硬さが、１０Ｎ／φ２００以上、１５０Ｎ／φ２００以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
【０１４１】
また、乳幼児Ｂの身体にあてがわれて乳幼児Ｂを保持する保持部において乳幼児Ｂの臀部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、２０ｋｇ／φ１５０以下の範囲内が好ましく、３ｋｇ／φ１５０以上、１０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の臀部にあてがわれる部位に配設する立体網状構造体１００の２５％（押込量５ｍｍ）圧縮時の反発力が３ｋｇ／φ１５０以上、２０ｋｇ／φ１５０以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
【０１４２】
そして、乳幼児Ｂの身体にあてがわれて乳幼児Ｂを保持する保持部において乳幼児Ｂの臀部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、５ｋｇ／φ１５０以上、２５ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の臀部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
なお、本発明を実施する場合には、乳幼児Ｂの身体の臀部にあてがわれる部位としての臀当部１３の中央部１３Ａ及び位置決め台座部３０の第２の臀部当部３１の両方に立体網状構造体１００を配設してもよいし、臀当部１３の中央部１３Ａまたは位置決め台座部３０の第２の臀部当部３１の何れかの配設であってもよい。
【０１４３】
更にまた、乳幼児Ｂの身体にあてがわれて乳幼児Ｂを保持する保持部において、乳幼児Ｂの身体の太股にあてがわれる部位としての臀当部１３の端部１３Ｂに配設する立体網状構造体１００の硬さや反発力が、小さ過ぎると乳幼児Ｂの身体の太股への応力集中が大きく、一方で、大き過ぎても太股への圧迫が強く、太股への負担が大きい。
本発明者らの実験研究によれば、２５％圧縮時硬さ（立体網状構造体１００を２００ｍｍ径の円形状の圧縮板にて７５％圧縮した後に再度２５％圧縮した時の応力）が、１０Ｎ／φ２００以上、１８０Ｎ／φ２００以下の範囲内、より好ましくは、１０Ｎ／φ２００以上、１３０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内、より好ましくは４ｋｇ／φ１５０以上、１０ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内であれば、乳幼児Ｂの太股に触れる部位への応力集中、圧迫による負担を少なくできる。
【０１４４】
即ち、乳幼児Ｂの身体にあてがわれて乳幼児Ｂを保持する保持部において乳幼児Ｂの太股部にあてがわれる部位に配設する立体網状構造体１００は、１０Ｎ／φ２００以上、１８０Ｎ／φ２００以下の範囲内の２５％圧縮時硬さであることが好ましく、１０Ｎ／φ２００以上、１３０Ｎ／φ２００以下の範囲内の２５％圧縮時硬さがより好ましい。
乳幼児Ｂの腹側を使用者Ｍに向けて配置する対面抱っこや前向きおんぶの際に、または、乳幼児Ｂの背側を使用者Ｍに向けて配置する前向き抱っこや後ろ向きおんぶの際に、保持部において乳幼児Ｂの身体の太股にあてがわれる部位に配設する立体網状構造体１００の２５％圧縮時硬さが、１０Ｎ／φ２００以上、１８０Ｎ／φ２００以下の範囲内であれば、乳幼児Ｂの太股に触れる部位への応力集中、圧迫による負担を少なくできる。
【０１４５】
また、乳幼児Ｂの身体にあてがわれて乳幼児Ｂを保持する保持部において乳幼児Ｂの太股部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、１５ｋｇ／φ１５０以下の範囲内が好ましく、４ｋｇ／φ１５０以上、１０ｋｇ／φ１５０以下の範囲内がより好ましい。
乳幼児Ｂの腹側を使用者Ｍに向けて配置する対面抱っこや前向きおんぶの際に、または、乳幼児Ｂの背側を使用者Ｍに向けて配置する前向き抱っこや後ろ向きおんぶの際に、保持部において乳幼児Ｂの身体の臀部にあてがわれる部位に配設する立体網状構造体１００の２５％（押込量５ｍｍ）圧縮時の反発力が３ｋｇ／φ１５０以上、１５ｋｇ／φ１５０以下の範囲内であれば、乳幼児Ｂの太股に触れる部位への応力集中、圧迫による負担を少なくできる。
【０１４６】
そして、乳幼児Ｂの身体にあてがわれて乳幼児Ｂを保持する保持部において乳幼児Ｂの太股部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、１０ｋｇ／φ１５０以上、３０ｋｇ／φ１５０以下の範囲内がより好ましい。
乳幼児Ｂの腹側を使用者Ｍに向けて配置する対面抱っこや前向きおんぶの際に、または、乳幼児Ｂの背側を使用者Ｍに向けて配置する前向き抱っこや後ろ向きおんぶの際に、保持部において乳幼児Ｂの身体の臀部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、乳幼児Ｂの太股に触れる部位への応力集中、圧迫による負担を少なくできる。
【０１４７】
なお、上記２５％圧縮時硬さとは、ＪＩＳ  Ｋ  ６４００−２に準拠して、立体網状構造体１００を２００ｍｍ径の円形状の圧縮板にて垂直方向に初めの厚さの７５％まで圧縮して押し込んだ後、直ちに荷重を除き、再び直ぐに初めの厚さの２５％まで押し込み、静止後２０秒経過時の荷重を測定して得られたものである。
また、上記反発力は、厚さ２０ｍｍの立体網状構造体１００を１５０ｍｍ径の円形状の圧縮板にのせ垂直方向に円板中央で荷重を加え、立体網状構造体１００が５ｍｍ、１０ｍｍまで押し込んだ際に加わっている荷重を測定して得られたものである。
荷重の測定器具としては、例えば、株式会社イマダ製のデジタルフォースゲージＺＰＳ、ロードセルＺＰＳ−ＤＰＵ−１０００Ｎ等がある。
【０１４８】
また、本実施の形態に係るベビーキャリア１によれば、更に、本体部１０とは反対側で乳幼児Ｂの身体にあてがわれる補助保持部２０を有し、この補助保持部２０に立体網状構造体１００を配設することで、即ち、乳幼児Ｂを保持する使用者Ｍ側で乳幼児Ｂの身体にあてがわれる補助保持部２０が、補助保持部２０を構成する一方の表生地１１０及び表生地１１０に対向する他方の裏生地１２０からなる外装生地１５０に包まれた立体網状構造体１００からなることで、立体網状構造体１００を覆う外装生地１５０が通気性を有する場合には、空気の通り道が確保されて、使用者Ｍや乳幼児Ｂからの汗等の湿気や熱を逃すことができる。よって、部分的な体温の上昇を防止でき、蒸れを生じ難くできる。また、立体網状構造体１００を覆う外装生地１５０が通気性を有さなくとも、連続線条体１０１間の空間が空気を収容して、立体網状構造体１００による断熱効果が得られる。
したがって、使用者Ｍと乳幼児Ｂの相互間の熱の伝わりが遮断されて両者の密着による熱や湿気の溜まりを防止し、部分的な体温の上昇や蒸れを生じ難くできる。これより、使用者Ｍ及び乳幼児Ｂにとって蒸れ等による不快感を軽減し、保持の快適性を向上させることができる。
【０１４９】
そして、乳幼児Ｂを保持する使用者Ｍの肩に装着される肩ベルト部４０においても、肩ベルト部４０を構成する一方の表生地１１０及び表生地１１０に対向する他方の裏生地１２０からなる外装生地１５０に緩衝材として立体網状構造体１００が配設されると、使用者Ｍの肩、背中に掛かる応力が分散され、肩が凝りやすい使用者Ｍでもその負担が軽減される。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの肩回りに装着した際でも、蒸れ等の発生を防止できる。
【０１５０】
つまり、本実施の形態に係るベビーキャリア１によれば、更に、前記乳幼児を保持する使用者の肩に装着される肩ベルト部４０を有し、この肩ベルト部４０に立体網状構造体１００を配設し、肩ベルト部４０を構成する一方の表生地１１０及び表生地１００に対向する他方の裏生地１２０からなる外装生地１５０に入れられた立体網状構造体１００で緩衝材を構成することで、即ち、肩ベルト部４０が、肩ベルト部４０を構成する表生地１１０及び表生地１１０に対向する裏生地１２０からなる外装生地１５０に包まれた立体網状構造体１００からなることで、立体網状構造体１００によって使用者Ｍの肩回りに掛かる応力を分散できて、使用者Ｍの負担を軽減できる。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの肩回りに装着した際でも、蒸れ等の発生を防止できる。
なお、肩ベルト部４０は、使用者Ｍの両肩に装着されるものであってもよいし、使用者Ｍの一方の肩のみに装着され形態ものであってもよい。
【０１５１】
更に、腰ベルト部５０を構成する一方の表生地１１０及び表生地１１０に対向する他方の裏生地１２０からなる外装生地１５０に緩衝材として立体網状構造体１００が配設されると、立体網状構造体１００によって使用者Ｍの腰回りに掛かる応力が分散され、使用者Ｍの負担が軽減される。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの肩回りに装着した際でも、蒸れ等の発生を防止できる。
【０１５２】
つまり、本実施の形態に係るベビーキャリア１によれば、更に、前記乳幼児を保持する使用者の腰回りに装着される腰ベルト部５０を有し、この腰ベルト部５０に立体網状構造体１００を配設し、腰ベルト部５０を構成する一方の表生地１１０及び表生地１００に対向する他方の裏生地１２０からなる外装生地１５０に入れられた立体網状構造体１００で緩衝材を構成することで、即ち、腰ベルト部５０が、腰ベルト部５０を構成する表生地１１０及び表生地１１０に対向する裏生地１２０からなる外装生地１５０に包まれた立体網状構造体１００からなることで、立体網状構造体１００によって使用者Ｍの腰回りに掛かる応力を分散できて、使用者Ｍの負担を軽減できる。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの腰回りに装着した際でも、蒸れ等の発生を防止できる。
【０１５３】
ここで、上記実施の形態に係るベリーキャリア１においては、本体部１０、補助支持部２０及び位置決め台座部３０によって、乳幼児Ｂを抱っこまたはおんぶにより乳幼児Ｂの身体にあてがい乳幼児Ｂを保持する保持部を構成している。
しかし、本発明を実施する場合には、本体部１０のみで保持部が構成されることもあるし、本体部１０及び補助保持部２０のみで保持部が構成されることもある。
【０１５４】
即ち、上記実施の形態のベビーキャリア１では、乳幼児Ｂの臀部の沈み深さ、即ち、乳幼児Ｂの保持の高さ位置を調節可能とするために、本体部１０及び補助保持部２０の対向側で位置決め座部３０を配設しているが、本発明を実施する場合には、位置決め座部３０は必ずしも必要とするものではない。
【０１５５】
また、上記実施の形態のベビーキャリア１においては、乳幼児Ｂの胴体が横に倒れないように保持するとして、連結差込具２３と連結受具２４との連結係合により補助保持部２０の自由端側の左右側部と本体部１０の背当部１２と臀当部１３の境界付近の左右両側とを接続する所定長の接続部２１を形成しており、本体部１０と補助支持部２０が分離自在であるため、スライド式ファスナ３３の係合操作を容易にできるが、本発明を実施する場合には、本体部１０と補助支持部２０を分離不可能として、乳幼児Ｂの脚用の開口を形成する構成としても良い。
【０１５６】
更に、上記実施の形態のベビーキャリア１では、乳幼児Ｂを保持する保持部としての本体部１０及び補助保持部２０について、乳幼児Ｂを対面抱っこや前向きおんぶで保持する際に本体部１０が乳幼児Ｂの身体の背側にあてがわれ、補助保持部２０が本体部１０とは反対側で乳幼児Ｂの身体の腹側にあてがわれて乳幼児Ｂ及び使用者Ｍの間に介在されるものとして説明をしてきたが、本発明を実施する場合には、ベビーキャリア１の目的とする保持形態等に応じ、例えば、乳幼児Ｂの身体の背側を使用者Ｍに向ける前向き抱っこや、乳幼児Ｂが使用者Ｍに背を向ける後ろ向きおんぶで乳幼児Ｂを保持する抱き方とする場合には、本体部１０が乳幼児Ｂの腹側にあてがわれ、補助保持部２０が乳幼児Ｂの背側にあてがわれることもある。また、本体部１０及び補助保持部２０が重なり合った状態で、乳幼児Ｂの身体の背側または腹側にあてがう使用形態とすることも可能である。
【０１５７】
そして、乳幼児Ｂを保持する保持部としての本体部１０及び補助保持部２０の両方において立体網状構造体１００からなる緩衝材の使用が好ましいが、どちらか一方のみであってもよい。本体部１０及び補助保持部２０の両方において立体網状構造体１００からなる緩衝材が使用されると、本体部１０及び補助保持部２０間に配設された乳幼児Ｂを取り巻く範囲で湿気や熱が滞留し難く、身体の周囲で蒸れが防止され、乳幼児Ｍの体温が上昇し難く、使用者Ｍ及び乳幼児Ｂにとっての蒸れ等による不快感がより一段と軽減され、快適性が高くなる。
【０１５８】
そして、乳幼児Ｂを保持する保持部として、使用者Ｍとは反対側で乳幼児Ｂの身体にあてがわれる本体部１０に立体網状構造体１００が配設されると、立体網状構造体１００によって圧迫、揺れ、衝撃が緩和され、長時間使用した際でも乳幼児Ｂの姿勢に無理がかからず負担を軽減できるも、乳幼児Ｂからの汗等の湿気や熱が溜まり難く、乳幼児Ｂにとって快適性が高いものとなる。
【０１５９】
また、乳幼児Ｂを保持する保持部として、使用者Ｍ側で乳幼児Ｂの身体にあてがわれる補助保持部２００に立体網状構造体１００が配設されると、立体網状構造体１００が通気性を有する外装生地１５０で覆われた際には、空気の通り道が確保されて、使用者Ｍや乳幼児Ｂからの汗等の湿気や熱を逃すことができる。また、立体網状構造体１００を覆う外装生地が通気性を有さなくとも、連続線条体１０１間の空間が空気を収容して、立体網状構造体１００による断熱効果が得られる。したがって、使用者Ｍと乳幼児Ｂの相互間の密着による熱や湿気の溜まりを防止し、部分的な体温の上昇や蒸れを生じ難くできる。これより、使用者Ｍ及び乳幼児Ｂにとって保持の快適性を向上させることができる。
【０１６０】
特に、本実施の形態のベビーキャリア１においては、補助保持部２０及び接続部２１によって、乳幼児Ｂの落下の防止効果を高くでき、また、抱っこやおんぶの際の取り扱いが熟練者なくとも、乳幼児Ｂの配置位置が分かりやすくなる。
しかし、本発明を実施する場合、補助保持部２０は必ずしも必要とされるものでなく、省略することも可能である。
【０１６１】
即ち、本発明を実施する場合、乳幼児Ｍを保持する保持部は、乳幼児Ｂを保持する使用者Ｍ側とは反対側で乳幼児Ｂの身体にあてがう本体部１０のみの場合もあれば、乳幼児Ｂを保持する使用者Ｍ側とは反対側で乳幼児Ｂの身体にあてがう本体部１０及び本体部１０側とは反対側、即ち、使用者Ｍ側で乳幼児Ｂの身体にあてがう補助保持部２０の両方を有する場合もある。
乳幼児Ｍを保持する保持部が本体部１０のみで構成される場合には、この本体部１０に緩衝材としての立体網状構造体１００が配設されることになるが、乳幼児Ｍを保持する保持部が本体部１０及び補助保持部２０により構成される場合には、本体部１０及び補助保持部２０の両方に立体網状構造体１００を配設してもよいし、立体網状構造体１００の配設が本体部１０または補助保持部２０の何れか一方のみであってもよい。
【０１６２】
また、本発明を実施する場合、腰ベルト部５０についても必ずしも必要とされるものでなく、省略することも可能であり、乳幼児Ｂが落下しない保持形態で乳幼児Ｂの脚が出される開口を形成し、左右の肩ベルト部４０のみで乳幼児Ｂの体重を支持して乳幼児Ｂを抱いたりおんぶしたりする形態としても良い。
【０１６３】
そして、図において、肩ベルト部４０は補助保持部２０に接続されたものであるが、本発明を実施する場合には、乳幼児Ｂを保持することができれば、本体部１０のみに肩ベルト部４０が接続されても良いし、本体部１０と補助保持部２０とに肩ベルト部４０が接続された構成としても良い。何れにせよ乳幼児Ｂの身体の邪魔にならない位置に接続されて、使用者Ｍの肩が通される環状を形成するように構成されていればよい。
【０１６４】
また、上記実施の形態では、乳幼児Ｂを縦抱きに保持する形態のベビーキャリ１についての説明であったが、本発明を実施する場合には、乳幼児Ｂを寝かせた横抱き抱っこの保持形態を有するベリーキャリア１であっても良い。なお、横抱きの際には、通常、肩ベルト部４０はたすき掛けで装着される。また、縦抱き及び横抱きの両方の保持形態を可能とする構成であっても良い。
特に、横抱きの際に乳幼児Ｂの背側をあてがう保持部に立体網状構造体１００が配設されることで、横に寝かされた乳幼児Ｂの身体の背側を多方向から支持して、耐圧分散効果が高く、また、振動等を吸収でき、長時間の保持でも乳幼児Ｂの負担を少なくできる。
【０１６５】
更に、本発明を実施する場合には、外装生地１５０で立体網状構造体１００が被覆されるが、外装生地１５０から立体網状構造体１００を取り外し自在に構成してもよい。乳幼児Ｂの保持形態や成長の大きさに応じて、立体網状構造体１００を取付け及び取り外し自在とすると、乳幼児Ｂにとって快適な保持姿勢を追及することができる。また、立体網状構造体１００のみを洗濯したり、早く乾かしたりすることができ、衛生面の維持が容易となり、利便性が高くなる。特に、体勢が不安定な低月齢の乳幼児Ｂを保持する際には、上述した硬さや反発力を有する立体網状構造体１００の配設により乳幼児Ｂの保護、緩衝効果が高く、乳幼児Ｂの身体への負担を小さくできるが、成長して大きくなった乳幼児Ｂを保持する際には、立体網状構造体１００を取り外しても良好な保持姿勢が維持されやすく、乳幼児Ｂの適度な動きを開放できる。
また、例えば、夏場にはメッシュ繊維からなる通気性を有する生地で立体網状構造体１００を包み込むことで、新鮮な空気の取り入れ及び排出を行い湿気を逃し易くする一方で、冬場には、通気性のない生地で立体網状構造体１００を被覆することにより保温性が得られる。
【０１６６】
一方で、外装生地１５０に対して立体網状構造体１００を縫い付け等によって固定する形態としても良い。これにより、外装生地１５０の中で立体網状構造体１００が動いてしまうことによる偏りを防止でき、立体網状構造体１００が小さい表裏面積でも適切な位置に維持され、効果的に緩衝効果等を発揮することができ、立体網状構造体１００の使用量を抑えて、低コスト化を図ることができる。
なお、本発明を実施する場合には、本体部１０においても、適宜芯材を配設し、身体への当たりを良くするために、乳幼児Ｂ側に立体網状構造体１００を配設する構成としてもよい。これによっても立体網状構造体１００が通気性に優れるため、湿気や熱が滞留し難いことで蒸れ等を軽減できる。また、立体網状構造体１００によって体圧が分散され、乳幼児Ｂの負担を軽減できる。
【符号の説明】
【０１６７】
１      ベビーキャリア
１０    本体部（保持部）
２０    補助保持部（保持部）
４０    肩ベルト部
５０    腰ベルト部
１００    立体網状構造体
１０１    連続線条体
１１０    表生地
１２０    裏生地
１５０    外装生地
【図１】
2018089281.tif 000003
【図２】
2018089281.tif 000004
【図３】
2018089281.tif 000005
【図４】
2018089281.tif 000006
【図５】
2018089281.tif 000007
【図６】
2018089281.tif 000008
【図７】
2018089281.tif 000009
【図８】
2018089281.tif 000010
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
乳幼児を抱っこまたはおんぶにより前記乳幼児の身体にあてがい前記乳幼児を保持する保持部を有するベビーキャリアにおいて、
前記乳幼児を保持する前記保持部は、前記乳幼児を保持する使用者側とは反対側で前記乳幼児の身体にあてがう部位が、表生地及び前記表生地に対向する裏生地からなり、一部または全部が空気の出入りを許容するメッシュ状繊維で形成された外装生地に包まれた立体網状構造体を有し、
また、前記立体網状構造体は合成樹脂からなる連続線条体が不規則に蛇行して絡み合い、しかも、前記蛇行した状態で随所に融着し、前記連続線条体間の空間が連通して通気性があり、かつ、外力が加わると前記連続線条体の曲率及び前記連続線条体間の前記空間が変形し、外力が解除されると前記連続線条体が元の曲率に戻って前記空間が回復するクッション性を有することを特徴とするベビーキャリア。
【請求項２】
乳幼児を抱っこまたはおんぶにより前記乳幼児の身体にあてがい前記乳幼児を保持する保持部を有するベビーキャリアにおいて、
前記乳幼児を保持する前記保持部は、前記乳幼児を保持する使用者側で前記乳幼児の身体にあてがう部位が、表生地及び前記表生地に対向する裏生地からなり、一部または全部が空気の出入りを許容するメッシュ状繊維で形成された外装生地に包まれた立体網状構造体を有し、
また、前記立体網状構造体は合成樹脂からなる連続線条体が不規則に蛇行して絡み合い、しかも、前記蛇行した状態で随所に融着し、前記連続線条体間の空間が連通して通気性があり、かつ、外力が加わると前記連続線条体の曲率及び前記連続線条体間の前記空間が変形し、外力が解除されると前記連続線条体が元の曲率に戻って前記空間が回復するクッション性を有することを特徴とするベビーキャリア。
【手続補正２】
【補正対象書類名】明細書
【補正対象項目名】全文
【補正方法】変更
【補正の内容】
【発明の詳細な説明】
【技術分野】
【０００１】
本発明は、乳幼児を抱っこしたりおんぶしたりするときに、それを補助して運搬するベビーキャリア（子守帯）に関するもので、特に、保持時の快適さ及び衛生面の特性を向上させたベビーキャリアに関するものである。
【背景技術】
【０００２】
乳幼児を抱いたりおんぶしたりする際にベビーキャリアを使用して乳幼児を保持する場合、乳幼児の身体の一部にベビーキャリアの一部があてがわれることになるが、乳幼児は新陳代謝が活発で体温調節機能が未熟なために体温が高く、また、長時間同じ保持姿勢が維持されることから、ベビーキャリアの使用中に乳幼児及び乳幼児が密着する使用者は体温が上昇して汗をかきやすく、蒸れ等の湿気も生じやすい。
特に、使用者の身体の胸腹部側で乳幼児を縦向きに保持する抱っこや、使用者の背中側で乳幼児を縦向きで保持するおんぶでは、使用者に乳幼児が密着される保持形態であることから、使用者及び乳幼児の相互の熱の伝わりにより暑さや蒸れが生じやすく使用者や乳幼児が不快感を受けたり、長時間の使用によっては蒸れて痒くなり汗疹やおむつかぶれを発症したりする。また、乳幼児の後頭部を覆って支える、所謂、ヘッドフードを採用した際には、ヘッドフード使用時に乳幼児の身体の全体が包み込まれることになるため、より一段と乳幼児が汗をかきやすい状態となる。殊更、肌が敏感で体勢が不安定な低月齢の乳幼児にとっては、身体のグラつきを少なくして負担の少ない安定保持のために使用者との密着性を高くした保持が必要であるから、暑さや蒸れによる影響は大きいものである。
【０００３】
また、このようにベビーキャリアで乳幼児を保持する際の蒸れ等による湿気及び温度の上昇により、更に、使用者や乳幼児の体温の上昇で使用者や乳幼児の身体から発汗した汗がベビーキャリアに付着することで、そこが菌の温床となり、ベビーキャリアにおいて菌の増殖や不快臭の発生を招く恐れがある。特に、核家族化が進む現代ではベビーキャリアの使用頻度も増大傾向にあり、更に、新生児期から使えるベビーキャリアの開発によって長期間の使用が可能となっていることから、汗をかきやすい乳幼児の敏感な肌に触れるベビーキャリアについて、清潔さや衛生面を気に掛ける使用者も増えている。
【０００４】
一方で、ベビーキャリアにおいて圧迫、揺れ、衝撃の緩和性や、乳幼児の姿勢や保持の安定性といった抱き心地を追求すると、乳幼児の背側や腹側にあてがう部分ではクッション性を良くする必要があり、そのために従来、例えば、特許文献１にも記載されているように、乳幼児の背側にあてがう部分に低反発等の軟質なウレタンフォーム、ポリオレフィン系発泡体等が使用されている。また、乳幼児の身体、特に、腰から上位の沈み込みを防いで乳幼児の身体を安定した支持状態に保つために、芯材として硬質の発泡ウレタンフォーム、ポリオレフィン系発泡体等が使用されることもある。更には、使用者への負荷を軽減するために使用者に装着される肩ベルトや腰ベルトにもウレタンフォーム、ポリオレフィン系発泡体等が使用されることもある。
【先行技術文献】
【特許文献】
【０００５】
【特許文献１】特開２００６−１３００１６号公報
【発明の概要】
【発明が解決しようとする課題】
【０００６】
しかしながら、このようなウレタン素材、ポリオレフィン系発泡体は基本的に通気性や透水透湿性に劣り、内部に入り込んだ熱や湿気も外部に抜け難く内部にこもりやすいことから、暑さや蒸れを助長してしまう。特に、独立気泡の発泡型は蓄熱性があり、より一段と厚さや蒸れを助長する。また、ウレタン素材、ポリオレフィン系発泡体は、洗濯によって破損、変形したり、ヘタリが生じたりする恐れがあり、乾燥にも時間がかかるため、頻繁な洗濯は躊躇わざるを得ず、衛生的にも気がかりである。
【０００７】
そこで、本発明は、クッション性を有するも蒸れ難くて快適な保持を可能とし、衛生面の特性を向上させたベビーキャリアの提供を課題とするものである。
【課題を解決するための手段】
【０００８】
請求項１の発明のベビーキャリアは、乳幼児の身体にあてがわれて前記乳幼児を保持する保持部に緩衝材として、合成樹脂からなる連続線条体が不規則に蛇行して絡み合っており、かつ、前記蛇行した状態で随所に融着してなり、前記連続線条体間の空間が連通して通気性のある立体網状構造体を有するものである。
【０００９】
ここで、上記保持部は、乳幼児の身体にあてがわれて乳幼児を保護する部材であり、ベビーキャリアの目的（抱っこまたはおんぶ等の保持態様、対象とする乳幼児の月齢）、種類等によって、乳幼児にあてがわれる部材のみのものもあれば、乳幼児及び乳幼児を抱っこやおんぶして支持する使用者（親等）にあてがわれる部材を有することもある。即ち、乳幼児の反使用者側にあてがわれる部材のみのものもあれば、乳幼児の反使用者側にあてがわれる部材及び乳幼児の使用者側にあてがわれる部材の両方を有するものもある。また、立体網状構造体の使用が、乳幼児の反使用者側にあてがわれる部材のみに用いられることもあれば、乳幼児の使用者側にあてがわれる部材のみに用いられることもあれば、乳幼児の反使用者側にあてがわれる部材及び乳幼児の使用者側にあてがわれる部材の両方に用いられることもある。
【００１０】
そして、上記緩衝材は、緩衝作用の機能を有していれば、その目的に限定されず、例えば、クッション性（弾力性）を高めたり、身体への当たりを良くしたり、支持力を高めたり、フィット性を高めたりする等の目的で配置されるものも含まれる。
上記立体網状構造体とは、合成樹脂からなる連続線条体が不規則に蛇行し、かつ、前記蛇行した状態で随所に融着してなるクッション性を有するものである。即ち、外力によって連続線条体間の空間が変形しても、外力が解除されると空間が回復する弾性を有するものである。そして、連続線条体間の空間が連通しており、通常、７０〜９８％の高い空隙率によって、通気性を有するものである。上記立体網状構造体は、外装生地に包まれて前記保持部を構成する。
この立体網状構造体の製造技術は、後述する特許公報等で公知である。この立体網状構造体は、保持部の対向する表裏面に対して垂直方向の厚み方向の弾性変化が大きく、表裏面に平行する方向の伸縮が小さくなるように配置される。なお、表面と裏面の区別は特に問われない。このように、立体網状構造体の弾性が任意に選択できることは、再生処理する場合に選別する合成樹脂の種類が少なくて済む。そして、立体網状構造体の弾性は、乳幼児を保持していると、その保持力または乳幼児の動きにより変化し、呼吸するから、蒸れることを防止できる。
上記保持部は、前記乳幼児の身体の反使用者側であてがわれる部位が、表生地及び前記表生地に対向する裏生地からなる前記外装生地に包まれた前記立体網状構造体から構成されているものである。
前記乳幼児を抱っこまたはおんぶする使用者側とは反対側で前記乳幼児の身体にあてがう部位は、前記乳幼児を対面抱っこや前向きおんぶする際に、前記乳幼児の背側にあてがうものである。
上記立体網状構造体が入れられた外装生地の一部または全部が空気の出入りを許容するメッシュ状繊維とは、空気の流通を可能とするものであればよく、多少織目の粗い、密度の低い生地を使用したり、生地が編目状（ネット状）であったりすることに限定されず、例えば、生地に所定形状の貫通孔（開口）が複数形成されていることによって空気の流通を可能としていてもよい。
好ましくは、少なくとも乳幼児の身体にあてがわれる面の一部または全部がメッシュ状繊維で形成されているものである。
【００１１】
請求項２の発明のベビーキャリアは、乳幼児の身体にあてがわれて前記乳幼児を保持する保持部に緩衝材として、合成樹脂からなる連続線条体が不規則に蛇行して絡み合っており、かつ、前記蛇行した状態で随所に融着してなり、前記連続線条体間の空間が連通して通気性のある立体網状構造体を有するものである。
【００１２】
ここで、上記保持部は、乳幼児の身体にあてがわれて乳幼児を保護する部材であり、ベビーキャリアの目的（抱っこまたはおんぶ等の保持態様、対象とする乳幼児の月齢）、種類等によって、乳幼児にあてがわれる部材のみのものもあれば、乳幼児及び乳幼児を抱っこやおんぶして支持する使用者（親等）にあてがわれる部材を有することもある。即ち、乳幼児の反使用者側にあてがわれる部材のみのものもあれば、乳幼児の反使用者側にあてがわれる部材及び乳幼児の使用者側にあてがわれる部材の両方を有するものもある。また、立体網状構造体の使用が、乳幼児の反使用者側にあてがわれる部材のみに用いられることもあれば、乳幼児の使用者側にあてがわれる部材のみに用いられることもあれば、乳幼児の反使用者側にあてがわれる部材及び乳幼児の使用者側にあてがわれる部材の両方に用いられることもある。
【００１３】
そして、上記緩衝材は、緩衝作用の機能を有していれば、その目的に限定されず、例えば、クッション性（弾力性）を高めたり、身体への当たりを良くしたり、支持力を高めたり、フィット性を高めたりする等の目的で配置されるものも含まれる。
上記立体網状構造体とは、合成樹脂からなる連続線条体が不規則に蛇行し、かつ、前記蛇行した状態で随所に融着してなるクッション性を有するものである。即ち、外力によって連続線条体間の空間が変形しても、外力が解除されると空間が回復する弾性を有するものである。そして、連続線条体間の空間が連通しており、通常、７０〜９８％の高い空隙率によって、通気性を有するものである。上記立体網状構造体は、外装生地に包まれて前記保持部を構成する。
この立体網状構造体の製造技術は、後述する特許公報等で公知である。この立体網状構造体は、保持部の対向する表裏面に対して垂直方向の厚み方向の弾性変化が大きく、表裏面に平行する方向の伸縮が小さくなるように配置される。なお、表面と裏面の区別は特に問われない。このように、立体網状構造体の弾性が任意に選択できることは、再生処理する場合に選別する合成樹脂の種類が少なくて済む。そして、立体網状構造体の弾性は、乳幼児を保持していると、その保持力または乳幼児の動きにより変化し、呼吸するから、蒸れることを防止できる。
【００１４】
上記保持部は、前記乳幼児の身体の使用者側であてがわれる部位が、表生地及び前記表生地に対向する裏生地からなる前記外装生地に包まれた前記立体網状構造体から構成されているものである。
前記乳幼児を抱っこまたはおんぶする使用者側で前記乳幼児の身体にあてがう部位は、前記乳幼児と前記乳幼児を支持する使用者との間に配設され、前記乳幼児を対面抱っこや前向きおんぶする際に、前記乳幼児の身体の背側とは反対側の股側や腹側にあてがうものである。
上記立体網状構造体が入れられた外装生地の一部または全部が空気の出入りを許容するメッシュ状繊維とは、空気の流通を可能とするものであればよく、多少織目の粗い、密度の低い生地を使用したり、生地が編目状（ネット状）であったりすることに限定されず、例えば、生地に所定形状の貫通孔（開口）が複数形成されていることによって空気の流通を可能としていてもよい。
好ましくは、少なくとも乳幼児の身体にあてがわれる面の一部または全部がメッシュ状繊維で形成されているものである。
【発明の効果】
【００１５】
請求項１の発明に係るベビーキャリアによれば、乳幼児の身体にあてがわれて前記乳幼児を保持する保持部に配設された緩衝材が、合成樹脂からなる連続線条体が不規則に蛇行して絡み合っており、しかも、前記蛇行した状態で随所に融着してなり、前記連続線条体間の空間が連通して通気性のある立体網状構造体からなる。この立体網状構造体によれば、外力が加わると、それを構成する湾曲した連続線条体の曲率が変化すると共に、連続線条体間の空間が変形し、外力が解除されると、連続線条体が元の曲率に戻り、空間が回復するクッション性（弾力性）を表現でき、クッション性に優れる。
しかも、立体網状構造体を構成する連続線条体間の空間が連通して、通気性に優れ、特に、乳幼児や使用者の動きによっても空間が変形し、空気の流れが生じるから、湿気や熱が滞留し難く、蒸れ等の発生を防止できる。
よって、乳幼児にとって快適な抱き心地が得られ、長時間使用した際でも乳幼児にかかる負担が軽減される。
【００１６】
そして、このように立体網状構造体に湿気や熱が滞留し難いことで、細菌やカビ等も繁殖し難く、更に、前記連続線条体間の空間が連通して通気性及び透水透湿性に優れることで、水分の乾きも速く、また、立体網状構造体を構成する連続線条体が合成樹脂からなり、それらは不規則に蛇行して絡み合って、かつ、蛇行した状態で随所に融着しているから、繰り返しの洗濯に耐える強度を有し、繰り返し洗濯してもクッション性等の特性が低下し難い。よって、衛生さ、清潔さを維持することができる。
このようにして、クッション性を有するも蒸れ難くて快適な保持を可能とし、衛生面の特性を向上させたベビーキャリアとなる。
また、例えば、前記乳幼児を保持する使用者の肩に装着される肩ベルト部、前記乳幼児を保持する使用者の腰に装着される腰ベルト部、前記保持部としての前記乳幼児の反使用者側にあてがわれる部位、前記保持部としての前記乳幼児の使用者側にあてがわれる部位によって、前記立体網状構造体からなる弾性を任意に選択できるから、弾性を適材適所で選択できる。
上記保持部においては、反使用者側で前記乳幼児の身体にあてがわれる部位に前記立体網状構造体が配設されるから、乳幼児の身体に対して広い面積で支持する部位に立体網状構造体が配設されることで、立体網状構造体によって圧迫、揺れ、衝撃が緩和され、長時間使用した際でも乳幼児の姿勢に無理がかからず負担を軽減できるも、乳幼児からの汗等の湿気や熱が立体網状構造体に溜まり難くて効果的に乳幼児の暑さや蒸れを防止でき、乳幼児にとっての快適性がより高いものとなる。
そして、前記立体網状構造体からなる緩衝材が入れられた外装生地の一部または全部が空気の出入りを許容するメッシュ状繊維に形成されているから、立体網状構造体を構成する連続線条体間の空間への新鮮な空気の供給及び連続線条体間の空間が保持していた空気の排出がなされることで、乳幼児や使用者からの湿気や熱が逃れやすくなり、また、衛生面の特性も一段と向上する。
【００１７】
請求項２の発明に係るベビーキャリアによれば、乳幼児の身体にあてがわれて前記乳幼児を保持する保持部に配設された緩衝材が、合成樹脂からなる連続線条体が不規則に蛇行して絡み合っており、しかも、前記蛇行した状態で随所に融着してなり、前記連続線条体間の空間が連通して通気性のある立体網状構造体からなる。この立体網状構造体によれば、外力が加わると、それを構成する湾曲した連続線条体の曲率が変化すると共に、連続線条体間の空間が変形し、外力が解除されると、連続線条体が元の曲率に戻り、空間が回復するクッション性（弾力性）を表現でき、クッション性に優れる。
しかも、立体網状構造体を構成する連続線条体間の空間が連通して、通気性に優れ、特に、乳幼児や使用者の動きによっても空間が変形し、空気の流れが生じるから、湿気や熱が滞留し難く、蒸れ等の発生を防止できる。
よって、乳幼児にとって快適な抱き心地が得られ、長時間使用した際でも乳幼児にかかる負担が軽減される。
【００１８】
そして、このように立体網状構造体に湿気や熱が滞留し難いことで、細菌やカビ等も繁殖し難く、更に、前記連続線条体間の空間が連通して通気性及び透水透湿性に優れることで、水分の乾きも速く、また、立体網状構造体を構成する連続線条体が合成樹脂からなり、それらは不規則に蛇行して絡み合って、かつ、蛇行した状態で随所に融着しているから、繰り返しの洗濯に耐える強度を有し、繰り返し洗濯してもクッション性等の特性が低下し難い。よって、衛生さ、清潔さを維持することができる。
このようにして、クッション性を有するも蒸れ難くて快適な保持を可能とし、衛生面の特性を向上させたベビーキャリアとなる。
また、例えば、前記乳幼児を保持する使用者の肩に装着される肩ベルト部、前記乳幼児を保持する使用者の腰に装着される腰ベルト部、前記保持部としての前記乳幼児の反使用者側にあてがわれる部位、前記保持部としての前記乳幼児の使用者側にあてがわれる部位によって、前記立体網状構造体からなる弾性を任意に選択できるから、弾性を適材適所で選択できる。
【００１９】
上記保持部においては、使用者側で前記乳幼児の身体にあてがわれる部位に前記立体網状構造体が配設されるから、立体網状構造体が通気性を有する外装生地で覆われた際には、空気の通り道が確保されて、使用者や乳幼児からの汗等の湿気や熱を逃すことができる。また、立体網状構造体を覆う外装生地が通気性を有さなくとも、連続線条体間の空間が空気を収容して、立体網状構造体による断熱効果が得られる。したがって、使用者と乳幼児の相互間の密着による熱や湿気の溜まりを防止し、部分的な体温の上昇や蒸れを生じ難くできる。
上記立体網状構造体からなる緩衝材が入れられた外装生地の一部または全部が空気の出入りを許容するメッシュ状繊維に形成されているから、立体網状構造体を構成する連続線条体間の空間への新鮮な空気の供給及び連続線条体間の空間が保持していた空気の排出がなされることで、乳幼児や使用者からの湿気や熱が逃れやすくなり、また、衛生面の特性も一段と向上する。
よって、使用者及び乳幼児にとって保持の快適性を向上させることができる。
【図面の簡単な説明】
【００２０】
【図１】図１（ａ）は本発明の実施の形態に係るベビーキャリアに配設した緩衝材としての立体網状構造体の斜視図であり、図１（ｂ）は表生地及び裏生地からなる外装生地内に立体網状構造体が配設されていることを説明するための説明図である。
【図２】図２は本発明の実施の形態に係るベビーキャリアに配設した立体網状構造体の製造方法を説明するための製造装置の概略構造を示す説明図である。
【図３】図３は本発明の実施の形態に係るベビーキャリアの全体を示す展開図であり、ベビーキャリアにおいて乳幼児が収容される側とは反対側である本体部及び補助保持部の外面側の展開を示す全体説明図である。
【図４】図４は本発明の実施の形態に係るベビーキャリアの全体を示す展開図であり、ベビーキャリアにおいて乳幼児が収容される側である本体部及び補助保持部の内面側の展開を示す全体説明図である。
【図５】図５は本発明の実施の形態に係るベビーキャリアの全体を示す斜視図であり、ベビーキャリアにおいて乳幼児が収容される空間を示す全体説明図である。
【図６】図６は本発明の実施の形態に係るベビーキャリアの使用状態として乳幼児を使用者が相向き合う対面抱っこで保持する状態の説明図である。
【図７】図７（ａ）は、緩衝材としての立体網状構造体の変形例を示す斜視図であり、図７（ｂ）は表生地及び裏生地からなる外装生地内に変形例に係る立体網状構造体が配設されていることを説明するための説明図である。
【図８】図８（ａ）は、緩衝材としての立体網状構造体の別の変形例を示す斜視図であり、図８（ｂ）は表生地及び裏生地からなる外装生地内に別の変形例に係る立体網状構造体が配設されていることを説明するための説明図である。
【発明を実施するための形態】
【００２１】
以下、本発明の実施の形態について、図面を参照しながら説明する。
なお、実施の形態において、同一の記号及び同一の符号はそれら実施の形態に共通する機能部分であるから、ここでは重複する詳細な説明を省略する。
【００２２】
まず、本実施の形態のベビーキャリア１に用いた緩衝材としての立体網状構造体１００について図１、図２、図７及び図８を参照して説明する。
【００２３】
緩衝材としての立体網状構造体１００は、図１に示すように、合成樹脂からなる連続線条体１０１が不規則に蛇行して絡み合っており、かつ、蛇行した状態で随所に接着してなるものである。
【００２４】
このような立体網状構造体１００は、特許文献の特開平７−１７３７５３号公報、特開平７−６８０１号公報、特開２００１−３２８１５３号公報、特開２００６−９７２２３号公報、国際公開２０１１０３５７３６号公報、特開２０１６―５２８号公報、特開２０１３―４０４３７号公報、特開２００７―１３００５９号公報等で公知であり、その製造方法が説明されており、また、その商品も、例えば、東洋紡株式会社から商品名「ブレスエアー（登録商標）」、株式会社シーエンジから「Ｃ−ＣＯＲＥ」、株式会社エアウィーヴから商品名「エアウィーヴ（登録商標）」、東レ・デュポン株式会社から「ハイトレル（登録商標）等として販売されて公知であり、そのような市販品を用いることも可能である。
【００２５】
念のため、立体網状構造体１００の製造方法の一例を簡単に説明すると、図２に示すように、溶融した熱可塑性樹脂を押出成形機２００の底面に形成した複数の穿孔を設けてなるノズル（ダイス）から連続線条体１０１として垂直下方に押し出して降下させ、下方位置において冷却水２１０内に並設された無端コンベア２１１，２１２間に供給する。
なお、このとき無端コンベア２１１，２１２の間隔は、押し出された溶融樹脂の連続線条体１０１からなる外形よりも隙間を小さく形成し、連続線条体１０１が無端コンベア２１１，２１２から漏れないようにしている。また、水槽内の冷却水２１０の水温及び深さ、連続線条体１０１の押出温度等は無端コンベア２１１，２１２の速度、位置との間で相対的に設定している。
【００２６】
これにより、連続線条体１０１は、押出成形機２００の底面に形成した複数のノズルから押し出したとき、その押し出し速度は、無端コンベア２１１，２１２間の搬送速度よりも速く設定されているから、複数のノズルから押し出したときには直線状であるが、その温度降下と共に押し下げ力が左右方向の力となって立体網状となり、無端コンベア２１１，２１２の下降速度によってその立体網状が変化する。このとき、無端コンベア２１１，２１２の下降速度は、連続線条体１０１の押し出し下降速度よりも遅く設定されており、連続線条体１０１が湾曲して部分的に結合される。即ち、押出成形機２００から押し出された溶融状態の連続線条体１０１が、冷却水２１０の浮力、抵抗により、更には連続線条体１０１の下降速度よりも回転を遅くした無端コンベア２１１，２１２との接触等により３次元方向に湾曲し、そして、連続線条体１０１相互が部分的に溶着し、溶着部が冷却水２１０により冷却され、連続線条体１０１相互の接触部が強固に結合されると共に連続線条体１０１が固定化される。こうして、連続線条体１０１が曲がりくねって（カールして）無秩序に絡み合い、部分的に溶着してなり特定の厚みを有する立体網状構造体１００が形成される。
【００２７】
このようにして製造された立体網状構造体１００は、溶融する合成樹脂材料が連続線条体１０１として押し出され、その多数本が湾曲し立体的に不規則に絡み合って相互に高温度のとき、溶着され、３次元網状構造を有して所定の厚み及び幅に形成され、また、連続線条体１０１の間が空間となっており、その空間が連通して７０％〜９８％の空隙率を有する。そして、湾曲した連続線条体１０１は、外力によって湾曲の曲率が変化し、外力が解除されると、元の曲率に戻る弾性を有する。このため、立体網状構造体１００は、外力によって連続線条体１０１の湾曲の曲率が変化し、連続線条体１０１相互間の空間が変形するが、外力が解除された際には、連続線条体１０１の湾曲が元の曲率に戻り、空間が回復する程度に弾性を有する。即ち、外力が加えられた場合でも立体網状構造体１００の全体が変形することにより、また、合成樹脂のゴム弾性等により、応力を吸収・分散すると共に、応力が解除されると元の形態に回復され、適度な弾力性（クッション性）、反発性を有する。特に、連続線条体１０１同士が融着されているため、外力が加えられたときには、ベビーキャリア１に配設する立体網状構造体１００の略全体が一体に変形されることで、圧分散性に優れ、また、部分的なヘタリが生じ難く耐久性に優れる。立体網状構造体１００の全体が一体に変形するエネルギー変換により弾力性（クッション性）、反発性等にも優れる。
【００２８】
また、合成樹脂からなる連続線条体１０１で形成され、空隙率も７０％〜９８％であるため、軽量である。合成樹脂のみからなるためリサイクル性にも優れる。
更に、ウレタン素材、ポリオレフィン系発泡体と比較して連続線条体１０１間の空間も大きく、その空間も連通しており、７０％〜９８％の空隙率、より好ましくは８５％〜９８％の空隙率を有することにより、通気性や透水透湿性に優れる。このため、水分が溜まり難く、速乾性を有し、特に、材質が合成樹脂であることで、弾性復元力も良好で、収納時の折り畳みや洗濯により破損、変形、ヘタリも生じ難く、アルコール、次亜塩素酸ナトリウム等の殺菌消毒によっても破損、変形するこがなく、耐久性に優れる。即ち、連続線条体１０１同士が固定されているため、圧縮や洗濯によって、連続線条体１０１が移動したり、全体形状が崩れたりすることがなく、嵩高性の低下や弾力性の低下等のヘタリも少ない。
そして、このように通気性や速乾性に優れることで、熱や湿気が放散されやすく、温度と湿度の上昇が防止されるため、微生物の繁殖を抑制できる。水洗い等の洗濯を行っても、乾燥までに微生物の増殖を招く恐れがなく、洗濯によって清潔に保つことができ衛生的である。
【００２９】
ここで、立体網状構造体１００を構成する連続線条体１０１としては、熱可塑性樹脂が使用され、例えば、ポリエチレン、ポリエステル、ＥＶＡ (エチレン酢酸ビニルコポリマー) 、ポリプロピレン等のポリオレフィン、ポリエチレンテレフタレート等のポリエステル、ナイロン６６等のポリアミド、ポリ塩化ビニル、ポリスチレン、ＥＭＭＡ（エチレン・メチルメタクリレートコポリマー）、ＰＥＴ等が挙げられる。これらの合成樹脂をベースとして共重合したコポリマやエラストマー等を混合したものでもよい。
特に、ＥＶＡ樹脂は、弾性に富み、応力の集中を分散させる圧分散性を高くできる。また、ポリエチレンは、融点が高いために、熱湯消毒、蒸気殺菌等によっても物性変化を起こすことがなく、より衛生的な使用に適する。
このように立体網状構造体１００を構成する連続線条体１０１が熱可塑性樹脂であると、リサイクル性にも優れる。また、ベビーキャリア１使用時の温度上昇による塑性変形も少なく、クッション性等の特性が安定的に維持される。
【００３０】
立体網状構造体１００を形成する連続線条体１０１の繊度は、１００〜１０００００デシテックスの範囲内が好ましく、より好ましくは３００〜５００００デシテックスの範囲内、更に好ましくは５００〜３００００デシテックスの範囲内である。当該範囲内であれば反発力、引っ張り応力（抗圧縮力）等が良好で応力集中によるへたりも発生し難く、長期間に亘って高い弾力性（クッション性）を保持する。このため緩衝材として使用した際に保持する乳幼児Ｂの姿勢も安定し、快適な抱き心地が得られる。
【００３１】
また、立体網状構造体１００を構成する連続線条体１０１は、単一繊度の線条からなる連続線状体だけでなく、繊度の異なる線条からなる連続線状体であってもよいし、単一種のみならず、複数種の合成樹脂で形成してもよい。
【００３２】
更に、連続線条体１０１は、中空管(チューブ状)であってもよいし、中実管であってもよいし、その断面形状も特に限定されず、円形断面であってもよいし、三角形、四角形等の多角断面形状や、Ｙ字型断面形状、星型断面形状等、円形断面とは異なる異形断面であってもよい。
中空管(チューブ状)ではより軽くなることから、中実管のものと同じ重量とした立体網状構造体１００では連続線条体１０１の密度が高く硬いものとなる。乳幼児や使用者の身体にあてがわれるその部位に応じて、連続線条体１０１の形状を選択することも可能である。例えば、乳幼児の臀部にあてがわれる部位では、中実状の連続線条体１０１からなる低密度な立体網状構造体１００の使用により、ソフトな感触で乳幼児の臀部を柔らかく受け止めて臀部の落ち込みをより安定化させることができる。また、乳幼児の腹側及び使用者側にあてがわれる部位でも低密度な立体網状構造体１００の使用により、ソフトな感触で乳幼児及び使用者の間の密着性を良くし、抱き心地を良くする。一方で、乳幼児の頭部や背中部にあてがわる部位では、中空状の連続線条体１０１からなる高密度で硬い立体網状構造体１００の使用により、乳幼児の体重をしっかり支える強度で、乳幼児の姿勢を安定させて体重を高分散できる。また、使用者の腰や肩に装着される腰ベルト部や肩ベルトでも、高密度な立体網状構造体１００の使用により、乳幼児の体重をしっかり支える強度で受け止めて高分散させることができる。
【００３３】
本実施の形態では、立体網状構造体１００をベビーキャリア１に配設した際に、厚み方向に対向するフロント側及びバック側に位置することになり最大面積の面を有する表裏端面は、連続線条体１０１の連続する長さ方向の端部が表出することなく、連続線条体１０１同士の接触部の大部分が溶着されてフラット化されている。即ち、２次元的に接続されている。これにより、乳幼児や使用者に当たる表面がでこぼこ感や違和感を与える恐れがなく、連続線条体１０１の長さ方向の剥き出し端部が立体網状構造体１００を覆う後述の外装生地１５０に引っ掛かることによる破損も生じない。また、２次元的な接続により、表面に局部的な外力が掛かった際でも応力集中によるヘタリが生じ難く外力が面で受け止められるため、面に重みが加わっても剛性の低下が生じ難く、応力を吸収し、分散する圧分散性が高い。よって身体にかかる負担を緩和でき、保持姿勢を安定させたり抱き心地や身体への当たりを良くしたりできる。
【００３４】
なお、このような表裏端面で連続線条体１０１の長さ方向の端部が表出することない２次元的な溶着は、対向する無端コンベア２１１，２１２との接触によって形成される。勿論、外周の３面以上で連続線条体１０１の連続する長さ方向の端部が表出することなく、連続線条体１０１同士の接触部の大部分が溶着されてフラット状に整列されていてもよい。
また、本発明を実施する場合には、対向する一対の表裏端面が連続線条体１０１の連続する長さ方向の端部が表出しないものであれば、その表層が波形状、連続する凹凸状、凸状または凹状形状、鋸状、隅が曲面（Ｒ）または面取り形状に形成されていても良い。
【００３５】
更に、立体網状構造体１００は、全体の密度が均一であってもよいし、粗密があってもよい。
特に厚み方向の表裏側が内層の密度と比較して高いと、ヘタリ難く、耐圧分散性が高くて快適な抱き心地を得ることができる。一方で、例えば、乳幼児の身体にあてがわれる側の一方の面側よりも他方の面側の方で連続線条体１０１の密度を高めることにより、つまり、乳幼児に近いほど低密度で弾性を柔らかくし、乳幼児から遠くなるほど、高密度として乳幼児側と反対側で弾力性を硬くすることで、乳幼児へのフィット性が増し、ソフトな感触で沈み易くなり、位置ずれが防止され、安定感が得られる。
また、組成や特性が異なる合成樹脂（連続線条体１０１）の組み合わせによって、厚み方向に（層状に）、特性や密度を変化させたものであってもよい。
【００３６】
なお、立体網状構造体１００の密度は、図２に示した連続線条体１０１を押し出すノズル（ダイス）の複数の穿孔位置、間隔を調節することによって連続線条体１０１の分布密度を調節したり、ノズルの複数の穿孔の大きさを調節することによって連続線条体１０１の太さを調節したり、ノズルからの合成樹脂の供給速度を調節したりすることによって、調整可能となっている。また、無端コンベア２１１，２１２の間隔や、無端コンベア２１１，２１２の回転速度を変化させることによっても調節でき、無端コンベア２１１，２１２の回転速度を速めると低密度とすることができ、回転速度を遅くすることにより高密度に形成できる。
即ち、立体網状構造体１００において、同一太さであっても連続線条体１０１の押出速度、無端コンベア２１１，２１２の搬送速度によっても密度を変化させて、ソフトからハードまでのクッション性を付与できる。また、連続線条体１０１の押出し太さによっても変化させることができる。
【００３７】
これにより、例えば、図７に示したように、図１に示した立体網状構造体１００と比較して連続線条体１０１間の密度が高められて緻密な立体網状構造体１００を使用してもよいし、図８に示したように、図１に示した立体網状構造体１００と比較して連続線条体１０１間の密度を低下させた低密度の立体網状構造体１００としてもよい。
【００３８】
因みに、図２に示したように、押出成形機２００の下部であって冷却水２１０が入った水槽上部に、連続線条体１０１の冷却水２１０への着水前後に連続線条体１０１を受け止めて無端コンベア２１１，２１２まで案内するための４面を順次狭くした４角ロート状の案内板（シュート）２２０を設置することにより、ノズル（ダイス）の孔から押し出された連続線条体１０１の一部が、案内板２２０の斜面を滑って無端コンベア２１１，２１２に案内されるが、その際、案内２２０板の表面上で連続線条体１０１の絡み合いや溶着が生じて、内層に向かって絞り込まれることで、密度の高い表面層を形成することができる。同時に、平坦な案内板２２０上を滑ることにより、その表面層の端面は平坦に形成される。
【００３９】
本実施の形態のベビーキャリア１において、緩衝材として使用する立体網状構造体１００は、例えば、２５％圧縮時硬さ（ＪＩＳ  Ｋ  ６４００−２に準拠して、立体網状構造体１００を２００ｍｍ径の円形状の圧縮板にて７５％まで圧縮した後に再度２５％圧縮した時の応力）が、１０Ｎ／φ２００以上、２００Ｎ／φ２００以下、より好ましくは１５Ｎ／φ２００以上、１８０Ｎ／φ２００以下の範囲内とされる。また、平均の見掛け密度が０．００５〜０．９０ｇ／ｃｍ、より好ましくは０．０２以上、０．２０ｇ／ｃｍ3以下、更に好ましくは０．０５以上、０．１５ｇ／ｃｍ3以下の範囲内とされる。上記範囲内であれば、適度な硬さでクッション性、衝撃吸収性、圧分散性が良好で乳幼児Ｂや使用者Ｍの身体への当たりも良好であり、長時間ベビーキャリア１を装着しても凝りが少なく負担が少ない。また、立体網状構造体１００の厚みは、配置場所等によって選択可能であり、特に限定されないが、３ｍｍ〜３０ｍｍ、より好ましくは３ｍｍ〜２０ｍｍの範囲内であれば、緩衝機能が発現されやすく、また、乳幼児Ｂや使用者Ｍの身体形状に対応して屈曲可能な程度に可撓性、柔軟性を有する。
【００４０】
なお、このような立体網状構造体１００は、押出し成形の他、型はめ成形によっても形成可能であり、また、連続線条体１０１相互間が、融着に限られず、接着剤による接着されたものであってもよい。何れにせよ、合成樹脂からなる連続線条体１０１が不規則に蛇行して絡み合っており、かつ、蛇行した状態で随所に接着してなる立体網状構造体１００は、その製造及び加工も容易で、製造中に使用される薬品の公害問題も殆どなく、焼却時にダイオキシン類を発生せず、更にリサイクル性も高い。
【００４１】
このように、本実施の形態にかかるベビーキャリア１に使用される緩衝材としての立体網状構造体１００は、合成樹脂からなる連続線条体１０１が不規則に蛇行して絡み合っており、しかも、蛇行した状態で随所に融着して、特定の厚みを有し、連続線条体１０１相互の空間が連通して通気性があるものである。なお、通気や透水透湿性に関しては、その方向性は特定されない。
【００４２】
次に、このような構成の立体網状構造体１を緩衝材として使用したベビーキャリア１の一例について、主に、図１、図３乃至図６を参照してその構造を説明する。
本実施の形態のベビーキャリア１は、乳幼児Ｍを抱っこまたはおんぶにより乳幼児Ｍの身体にあてがい乳幼児Ｍを保持する保持部として、乳幼児Ｂを抱っこまたはおんぶする親等の使用者Ｍ側とは反対側で乳幼児Ｂの身体にあてがわれ乳幼児Ｂの体重を支持する本体部１０と、本体部１０の下部に接続し本体部１０とは反対側で乳幼児Ｂの身体にあてがわれる補助保持部２０と、本体部１０と補助保持部２０の間に渡されて配設された位置決め座部３０とを有する。更に、補助保持部２０に接続され、使用者Ｍの肩に掛けられる左右１対の肩ベルト部４０と、本体部１０と補助保持部２０の下端部に接続されて本体部１０と補助保持部２０の長さ方向に対して直角方向に配設し、使用者Ｍの腰回りに装着される腰ベルト部５０とを有する。
【００４３】
乳幼児Ｂを保持する使用者Ｍ側とは反対側で乳幼児Ｂの身体にあてがわれる本体部１０は、乳幼児Ｂと使用者Ｍの顔が相向き合う対面抱っこや乳幼児Ｂと使用者Ｍの顔が同一方向を向く前向きおんぶのように、乳幼児Ｂの身体の腹側が乳幼児Ｂを保持する親等の使用者Ｍに向くように乳幼児Ｂを保持する際に乳幼児Ｂの身体の背側にあてがわれるものである。
本実施の形態の本体部１０は、乳幼児Ｂを対面抱っこや前向きおんぶで保持する際に乳幼児Ｂの主に頭部にあてがわれて主に頭部を受ける略半楕円形状の頭当部１１と、乳幼児Ｂの頭部側から背中、腰にかけてあてがわれて主に背中部を受ける背当部１２と、乳幼児Ｂの背中側から臀部にかけてあてがわれて主に臀部を受ける臀当部１３が一体に形成されている。
【００４４】
そして、本実施の形態においては、この頭当部１１、背当部１２及び臀当部１３からなる本体部１０に緩衝材としての立体網状構造体１００が配設される。
具体的には、緩衝材としての立体網状構造体１００は、図１（ｂ）に示すように、表生地１１０及び裏生地１２０からなる外装生地１５０で覆われて、本体部１０に配設される。つまり、袋状に閉じられた表生地１１０及び裏生地１２０からなる外装生地１５０に緩衝材としての立体網状構造体１００が入れられて本体部１０が構成されている。
【００４５】
このように、本体部１０において、表生地１１０と裏生地１２０との２枚の布からなる外装生地１５０は、図１（ｂ）に示すように、立体網状構造体１００を包み込む。表生地１１０と裏生地１２０は１枚物の生地を折り畳んで形成してもよいし、３枚または４枚で形成してもよい。特に、本実施の形態では、表生地１１０と裏生地１２０を折り曲げて重ね合わせ、２条のミシン糸で縫い合わせたり、そのうちの１条のミシン糸によってパイピンを縫い付けたりしてもよい。或いは、表生地１１０と裏生地１２０によって袋状を形成しておき、そこに立体網状構造体１００を挿入してもよい。
【００４６】
本実施の形態のベビーキャリア１において、本体部１０を構成する表生地１１０及び裏生地１２０の外装生地１５０は、少なくとも乳幼児Ｂの身体にあてがわれる内面側（乳幼児Ｂ側）の全面、または一部の面、例えば、乳幼児Ｂの身体に対応する位置で、通気性を有する生地が使用される。
通気性を有する生地としては、例えば、所定の開口の網目・網模様構造を有するネット生地や、多少織目を粗くした粗密度の生地や、表裏のネット生地間に特定の厚みの空気層を形成する連結糸を織り込んでなる特定の厚みを有する立体編物（ダブルラッシェル）等が使用される。このような通気性を有する生地の使用により外装生地１５０をメッシュ状繊維に形成することで、通気性を確保し、また、乳幼児Ｂに接触する表面からの吸湿性を上げ、湿気や熱を放散することができる。吸水性の高い綿素材等の素材を使用することでも吸湿性が向上する。
【００４７】
特に、立体編物（ダブルラッシェル）によれば、表裏のメッシュ生地間に織り込まれた連結糸によって形成される空気層により乳幼児Ｂや使用者Ｍの汗等の湿気や熱の発生に対しても、その湿気や熱を収容できる容積を有しており、更に、使用者Ｍの動き及び乳幼児Ｂの動きが空気層の体積変化となって、空気層の空気が排出及び供給されるから、使用者Ｍや乳幼児Ｂの身体から発汗した汗を速やかに吸収でき、また、使用者Ｍや乳幼児Ｂの身体の熱を逃すことができる。勿論、表裏のメッシュ生地及び空気層により通気性、通水性にも優れるから、水分の乾きも速い。更に、連結糸によって形成される空気層により多少の弾力性（クッション性）等を有し、乳幼児Ｂが動いても、空気層の追随変化によって違和感が生じず、乳幼児Ｂの体形への馴染みもよい。
【００４８】
なお、このような立体編物（ダブルラッシェル）はダブルラッシェル機やトリコット機等の織布製造機によって製造され、その商品は、旭化成株式会社から「フュージョン（商標名）」、また、帝人興産から「エアクィーン（商標名）」等として販売されているので、ここでは仔細な説明を省略する。
【００４９】
本発明を実施する場合には、上述した通気性を有する生地は、本体部１０の内面側、即ち、乳幼児Ｂ側の全面に使用されることもあれば、部分的に使用されることもある。特に、乳幼児Ｂが発汗しやすい頭部や背中部分にあてがう頭当部１１や背当部１２のみの使用であってもよいし、おむつかぶれを防止するために臀当部１３のみに使用してもよい。頭当部１１、背当部１２、臀当部１３の何れかのみの使用であってもよいし、頭当部１１及び背当部１２のみ、頭当部１１及び臀当部１３のみ、背当部１２及び臀当部１３のみの使用であってもよいし、頭当部１１及び背当部１２及び臀当部１３の全部で使用してもよい。勿論、頭当部１１や背当部１２や臀当部１３の各一部分であってもよい。
また、本体部１０の内面側のみならず、本体部１０の外面側の外装生地１５０においても通気性を有する生地を使用しても良く、本体部１０の内面側（乳幼児Ｂ側）及び外面（乳幼児Ｂ側とは反対側）の表裏の両面の厚み方向で空気の流通を許容する構造が望ましい。本体部１０の表裏面が所定のメッシュ状繊維で形成されていれば、表裏の厚み方向の空気の通り道が確保されることから、通気量が増し、より効果的に湿気や熱を逃すことができる。また、特定部分で通気性を有する生地に対して通気性のない生地を被覆自在とした２層構造に形成してもよい。何れにせよ、外装生地１５０において、その全部または一部で通気性を有する生地の使用により空気が排出及び供給される開口を形成することで、表生地１１０及び裏生地１２０間に入れた立体網状構造体１００の通気性が生かされて通気が維持される構造であればよい。
【００５０】
なお、メッシュの孔の大きさ、数によって、即ち、メッシュ密度の選択により、空気の出入りを決定する流体抵抗を任意に設定できる。更に、対応させる乳幼児Ｂの部位に応じてメッシュの粗密を変えてもよい。例えば、乳幼児Ｂの顔や触れやすい部位では、目の細かいメッシュによって肌触りを良くしたり、乳幼児Ｂが発汗しやすい頭部や背中部に対応する頭当部１１及び背当部１２では、目の粗いメッシュによって高い通気性を確保したりできる。また、デザイン的にメッシュの形状を決定してもよい。必ずしも網目構造である必要はなく、複数の開口によって空気の流通を確保しても良い。
【００５１】
本体部１０の表生地１１０及び裏生地１２０からなる外装生地１５０において、通気性を有する生地以外は、任意の生地で形成できる。また、対応させる乳幼児Ｂの部位に応じて生地の種類を変えても良く、例えば、肌触りのよい生地、ソフト感のある柔らかい生地、刺激性のない生地が乳幼児Ｂの頭部近辺で使用されたり、吸湿性の高い生地が乳幼児Ｂの頭部や背中近辺で使用されたりする。デザイン的、機械強度的に生地の材質を選択しても良い。
【００５２】
そして、本実施の形態のベビーキャリア１においては、このように通気性が確保された表生地１１０及び裏生地１２０からなる袋状とした外装生地１５０の内部に、緩衝材として、合成樹脂からなる連続線条体１０１が不規則に蛇行して絡み合っており、しかも、蛇行した状態で随所に融着してなる特定の厚みを有する立体網状構造体１００が配設されている。
【００５３】
立体網状構造体１００の配設は、ベビーキャリア１の目的（保持対象の月齢、保持形態等）、商品的価値の特徴・特性等に応じて、本体部１０の全体に配設しても良いし、特定の一部のみの配設であっても良い。即ち、頭当部１１、背当部１２、臀当部１３の何れかのみの配設であってもよいし、頭当部１１及び背当部１２のみ、頭当部１１及び臀当部１３のみ、背当部１２及び臀当部１３のみの配設であってもよいし、頭当部１１及び背当部１２及び臀当部１３の全体に配設してもよい。好ましくは、位置ずれを防止するために各部を構成する面積相当で充填されるが、頭当部１１や背当部１２や臀当部１３の各一部分であってもよく、その場合には部分的に外装生地１５０に縫い付ける等、或いは外装生地
１５０内に収容部を形成する等の位置ずれ防止手段が設けられる。
また、上述したように立体網状構造体１００は、その密度、大きさ、厚み、原料の材質や、連続線条体１０１の形状等によって、硬さや柔らかさ、弾力性等の特性を調節可能であるから、例えば、背当部１２では硬く、臀当部１３では柔らかいものを使用する等、配設位置、部位によって異なる特性（密度、厚み等）の立体網状構造体１００を選択することも可能である。
そして、本体部１０に配設される立体網状構造体１００は厚みが３ｍｍ以上、３０ｍｍ以下の範囲内、より好ましくは３ｍｍ以上、２０ｍｍ以下の範囲内のものが使用されることで、緩衝機能が発現されやすく、また、乳幼児Ｂや使用者Ｍの身体形状に対応して屈曲可能な程度に可撓性、柔軟性を有し、更に、携帯時の嵩張りも少ないものとなる。
【００５４】
例えば、頭当部１１に立体網状構造体１００を配設することによって、乳幼児Ｂの頭部を支持してグラつきを防止したり、後方への傾きを防止したり、頭部への衝撃を和らげたりできる。また、周囲の音が減衰されて快適な睡眠環境を形成することもできる。
特に、頭当部１１に配設する立体網状構造体１００の２５％圧縮時硬さ（立体網状構造体１００を２００ｍｍ径の円形状の圧縮板にて７５％まで圧縮した後に再度２５％圧縮した時の応力）を、１０Ｎ／φ２００以上、１８０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内が好ましく、より好ましくは４ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内である。
上記範囲内であれば、別途、硬質な芯材を外装生地１５０内に入れなくとも、乳幼児Ｂの頭部にあてがわれる頭当部１１では乳幼児Ｂの頭部をしっかり支持して乳幼児Ｂの頭部の後方への傾き、反り返りを防止できることから、低月齢の乳幼児Ｂを保持する際や、乳幼児Ｂが眠った際でも乳幼児Ｂの頭部をしっかり支持して頭部のグラつきを防止することが可能である。更に、使用者Ｍの歩行等による振動、衝撃吸収性も高く、乳幼児Ｂの頭部や首部にかかる負担を少なくできる。
【００５５】
また、背当部１２に立体網状構造体１００を配設することによって、乳幼児Ｂにとっての抱き心地が向上して、乳幼児Ｂの姿勢や保持の安定性も向上する。
特に、背当部１２に配設する立体網状構造体１００の２５％圧縮時硬さを、１０Ｎ／φ２００以上、１８０Ｎ／φ２００以下の範囲内とするのが好ましく、より好ましくは、１０Ｎ／φ２００以上、１５０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１５ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは１５ｋｇ／φ１５０以上、３０ｋｇ／φ１５０以下の範囲内である。
上記範囲内であれば、別途、硬質な芯材を入れなくとも乳幼児Ｂの腰から背中部にあてがわれる背当部１２では乳幼児Ｂの腰から背中部をしっかり支持して、落ち込みを防止して乳幼児Ｂの安定した姿勢を維持でき、また、使用者Ｍの目の届かないおんぶ時でも、乳幼児Ｂの反り返りを防止できる。
【００５６】
更に、臀当部１３に立体網状構造体１００を配設することによって、乳幼児Ｂの臀部が落ち込み易くなり、乳幼児Ｂの重心位置が安定して保持安定性が向上する。また、乳幼児Ｂの臀部にかかる圧力が分散されやすくなり、座り心地が向上し、乳幼児Ｂの負担も軽減される。
特に、臀当部１３に配設する立体網状構造体１００の２５％圧縮時硬さを、後述する中央部１３Ａにおいて１０Ｎ／φ２００以上、１５０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内である。
上記範囲内であれば、乳幼児Ｂの臀部を落ち込み易くし、臀部の重心位置を安定化させて位置ずれを防止することにより、乳幼児Ｂの安定した沈みを得て保持安定性を高め、使用者Ｍ及び乳幼児Ｂにとって負担の少ない快適な姿勢での保持を可能とする。また、乳幼児Ｂの脚に触れてもそれに追従し、乳幼児Ｂの脚の動きが制限され難い。殊に、首据わり前の低月齢の乳幼児Ｂを保持する際でも、乳幼児Ｂの臀部が落ち込み易いことで、乳幼児Ｂの臀部の位置よりも高い位置で膝が曲げられ、Ｍ字開脚とする自然な開脚姿勢で、乳幼児Ｂの重心が脚側ではなく臀部にかかり、乳幼児Ｂの体形に負担の少ない保持を可能とする。
【００５７】
ここで、本実施の形態の臀当部１３においては、乳幼児Ｂの臀部の中央側を受ける中央部１３Ａと中央部１３Ａの左右両側に位置し乳幼児Ｂの太股付近に当たる左右１対の端部１３Ｂとから構成されている。
【００５８】
なお、本実施の形態のベビーキャリア１においては、立体裁断によって臀当部１３の中央部１３Ａ及び左右両側の端部１３Ｂを形成しており、中央部１３Ａ及び端部１３Ｂを内側（中心側）に向かって弧状に湾曲した縫製線１３ａによって接ぎ合わせ、更に、臀当部１３の下端部を後述の腰ベルト部５０の本体ベルト部５１に対して、本体ベルト部５１の上端部に接ぎ合わせる略直線状の縫製線及びその下方に弧状に湾曲した縫製線（図示せず）にて一体に接続することにより、立体的な収容空間を形成している。これにより、後述する高い位置で保持する際の乳幼児Ｂの脚の動きが拘束され難くなり、また、乳幼児Ｂの臀部の重心位置も安定しやすい。
【００５９】
このとき、臀当部１３において中央部１３Ａと端部１３Ｂの接続は、表生地１１０及び裏生地１２０間に入れる立体網状構造体１００を連続させないことによって、或いは、立体網状構造体１００を連続させても表生地１１０及び裏生地１２０を縫合することによって、または、立体網状構造体１００自体が折曲自在に形成されていることで、中央部１３Ａと端部１３Ｂの間が区別され、中央部１３Ａの面に対し端部１３Ｂが乳幼児Ｂ側に折曲自在に形成されている。
【００６０】
特に、端部１３Ｂに縫製線１３ａによって接ぎ合わされる中央部１３Ａの外形が中央側に湾曲した形状、即ち、上下の端部よりも中央側で幅狭の形状であるから、この中央部１３Ａに立体網状構造体１００が配設されると、乳幼児Ｂの臀部が落ち込み易くて、臀部の位置ずれも生じ難い。よって、乳幼児Ｂの負担が少なく快適な姿勢での保持を可能とし、保持安定性を高くできる。
【００６１】
なお、本発明を実施する場合には、臀当部１３の中央部Ａの表面形状を変化させたり、表生地１１０及び裏生地１２０の外装生地１５０の中に入れる立体網状構造体１００について厚みに変化を付けたりすることによって、臀部の落ち込みが自在なように窪みを形成することで、または、表生地１１０及び裏生地１２０の外装生地１５０の中に入れる立体網状構造体１００についてクッション性や柔軟性を変化させる構造とすることによっても、乳幼児Ｂの臀部の落ち込みを安定化させ、保持安定性を高めることができる。
【００６２】
更に、臀当部１３の端部１３Ｂにおいては、その外縁が乳幼児Ｂの太股に接触することにより乳幼児Ｂの太股に対し大きな負荷をかけやすいことから、乳幼児Ｂの太股に触れる左右両側の端部１３Ｂでは、中央部Ａよりもクッション性（弾力性）の高い立体網状構造体１００の配設により、乳幼児Ｂの太股への圧迫を軽減できる。例えば、端部１３Ｂに配設する立体網状構造体１００は、２５％圧縮時硬さを、１０Ｎ／φ２００以上、１８０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内が好ましく、より好ましくは４ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内である。
【００６３】
また、本実施の形態のベビーキャリア１では、背当部１２と臀当部１３の境界部で水平方向の横幅が狭くそこから下方に向かって臀当部１３を幅広とする設計によっても、構造的に臀当部１３で乳幼児Ｂの臀部の落ち込みを容易としているが、背当部１２に配設する立体網状構造体１００と臀当部１３に配設する立体網状構造体１００とで、クッション性、硬さ等の特性を変えることでも、例えば、背当部１２に配設する立体網状構造体１００と比較して、臀当部１３に配設する立体網状構造体１００の硬さを柔らかくし、クッション性を小さくすることによって、背当部１２では乳幼児Ｂの姿勢をしっかり支持するも、臀当部１３では乳幼児Ｂの臀部を落ち込みやすくできる。
特に、立体網状構造体１００が高い通気性を有することで、立体網状構造体１００の厚みを厚くしてクッション性や硬さを高めても蒸れを防止できる。
【００６４】
なお、上述したように、立体網状構造体１００の硬さ、反発力、クッション性等の特性については、その密度、大きさ、厚み、原料の材質や、連続線条体１０１の形状等によって決定されることから、立体網状構造体１００の密度、原料の材質、連続線条体１０１の形状を統一し、厚みのみ変化させることで所望の硬さを得ても良いし、立体網状構造体１００を均一な厚みに統一して、それを構成する原料の材質、連続線条体１０１の形状、密度等を変化させることによって所望の硬さ、反発力、クッション性等の特性を得ても良い。
【００６５】
このように、本実施の形態のベビーキャリア１によれば、一部または全部を通気性を有する生地で形成して通気性を確保した表生地１１０及び裏生地１２０からなる袋状の外装生地１５０の中に、特定部位または全体に緩衝材として、合成樹脂からなる連続線条体１０１が不規則に蛇行して絡み合っており、しかも、蛇行した状態で随所に融着してなり、連続線条体１０１間の空間が連通してなる特定の厚みを有する立体網状構造体１００が入れられて本体部１０が形成されている。
【００６６】
したがって、立体網状構造体１００が配設された部位では緩衝作用、クッション性（弾力性）が得られるが、この立体網状構造体１００は、それを構成する連続線条体１０１間の空間が連続していることによって、好ましくは７０％〜９８％の空隙率によって、通気性を有している。このため、緩衝材として立体網状構造体１００を配設しても、連続線条体１０１間の空隙によって空気の通り道が形成されていることから、また、乳幼児Ｂや使用者Ｍの動きにより立体網状構造体１００の空間の体積変化が生じることによって空気の流れが生じることから、熱や湿気が滞留し難く、乳幼児Ｂに対して暑さや蒸れを生じさせ難い。
【００６７】
そして、このように立体網状構造体１００が通気性に優れ、湿気や熱が滞留し難いことから、また、合成樹脂からなる連続線条体１０１の不規則に蛇行した絡み合いによって連続線条体１０１の多くがループ状で合成樹脂屑も出にくいことから、従来の緩衝材として使用されていたウレタン、ポリオレフィン系発泡体と比較しても、細菌、カビ等が繁殖し難く、乳幼児Ｂや使用者Ｍからの汗の染み込みや細菌・カビ等の繁殖による臭気も発生し難い。更に、連続線条体１０１間の連続した空間によって通気性及び透水透湿性に優れることで、速乾性を有し、洗濯しても水分の乾きが速くて、乾燥までに細菌が繁殖する恐れもなく、洗濯によって衛生さ、清潔さを保つことができる。乳幼児Ｂのよだれ、吐き戻し等の水分の付着に対しても、乾きが速く、細菌、カビ等の繁殖を防止できる。よって、衛生特性が向上する。また、立体網状構造体１００を構成する連続線条体１０１が合成樹脂からなり、それらは不規則に蛇行して絡み合って、かつ、蛇行した状態で随所に融着しているから、繰り返しの洗濯に耐える強度を有し、繰り返し洗濯しても緩衝性、クッション性等の特性が低下し難い。即ち、連続線条体１０１同士が固定されているため、圧縮や洗濯によって、連続線条体１０１が移動したり、全体形状が崩れたりすることがなく、嵩高性の低下や弾力性の低下等のヘタリも少ない。
【００６８】
特に、本実施の形態では、一部または全体が通気性を有する生地からなる外装生地１５０によって立体網状構造体１００が覆われており、外装生地１５０の通気性により空気の流れ道が形成され、乳幼児Ｂの身体の熱や湿気を逃すことができる。更に、外装生地１５０の通気性により、外装生地１５０に入れられた立体網状構造体１００に新鮮な空気が供給されるから、立体網状構造体１００に入り込んだ湿気や熱の高い空気の排出が促進される。即ち、立体網状構造体１００は、その高い空隙率により、乳幼児Ｂの汗等の湿気や熱の発生に対してその湿気や熱を収容できる容積を有するも、それを覆う外装生地１５０が通気性を有することで、新鮮な空気が取り入れられて、湿気や熱が逃れやすくなる。特に、使用者Ｍの動きや乳幼児Ｂの動きによっても、立体網状構造体１００を構成する連続線条体１０１間の空隙（空間）の体積変化となって、空隙の空気の供給及び排出が促進される。したがって、外装生地１５０を介して乳幼児Ｂの身体から発汗した汗を速やかに吸収でき、また、使用者Ｍや乳幼児Ｂの身体の熱を逃すことが可能である。よって、立体網状構造体１００に湿気や熱がこもり難く、乳幼児Ｂの暑さや蒸れを軽減できる。そして、長時間の保持に対しても部分的に異常に乳幼児Ｂの体温が上昇することが防止されて、ジトジト感、ベトベト感も少なく、発汗対策、暑さ及び蒸れ対策、汗疹対策になる。
【００６９】
より好ましくは、外装生地１５０の表生地１１０及び裏生地１２０の両方、即ち、乳幼児Ｂの身体にあてがわれる面及びそれとは反対側面との本体部１０の両面（表裏）で、通気性を有する生地を使用した場合には、立体網状構造体１００の通気性及び表裏の生地の通気性によって、本体部１０の厚み方向の通気量が増すことで、より効果的に湿気や熱を逃すことができ、清涼感、爽快感が得られる。なお、本体部１０の表裏の両面（対向面）がメッシュ状であれば、使用者Ｍ及び乳幼児Ｂの体形や動作に従って空気の出入りを決定する流体抵抗を任意に設定できる。
【００７０】
そして、このように合成樹脂からなる連続線条体１０１が不規則に蛇行して絡み合っており、かつ、蛇行した状態で随所に融着してなる特定の厚みを有する立体網状構造体１００によれば、空隙率が高いが、それを構成する連続線条体１０１が合成樹脂からなり、互いに３次元状に絡み合い融着していることで面全体で外力を受けるから、従来の緩衝材としてのウレタン、ポリオレフィン系発泡体と比較して、同等のクッション性としても軽量化される。よって、装着する使用者Ｍにとっての重さや持ち運びの負担を少なくできる。
また、従来、ベビーキャリア１のクッション材として使用されていたウレタン、ポリオレフィン系発泡体と比較して、立体網状構造体１００は回復特性が速く、乳幼児Ｂの身体の動きに追従するフィット性、抱持性が得られ、抱き心地や保持安定性を向上させることができる。よって、厚みを少なくしても適度なクッション性が得られ、嵩張りを小さくできる。
【００７１】
加えて、連続線条体１０１が３次元状に絡み合い、連続した空間を有する立体網状構造体１００によれば、乳幼児Ｂの面積に対して均一に支持して体重の応力の集中を少なくできる。即ち、立体網状構造体１００の配設によって受圧面積が広くなり、乳幼児Ｂにかかる圧力が分散されやすい。よって、乳幼児Ｂの体形にかかる負担を軽減できる。特に、乳幼児Ｂの重心位置がくる臀当部１３において、立体網状構造体１００を配設することで、長時間保持する場合でも、乳幼児Ｂの臀部にかかる圧力が分散されることで快適な座り心地となり、乳幼児Ｂの臀部への負担が軽減される。
【００７２】
なお、本実施の形態では、立体網状構造体１００を頭当部１１と背当部１２に配設しても、頭当部１１と背当部１２の境界部において表生地１１０及び裏生地１２０の外装生地１５０の間に入れた立体網状構造体１００を連続させないことによって、或いは、立体網状構造体１００を連続させても立体網状構造体１００自体を折曲げ自在とした構造により、頭当部１１と背当部１２の間が区別され、背当部１２の面に対し頭当部１１が折曲自在となっている。これにより、背当部１２にて乳幼児Ｂの腰から背中部を安定して支持するも乳幼児Ｂの頭部の重みに応じて頭当部１１が背当部１２の面に対して傾斜し易く（折れ曲がり易く）、乳幼児Ｂの頭部及び首部に無理が加わらないように乳幼児Ｂの頭部及び首部を保護できるようになっている。また、乳幼児Ｂの成長に応じ、背当部１２の面に対して頭当部１１を乳幼児Ｂ側とは反対側に折曲して使用することで、乳幼児Ｂの視界を広げることができる。
【００７３】
更に、本実施の形態のベビーキャリア１においては、本体部１０の乳幼児Ｂが配置される側で、頭当部１１と背当部１２の境界部の頭当部１１と背当部１２の面から略三角形状の接続部１４を突出して設けており、この接続部１４により乳幼児Ｂの頭部の左右方向の傾きを支え、グラつきを防止して乳幼児Ｂの頭部及び首部への負担を軽減できる。特に、接続部１４をクッション性を有する材料で形成することで、衝撃を緩和して乳幼児Ｂの頭部及び首部を保護できる。そして、この接続部１４に緩衝材としての立体網状構造体１００を配設することも可能である。即ち、接続部１４を構成する外装生地１５０の表生地１１０及び裏生地１２０の間に立体網状構造体１００を入れても良い。
【００７４】
なお、頭当部１１には、図示しない所定の収容容積を有するポケット状の収納部が設けられており、図１に示した本体部１０の乳幼児Ｂが配置される側とは反対側の面（使用者Ｍがベビーキャリア１を装着した状態で意匠面側となる外面側）に、図示しない収納部を開閉自在とするためのスライドファスナ１５（ホック、ボタン、接着布等であってもよい）を有し、乳幼児Ｍの頭部を覆う所定面積の図示しないヘッドフードや、保冷剤、タオル等の持ち物等を収容可能としている。図示しないヘッドフードは、例えば、その一端が収納部内に縫着等によって固着され、また、他端を肩ベルト部４０に連結具（例えば、バックル、ホック、ナスカン、カラビナ、Ｄロック、クイックキャッチ、楕円リング等）を介して取付けることで、乳幼児Ｂの頭部を後頭部側から覆って支持し、保持している乳幼児Ｂが眠った際でも乳幼児Ｂの頭部が後方に倒れて乳幼児Ｂの身体がのけ反る事態を防止したり、乳幼児Ｂの日除けや、ベビーキャリア１の装着状態で抱っこしたまま授乳する際に授乳を隠すカバー等として機能したりする。
なお、このヘッドフードにおいても通気性を有するのが望ましく、緩衝材として立体網状構造体１００を使用することで、通気性を確保できる。
【００７５】
そして、本実施の形態のベビーキャリア１において、このように頭当部１１、背当部１２及び臀当部１３が一体に形成された本体部１０には、臀当部１３側の下端部で直線状の縫製線及び弧状に湾曲した縫製線（図示せず）にて腰ベルト部５０が縫い付けられている。なお、本体部１０と腰ベルト部５０は全体として略逆Ｔ字状に配設され、本体部１０の下端及びその付近の縫製によって腰ベルト部５０に一体に縫い合わされていることによって、腰ベルト部５０の面方向に対して本体部１０は直角方向に折れ曲がり自在となっている。
【００７６】
腰ベルト部５０は、本体部１０及び後述する補助保持部２０の下部において、本体部１０及び補助保持部２０の長さ方向（上下方向）に対して略直交方向に配設して乳幼児Ｂの体重の多くを受けるので強度的に耐えられ、かつ、使用者Ｍの腰回りに取付けても使用者Ｍの体形に無理が掛からないように力（乳幼児Ｂの体重）の分散が行われる形態として、本体部１０及び後述の補助保持部２０と一体化されて縦幅が幅広な本体ベルト部５１と本体ベルト部５１の長さ方向の両端部に配設されアジャスター付きバックルを有する布ベルトからなる左右１対の長さ調節部５２とから構成されている。そして、この腰ベルト部５０は、長さ調節部５２に設けたアジャスター付きバックルの連結差込具５３と連結受具５４の連結係合によって使用者Ｍの腰回りに固定可能とし、連結差込具５３と連結受具５４を連結自在としていることで、使用者Ｍの腰回りに取付け及び取外し自在となっている。
【００７７】
このように腰ベルト部５０において、本体ベルト部５１の両端部に設けた左右１対の長さ調節部５２は、使用者Ｍの腰回りへの取付けに必要なベルト長が決められるように所定の長さを有し、１対の雌雄のアジャスター付きバックルからなる連結差込具５３と連結受具５４においてアジャスター機能を有することで、使用者Ｍの腰の周囲の長さに合わせることができる。なお、アジャスターは、ベルト長を調節できるものであれば、独立したアジャスターでもよいし、連結具と一体となったものでもよい。
【００７８】
縦幅が幅広な本体ベルト部５１は、例えば、表生地１１０及び裏生地１２０の外装生地１５０の間に緩衝材を入れた所定の柔軟性、可撓性、弾性、硬度等を有する材料で形成され、使用者Ｍへの腰回りへの馴染みを良くし、食い込まない程度にフィット性を高め、使用者Ｍの腰回りに掛かる荷重を分散しやすくして、使用者Ｍへの負担を少なくしている。好ましくは、本体ベルト部５１においても、それを構成する外装生地１５０の全体または一部に上述したような通気性を有する生地を使用することで、蒸れ等を防止して、不快感を軽減できる。また、少なくとも使用者Ｍの腰回りに触れる内面側を吸水性のある綿生地等で形成することによっても吸湿性が向上する。
【００７９】
本発明を実施する場合には、表生地１１０及び裏生地１２０の外装生地１５０の間に、緩衝材として硬質なウレタンやポリオレフィン系発泡体からなる芯材及び軟質なウレタンやポリオレフィン系発泡体からなるクッション材を使用して本体ベルト部５１を形成することもできるし、表生地１１０及び裏生地１２０の外装生地１５０の間に、緩衝材としての立体網状構造体１００を入れて本体ベルト部５１を構成することも可能である。
【００８０】
特に、本体ベルト部５１においては、緩衝材としての立体網状構造体１００を配設することによって、ウレタン、ポリオレフィン系発泡体と比較して、軽量で通気性が高く、蒸れ等を軽減でき衛生的に保つことが可能となる。
つまり、立体網状構造体１００が通気性に優れることで、空気の通り道が形成されており、使用者Ｍの動きによっても、立体網状構造体１００内の空間の体積変化が生じることで空気の流れが促進されることから、湿気や熱が滞留し難く、蒸れ等を軽減できる。
【００８１】
特に、立体網状構造体１００の全体または一部が通気性を有する生地で覆われていると、新鮮な空気が取り入れられ湿気や熱が逃れやすい。また、立体網状構造体１００の高い空隙率により、使用者Ｍの汗等の湿気の発生に対しても、その湿気を収容できる容積を有するも、使用者Ｍの動きの動きが立体網状構造体１００内の空気層の体積変化となって、空気層の空気が排出及び供給されるから、通気性を有する生地を介して使用者Ｍや乳幼児Ｂの身体から発汗した汗を速やかに吸収でき、また、使用者Ｍや乳幼児Ｂの身体の湿気や熱を逃すことができる。よって、立体網状構造体１００に湿気や熱がこもることなく、暑さや蒸れを軽減でき、長時間の使用に対しても部分的に異常に体温が上昇することが防止されて、発汗対策、蒸れ対策にもなり、使用者Ｍの腰回りの蒸れ感による不快感を軽減できる。
【００８２】
勿論、本体ベルト部５１を構成する表生地１１０及び裏生地１２０の両面、即ち、使用者Ｍの身体にあてがわれる面及びそれとは反対面との本体ベルト部５１の表裏面で、通気性を有する生地を使用した場合には、立体網状構造体１００の通気性及び表裏の生地の通気性によって、厚み方向にも通気量が増すことで、蒸れがより一層軽減される。
【００８３】
そして、このように立体網状構造体１００を本体ベルト部５１の緩衝材として使用した際には、本体ベルト部５１が通気性に優れ湿気や熱が滞留し難いことで、ウレタン、ポリオレフィン系発泡体と比較して、細菌・カビも繁殖し難く、使用者Ｍからの汗の染み込みや細菌・カビの繁殖による臭気を防止することができる。更に、立体網状構造体１００によれば、連続した空間によって、通気性及び透水透湿性に優れることで、速乾性を有することから、洗濯しても水分の乾きが速くて、乾燥までに細菌が繁殖する恐れもなく、洗濯によって衛生さ、清潔さを保つことができる。よって、衛生特性が向上する。また、立体網状構造体１００を構成する連続線条体１０１が合成樹脂からなり、それらは不規則に蛇行して絡み合っており、かつ、蛇行した状態で随所に融着しているから、繰り返しの洗濯に耐える強度を有し、繰り返し洗濯してもクッション性が低下し難い。
【００８４】
更に、連続線条体１０１が３次元状に絡み合い、連続した空間を有する立体網状構造体１００の配設によって使用者Ｍの腰回りの受圧面積が広くなり、使用者Ｍにかかる圧力が分散されやすく、使用者Ｍが感じる重さを軽減できる。
特に、本体ベルト部５１に配設する立体網状構造体１００は、厚みが３ｍｍ〜３０ｍｍの範囲内が好ましく、より好ましくは、３ｍｍ〜１０ｍｍの範囲内である。そして、２５％圧縮時硬さが、１０Ｎ／φ２００〜２００Ｎ／φ２００以下の範囲内であれば、適度な弾性を有して、別途、硬質な芯材を用いなくとも使用者Ｍの腰回りに掛かる応力の集中が回避され、更に、適度な柔らかさがあることで、腰ベルト部５０の浮きが防止されて腰ベルト部５０を使用者Ｍの体型に応じて腰回りの曲線に沿ってフィットさせることができる。これより、馴染みが良くて使用者Ｍの腰回りに掛かる荷重が分散されやすく、特定の箇所で重みが集中しないので使用者Ｍの負担が軽減され、長時間の着用でも痛み等の不快感を感じ難くなる。そして、所定の硬さの立体網状構造体１００によって使用者Ｍの腰回りの体形に沿ってフィットし易くても、立体網状構造体１００が通気性を有することで、蒸れ難い。特に、使用者Ｍの腰回りにおいて、背腹部に比べて膨らみがないフラットな腰の背後側でも、フィットさせることが可能であり、おんぶしたときでも腰の背後にかかる負担が軽減され、楽になる。
また、立体網状構造体１００によれば、従来のウレタン、ポリオレフィン系発泡体からなる緩衝材と比較して、同等の緩衝作用としても軽量であり、装着する使用者Ｍにとっての重さや持ち運びの負担を少なくできる。
【００８５】
なお、本発明を実施する場合には、本体ベルト部５１に硬質のウレタン、ポリオレフィン系発泡体からなる芯材を配設し、身体への当たりを良くするために、使用者Ｍ側に立体網状構造体１００を配設する構成としてもよい。これによっても立体網状構造体１００が通気性に優れるため、湿気や熱が滞留し難いことで蒸れ等を軽減できる。また、立体網状構造体１００によって体圧が分散され、使用者Ｍの負担を軽減できる。
また、腰ベルト部５０の本体部１０や補助支持部２０への接続は、縫製であってもよいし、係合手段等による取付け、取り外し自在な構成であっても良い。
【００８６】
更に、本実施の形態のベビーキャリア１においては、補助保持部２０が本体部１０と共に腰ベルト部５０に縫い合わされている。
この補助保持部２０は、本体部１０の乳幼児Ｂ側に配設されて、その下端部が腰ベルト部５０に本体部１０と共に一体に取付けられているも、それ以外は本体部１０と分離自在とされており、本体部１０とは反対側で乳幼児Ｂの身体にあてがわれる。乳幼児Ｂを対面抱っこや前向きおんぶで保持する際には、乳幼児Ｂの反背側、即ち、股側や腹側にあてがわれることになる。
【００８７】
なお、図において、補助保持部２０は、本体部１０と腰ベルト部５０の接続横幅よりも内方にて本体部１０と共に腰ベルト部５０に縫製され、上方に延びた自由端の他端側に向かって徐々に幅広とした略台形状を呈している。補助保持部２０と腰ベルト部５０の関係も全体として略逆Ｔ字状に配設され、補助保持部２０の下端のみの縫製によって腰ベルト部５０に一体に接続されており、腰ベルト部５０の面方向に対して補助保持部２０も直角方向に折れ曲がり自在となっている。
【００８８】
そして、本実施の形態においては、本体部１０とは反対側で乳幼児Ｂの身体にあてがわれる補助保持部２０においても緩衝材としての立体網状構造体１００が配設される。
ここでも、緩衝材としての立体網状構造体１００が表生地１１０及び裏生地１２０からなる外装生地１５０で覆われて、補助支持部２０を構成している。つまり、袋状に閉じられた表生地１１０及び裏生地１２０からなる外装生地１５０に緩衝材としての立体網状構造体１００が入れられて補助支持部２０が構成されている。これにより、補助支持部２０は所定の柔軟性、可撓性、弾性等を有し、乳幼児Ｂの体形に無理が加わらないようにする。
更に、補助保持部２０においても、乳幼児Ｂ側または使用者Ｍ側の外装生地１５０、或いはその両方の表裏の外装生地１５０において、一部または全部に通気性を有する生地が使用される。
【００８９】
このように本実施の形態のベビーキャリア１において、本体部１０とは反対側の乳幼児Ｂの身体にあてがわれる補助保持部２０を設け、保持する乳幼児Ｂと使用者Ｍとの間で通気性を有する生地で被覆された立体網状構造体１００を配設することにより、乳幼児Ｂと使用者Ｍの間に空気の通り道ができ、湿気や熱が逃れやすくなるため異常な保温状態に至らない。また、乳幼児Ｂや使用者Ｍの動きによっても、立体網状構造体１００の空間（空気層）の体積変化が生じることから空気の流れが生じて、新鮮な空気の供給及び湿気や熱の高い空気の排出が促進される。更に、汗等の湿気の発生に対しても、立体網状構造体１００がその湿気を収容できる容積を有し、使用者Ｍの体や乳幼児Ｂの体から発汗した汗は速やかに吸収されるが、立体網状構造体１００の空間が連続していることによって、吸収した湿気は外部に放散されやすく、湿気や熱がこもり難い。よって、使用者Ｍ及び乳幼児Ｂの密着による暑さやむれは著しく軽減され、発汗対策、汗疹対策にもなり、乳幼児Ｂを保持したときにベトベト感、ジトジト感が生じない。更に、乳幼児Ｂ及び使用者Ｍの体形や動きが変化しても、補助保持部２０の追随変化によって違和感がない。加えて、使用者Ｍと乳幼児Ｂの間に補助保持部２０が介在することで、使用者Ｍの衣類に乳幼児Ｂの体温によって生じる皺が入るのを防止できる。また、立体網状構造体１００を覆う外装生地１５０が通気性を有さなくとも、連続線条体１０１の密度を高めると、空気を保持して断熱効果が得られる。
【００９０】
そして、このように立体網状構造体１００が通気性を有し湿気や熱が滞留し難いことから、また、合成樹脂からなる連続線条体１０１の不規則に蛇行した絡み合いによって連続線条体１０１の多くがループ状で合成樹脂屑も出にくいことから、細菌・カビも繁殖し難く、乳幼児Ｂや使用者Ｍからの汗の染み込みや細菌・カビの繁殖による臭気を防止することができる。更に、連続した空間によって、通気性及び透水透湿性に優れることで、速乾性を有することから、洗濯しても水分の乾きが速くて、乾燥までに細菌が繁殖する恐れもなく、洗濯によって衛生さ、清潔さを保つことができる。また、立体網状構造体１００を構成する連続線条体１０１が合成樹脂からなり、それらは不規則に蛇行して絡み合っており、かつ、蛇行した状態で随所に融着しているから、繰り返しの洗濯に耐える強度を有し、繰り返し洗濯してもクッション性が低下し難い。
加えて、立体網状構造体１００の適度なクッション性によって快適な抱き心地が得られる。
【００９１】
そして、補助保持部２０に配設される立体網状構造体１００は厚みが３ｍｍ以上、２０ｍｍ以下の範囲内、より好ましくは３ｍｍ以上、１０ｍｍ以下の範囲内のものが使用されることで、緩衝機能が発現されやすく、また、乳幼児Ｂや使用者Ｍの身体形状に対応して屈曲可能な程度に可撓性、柔軟性を有し、更に、携帯時の嵩張りも少ないものとなる。
補助保持部２０に配設する立体網状構造体１００の２５％圧縮時硬さは、１０Ｎ／φ２００以上、１５０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内である。
上記範囲内であれば、立体網状構造体１００が乳幼児Ｂと使用者Ｍの動きに追従して、体形への馴染みが良くて乳幼児Ｂと使用者Ｍの間でゴワゴワ感等の違和感のない密着感を確保することができる。
【００９２】
また、本実施の形態のベビーキャリア１においては、補助保持部２０の自由端側の左右両端部に、接続布地２５を介し、先端にアジャスター付きバックルの連結差込具２３を有する所定長の布ベルトからなる左右１対の連結調整部２２が取付けられ、また、本体部１０の乳幼児Ｂ側（外面側）の左右において背当部１２と臀当部１３の境界付近に連結差込具２３の係合に対応するバックルの連結受具２４が取付けられており、連結差込具２３と連結受具２４との連結係合により補助保持部２０の自由端側の左右側部と本体部１０の背当部１２と臀当部１３の境界付近の左右両側とを接続する所定長の接続部２１を形成する（図６参照）。
【００９３】
よって、本実施の形態のベビーキャリア１においては、本体部１０の乳幼児Ｂ側（内面側）で本体部１０と共に腰ベルト部５０に縫い付けられた補助保持部２０が、その左右両側で連結調整部２２及び連結差込具２３と連結受具２４の連結係合により形成される所定長の接続部２１によって本体部１０と接続されることで、本体部１０と補助保持部２０との間隔（距離）が固定され、本体部１０と補助保持部２０と接続部２１との間に形成された空間内で乳幼児Ｂが位置決めされる。これより、本体部１０と補助保持部２０と接続部２１との間に乳幼児Ｂが収容され、対面抱っこや前向きおんぶでは乳幼児Ｂの背側に本体部１０があてがわれ、乳幼児Ｂの反背側の腹側には補助保持部２０があてがわれ、そして、接続部２１によって乳幼児Ｂが横に倒れないように保持される。特に、接続部２１の下側において本体部１０の左右側縁部と補助保持部２０の左右側縁部との間に形成された環状の開口に乳幼児Ｂの脚が通されることになり、乳幼児Ｂの収容空間が規制されることで乳幼児Ｂのおんぶ時のそり返りや、抱っこ時に使用者Ｍの前屈姿勢等で本体部１０の頭当部１１側から乳幼児Ｂが落下してしまう事態を防止できる。更に、抱っことおんぶの切り替えを行って使用者Ｍに対する乳幼児Ｂの位置を移動するときでも、乳幼児Ｂの落下を防止して、熟練でなくとも使用者Ｍにとって抱っことおんぶの切り替えの操作を容易とする。
【００９４】
更に、本実施の形態のベビーキャリア１においては、左右１対の肩ベルト部４０が補助保持部２０の自由端側に縫い付けられている。
この左右１対の肩ベルト部４０は、その一端部が補助保持部２０の自由端側の上端部の左右に縫製によって堅固に取付けられ、その他端部が補助保持部２０の自由端側の上部の左右側部に接続布地２５を介して縫製によって堅固に取付けられている。即ち、本実施の形態の肩ベルト部４０は、補助保持部２０の上下方向に渡されている。
【００９５】
左右１対の肩ベルト部４０は、補助保持部２０及び本体部１０に直接的または間接的に接続して乳幼児Ｂの体重の多くを受けるので強度的に耐えられ、かつ、使用者Ｍの肩回りに取付けても使用者Ｍの体形に無理が掛からないように力（乳幼児Ｂの体重）の分散が行われる形態として、補助保持部２０の自由端側の上端に一体に接続し横幅が幅広な肩掛け部４１と、肩掛け部４１の他端に取付けられ補助保持部２０の自由端側の上部の左右側部側に接続する調節ベルト部４２から構成されている。
【００９６】
肩掛け部４１は、使用者Ｍの左肩または右肩に掛けられることから、所定の柔軟性、可撓性等を有する材料で形成され、使用者Ｍへの肩回りへの馴染みを良くし、フィット性を高めて使用者Ｍへの負担を少なくしている。例えば、表生地１１０及び裏生地１２０の外装生地１５０の間に緩衝材を入れて形成され、使用者Ｍの肩または首の背後の一部分が乳幼児Ｂの体重集中が生じないようにすることができる。また、肩掛け部４１においても、全体または一部に外装生地１５０に通気性を有する生地を使用することで、蒸れ等の湿気を防止して、不快感を軽減できる。更に、少なくとも使用者Ｍの肩回りに触れる内面側を吸水性のある綿生地等で形成することによっても吸湿性が向上する。
【００９７】
本発明を実施する場合には、表生地１１０及び裏生地１２０の外装生地１５０の間に、緩衝材として硬質なウレタンやポリオレフィン系発泡体からなる芯材及び軟質なウレタンやポリオレフィン系発泡体からなるクッション材を使用して肩掛け部４１を形成することもできるし、緩衝材として立体網状構造体１００を使用することも可能である。
肩掛け部４１において、緩衝材としての立体網状構造体１００を配設することによって、ウレタン、ポリオレフィン系発泡体と比較して、軽量で通気性が高く、蒸れ等を軽減でき衛生さを保つことが可能となる。
【００９８】
つまり、立体網状構造体１００が通気性に優れることで、空気の通り道が形成されており、使用者Ｍの動きによっても、立体網状構造体１００内の空間の体積変化が生じることで空気の流れが促進されることから、湿気や熱が滞留し難く、蒸れ等を軽減できる。
【００９９】
特に、立体網状構造体１００の全体または一部が通気性を有する生地で覆われていると、新鮮な空気が取り入れられ湿気や熱が逃れやすい。また、立体網状構造体１００の高い空隙率により、使用者Ｍの汗等の湿気の発生に対しても、その湿気を収容できる容積を有するも、使用者Ｍの動きの動きが立体網状構造体１００内の空気層の体積変化となって、空気層の空気が排出及び供給されるから、通気性を有する生地を介して使用者Ｍや乳幼児Ｂの身体から発汗した汗を速やかに吸収でき、また、使用者Ｍや乳幼児Ｂの身体の湿気や熱を逃すことができる。よって、立体網状構造体１００に湿気や熱がこもることなく、暑さや蒸れを軽減でき、長時間の使用に対しても部分的に異常に体温が上昇することが防止されて、発汗対策、蒸れ対策にもなり、使用者Ｍの肩回りの蒸れ感による不快感を軽減できる。
【０１００】
勿論、肩掛け部４１を構成する表生地１１０及び裏生地１２０の両面、即ち、使用者Ｍの身体にあてがわれる面及びそれとは反対面との肩掛け部４１の表裏面で、通気性を有する生地を使用した場合には、立体網状構造体１００の通気性及び表裏の生地の通気性によって、厚み方向にも通気量が増すことで、蒸れがより一層軽減される。
【０１０１】
そして、このように立体網状構造体１００を肩掛け部４１の緩衝材として使用した際には、肩掛け部４１が通気性に優れ湿気や熱が滞留し難いことで、ウレタン、ポリオレフィン系発泡体と比較して、細菌・カビも繁殖し難く、使用者Ｍからの汗の染み込みや細菌・カビの繁殖による臭気を防止することができる。更に、立体網状構造体１００によれば、連続した空間によって、通気性及び透水透湿性に優れることで、速乾性を有することから、洗濯しても水分の乾きが速くて、乾燥までに細菌が繁殖する恐れもなく、洗濯によって衛生さ、清潔さを保つことができる。よって、衛生特性が向上する。また、立体網状構造体１００を構成する連続線条体１０１が合成樹脂からなり、それらは不規則に蛇行して絡み合っており、かつ、蛇行した状態で随所に融着しているから、繰り返しの洗濯に耐える強度を有し、繰り返し洗濯してもクッション性が低下し難い。また、乳幼児Ｂのよだれや、吐き戻し等の付着に対しても、水分の乾きが速く、細菌・カビの繁殖を防止できる。
【０１０２】
更に、連続線条体１０１が３次元状に絡み合い、連続した空間を有する立体網状構造体１００の配設によって使用者Ｍの肩や背中回りの受圧面積が広くなり、使用者Ｍにかかる圧力が分散されやすく、使用者Ｍが感じる重さを軽減できる。
特に、肩掛け部４１に配設する立体網状構造体１００は、厚みが３ｍｍ〜３０ｍｍの範囲内が好ましく、より好ましくは、３ｍｍ〜１０ｍｍの範囲内である。そして、２５％圧縮時硬さが、１０Ｎ／φ２００〜２００Ｎ／φ２００以下の範囲内であれば、適度な弾性を有して、別途、硬質な芯材を用いなくとも使用者Ｍの肩回りに掛かる応力の集中が回避されて食い込みが少なく、更に、適度な柔らかさがあることで、馴染みが良くて使用者Ｍの肩回りに掛かる荷重が分散されやすく、特定の箇所で重みが集中しないので使用者Ｍの負担が軽減され、長時間の着用でも痛み等の不快感や肩凝りを感じ難くなる。そして、所定の硬さの立体網状構造体１００によって使用者Ｍの肩回りの体形に沿ってフィットし易くても、立体網状構造体１００が通気性を有することで、蒸れ難い。
【０１０３】
また、立体網状構造体１００によれば、従来のウレタン、ポリオレフィン系発泡体からなる緩衝材と比較して、同等の緩衝作用としても軽量であり、装着する使用者Ｍにとっての重さや持ち運びの負担を少なくできる。
なお、本発明を実施する場合には、肩掛け部４１に硬質のウレタン、ポリオレフィン系発泡体からなる芯材を配設し、身体への当たりを良くするために、使用者Ｍ側に立体網状構造体１００を配設する構成としてもよい。これによっても立体網状構造体１００が通気性に優れるため、湿気や熱が滞留し難いことで蒸れ等を軽減できる。また、立体網状構造体１００によって体圧が分散され、使用者Ｍの負担を軽減できる。
【０１０４】
そして、図において、肩掛け部４１の一端部に接続する調節ベルト部４２は、使用者Ｍの肩回りへの取付けに必要なベルト長が決められるように所定の長さを有する布ベルトからなるベルト部４２ａと、肩掛け部４１への接続側に配設されたアジャスタ４２ｂと補助保持部２０の左右側部への接続側に配設されたアジャスタ４２ｃとから構成される。
このように、所定長のベルト部４２ａの長さ方向の一端側にアジャスタ４２ｂが取付けられ、また、他端側でもアジャスタ４２ｃが取付けられていることで、ベルト長を調節自在とし、肩ベルト部４０の長さを使用者Ｍの肩に掛け、背後に回すその肩回り長さに合わせることができる。
【０１０５】
また、左右１対の肩ベルト部４０の肩掛け部４１には、本体部１０と接続するための回転式のバックルの連結差込具４３が取付けられている。この連結差込具４３が、本体部１０の乳幼児Ｂ側（内面側）で頭当部１１と背当部１２の境界付近の左右両側から乳幼児Ｂ側に突設した接続部１４の先端に取付けた回転式バックルの連結受具４４と連結係合することにより、回転式バックルの連結差込具４３及び連結受具４４と接続部１４とによって肩ベルト部４０と本体部１０が接続され、人為的にバックルの係合を外さない限り、肩ベルト部４０と本体部１０の接続状態が固定され、本体部１０と補助時支持部２０の間に収容された乳幼児Ｂの保持を可能とする。
【０１０６】
更に、本実施の形態の肩掛け部４１には、左右の肩ベルト部４０間の間隔を調整保持する肩ベルト調整部４６が設けられている。この肩ベルト調整部４６は、左肩に掛ける肩掛け部４１にベルト可動用アジャスター４８を介して取付けた所定長さの調整ベルト部４６ａの先端にバックルの連結差込具４６ｃを取付け、また、右肩に掛ける肩掛け部４１にベルト可動用アジャスター４８及びベルト布４６ｂを介してバックルの連結受具４６ｄを取付けており、連結差込具４６ｃと連結受具４６ｄが係合自在となっている。そして、バックルの連結差込具４６ｃのアジャスターに取付けた調整ベルト部４６ａによるベルト長の調節により、左右の肩ベルト部４０間を接続する肩ベルト調整部４６の接続長さを調節して、左右の肩ベルト部４０相互間の間隔（距離）が調整できるようになっている。なお、本発明を実施する場合には、連結差込具４６ｃと連結受具４６ｄの両者にアジャスター機能を設けても良いし、何れか一方のみでもよいし、アジャスター機能を独立させてもよい。
【０１０７】
これにより、左右の肩ベルト部４０を肩に掛けた状態で、肩ベルト調整部４６の連結差込具４６ｃと連結受具４６ｄを連結係合することで、左右の肩ベルト部４０の間隔が固定されて所定の距離を保つことができ、左右の肩ベルト部４０が肩から外れることがなくなる。また、アジャスターに取付けた調整ベルト部４６ａによるベルト長によるベルト長の調節により、使用者Ｍの体型、使い勝手、好みや乳幼児Ｂの抱き方等に応じて、乳幼児Ｂの体重を支持する支点を使用者Ｍにとって負担の少ない位置に調節できる。よって、肩の凝りやすい人でも、肩の負担を軽減できる。
【０１０８】
加えて、本実施の形態の肩ベルト調整部４６は、肩掛け部４１の表面上に沿って配設したスライドベルト４７に対して４方向にベルト通し部があるベルト可動用アジャスター４８を介して摺動自在とされ、肩ベルト調整部４６の位置が肩掛け部４１の表面上で移動自在となっている。
したがって、左右１対の肩ベルト部４０を使用者Ｍの肩に掛けた際でも肩ベルト調整部４６の位置を移動させて肩ベルト調整部４６の連結差込具４６ｃと連結受具４６ｄの連結係合の位置を使用者Ｍにとって連結係合の操作がし易い最適な位置に調節できる。また、使用者Ｍの体型、使い勝手、好みや乳幼児Ｂの抱き方等に応じて、乳幼児Ｂの体重を支持する支点を使用者Ｍにとって負担の少ない位置に調節できる。これによっても、肩の凝る人には肩の負担を軽減できる。
因みに、本発明を実施する場合には、左右の肩ベルト部４０相互間の間隔（距離）を調節したり、固定したりする手段は、バックルの連結やバックルの摺動によるものに限定されることはない。また、これらの機能は一つの部材で行ってもよいし、別々の部材で行ってもよい。
【０１０９】
なお、図においては、肩ベルト部４０の肩掛け部４１に取付けられた連結差込具４３を、肩掛け部４１に取付けた被覆カバー４５によって被覆することにより、乳幼児Ｂが誤ってバックルの係合を解除してしまうのを防止している。また、プラスチックで形成されるバックルの紫外線等による劣化を防止する。更に、肩掛け部４１に乳幼児Ｂの唇が当たり、それによって乳幼児Ｂの唇が刺激され、肩ベルト部４０を舐めることがあっても、肩掛け部４１に取付けた被覆カバー４５によって被覆することにより、バックルで乳幼児Ｂの唇や舌を怪我させることがない。
【０１１０】
本実施の形態のベビーキャリア１においては、更に、本体部１０と補助保持部２０の間に渡されて配設され、長さ方向に折り畳む長さ調節によって本体部１０と補助保持部２０の間の深さの調節を自在とし、乳幼児１０の臀部の沈み深さを位置決めする位置決め座部３０を有する。この位置決め座部３０も乳幼児Ｂの身体に直接的にあてがわれることになるため、所定の柔軟性、可撓性等を有する材料で形成される。
【０１１１】
図において、位置決め座部３０は、本体部１０の背当部１２と臀当部１３の境界部付近から一体に延びて中心側に向かって徐々に幅狭とされたのち、反対側の他端部に向かって徐々に幅広とされ、乳幼児Ｂを対面抱っこや前向きおんぶで保持する際に乳幼児１０の臀部にあてがわれる第２の臀当部３１と、第２の臀部当部３１から一定の横幅で一体に延びて形成され長さ寸法を調節可能とする長さ調節部３２とからなる。
【０１１２】
第２の臀当部３１から一体に形成された長さ調節部３２は、横幅が一定に形成され、本体部１０及び補助保持部２０の対向側とは反対の裏面側に、その長さ寸法を調節可能とするための調節具としてのスライド式ファスナ３３の１対の雌側３３ａと雄側３３ｂを有し、このスライド式ファスナ３３の１対の雌側３３ａと雄側３３ｂは、所定距離、離れて取付けられている。
【０１１３】
よって、長さ調節部３２において所定距離、離して取付けたスライド式ファスナ３３の１対の雌側３３ａと雄側３３ｂを合わせて閉じることにより、雌側３３ａと雄側３３ｂの間の長さが折り畳まれた状態で固定され、本体部１０と補助保持部２０の間を接続する位置決め台座部３０の長さが短縮されることになる。一方、スライド式ファスナ３３の１対の雌側３３ａと雄側３３ｂの係合を解除している状態では折り畳みが展開され、位置決め台座部３０は本来の長さによって本体部１０と補助保持部２０の間を接続する。
【０１１４】
これより、本体部１０と補助保持部２０との間に乳幼児Ｂを配置した際、本体部１０と補助保持部２０の間を渡す位置決め台座部３０のスライド式ファスナ３３の１対の雌側３３ａと雄側３３ｂの係合がなされていない状態では、本体部１０と補助保持部２０の間に配設された位置決め台座部３０の長さが長いため、本体部１０と補助保持部２０の間の深さが深く、本体部１０と補助保持部２０の間に収容されて位置決め台座部３０に臀部が受け止められる乳幼児Ｂは、その臀部の沈み深さが深くなる。即ち、乳幼児Ｂの臀部が低い位置で位置決めされることになる。
【０１１５】
一方で、本体部１０と補助保持部２０の間を渡す位置決め台座部３０のスライド式ファスナ３３の１対の雌側３３ａと雄側３３ｂを合わせて閉じた係合状態では、１対の雌側３３ａと雄側３３ｂ間の長さが折り畳まれて本体部１０と補助保持部２０の間を接続している位置決め台座部３０の接続長さが短縮されることから、位置決め台座部３０によって本体部１０と補助保持部２０の間の深さが底上げされ、本体部１０と補助保持部２０の間に収容されて位置決め台座部３０に臀部が受け止められる乳幼児Ｂは、その臀部の沈み深さが浅くなる。即ち、乳幼児Ｂの臀部が高い位置で位置決めされることになる。
【０１１６】
したがって、本実施の形態のベビーキャリア１によれば、保持対象とする乳幼児Ｂの身長が低いときには、本体部１０と補助保持部２０の間に渡されて配設された位置決め台座部３０のスライド式ファスナ３３の１対の雌側３３ａと雄側３３ｂを係合させて、位置決め台座部３０において本体部１０と補助保持部２０の間の接続長さを短くすることで、乳幼児Ｂの臀部の沈みが高い位置で位置決めされることから、保持する乳幼児Ｂの身長が低くても本体部１０と乳幼児Ｂの位置関係において乳幼児Ｂの頭部が低い位置とならず、乳幼児Ｂの頭部が頭当部１１に適切に配置され、本体部１０と補助保持部２０の間で乳幼児Ｂの身体が沈み込む姿勢とならずに、負担の少ない快適な姿勢で乳幼児Ｂが安定して保持される。
【０１１７】
そして、保持対象とする乳幼児Ｂの身長が高いときには、即ち、成長により乳幼児Ｂが大きくなった際には、スライド式ファスナ３３の１対の雌側３３ａと雄側３３ｂの係合を解いて、位置決め台座部３０において本体部１０と補助保持部２０の間の接続長さを本来の長さに展開することで、乳幼児Ｂの臀部の沈みが低い位置で位置決めされることから、乳幼児Ｂの身体に対して適切な位置で本体部１０の頭当部１１、背当部１２、臀当部１３があてがわれ、負担の少ない快適な姿勢で乳幼児Ｂが安定して保持される。
【０１１８】
また、乳幼児Ｂを使用者Ｍの背中側で使用者Ｍと同一方向に向けた前向きおんぶする場合では、本体部１０及び補助保持部２０の間を接続する位置決め台座部３０の長さを短くして乳幼児Ｂの臀部の位置を高くできることで、乳幼児Ｂの位置を使用者Ｍの腰の位置からより離れた位置で保持できることになるから、使用者Ｍの背骨と乳幼児Ｂの背骨が反発することなく使用者Ｍの曲線状の背骨ラインの形状に対して乳幼児Ｂの曲線状の背骨ラインの形状が沿いやすく、使用者Ｍに乳幼児Ｂが密着しやすくなる。よって、使用者Ｍ及び乳幼児Ｂにとって楽な姿勢で快適な保持が可能となる。特に、乳幼児Ｂをおんぶする使用者Ｍは抱っこよりも乳幼児Ｂの重みを感じ難くなり、楽に保持できる。また、使用者Ｍに乳幼児Ｂが密着しやすくなることによって、乳幼児Ｂの後方への反り返りが生じ難い状態のものとなる。
なお、本体部１０及び補助保持部２０の間の長さを本来の長さとした位置決め台座部３０に乳幼児Ｂの臀部を着地させて低い位置でおんぶする場合でも、補助保持部２０と本体部１０が接続部２１によって接続されて、補助保持部２０と本体部１０と接続部２１によって形成される環状に乳幼児Ｂの脚が通されていることで、乳幼児Ｂの反り返りによる落下を防止できる。
【０１１９】
このような位置決め座部３０においても、乳幼児Ｂの身体にあてがわれることから、所定の柔軟性、可撓性等を有する材料で形成され、例えば、表生地１１０及び裏生地１２０の外装生地１５０の間に緩衝材を入れて形成することで、乳幼児Ｂの、抱き心地、座り心地を快適にできる。例えば、乳幼児１０の臀部にあてがわれる第２の臀当部３１において、それを構成する表生地１１０及び裏生地１２０との相互間に立体網状構造体１００を配設することにより、乳幼児Ｂの臀部を柔らかく受けることがき、臀部の落ち込みを容易とし、乳幼児Ｂの重心位置を安定して保持安定性を高めることができる。そして、長時間保持する場合でも、乳幼児Ｂの臀部へのフィット性が高く、臀部にかかる圧力が分散されることで快適な座り心地となり、乳幼児Ｂの臀部への負担が軽減される。
【０１２０】
位置決め座部３０に配設する立体網状構造体１００の２５％圧縮時硬さは、１０Ｎ／φ２００以上、１５０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内である。
上記範囲内であれば、乳幼児Ｂの臀部を落ち込み易くし、臀部の重心位置を安定化させて位置ずれを防止することにより、乳幼児Ｂの安定した沈みを得て保持安定性を高め、使用者Ｍ及び乳幼児Ｂにとって負担の少ない快適な姿勢での保持を可能とする。また、乳幼児Ｂの脚に触れてもそれに追従し、乳幼児Ｂの脚の動きが制限され難い。殊に、首据わり前の低月齢の乳幼児Ｂを保持する際でも、乳幼児Ｂの臀部が落ち込み易いことで、乳幼児Ｂの臀部の位置よりも高い位置で膝が曲げられ、Ｍ字開脚とする自然な開脚姿勢で、乳幼児Ｂの重心が脚側ではなく臀部にかかり、乳幼児Ｂの体形に負担の少ない保持を可能とする。
【０１２１】
本実施の形態のベビーキャリア１においては、乳幼児Ｂの身体にあてがう保持部として乳幼児Ｂの反使用者側で乳幼児Ｂの身体の臀部にあてがう部位が本体部１０の臀当部１３と位置決め座部３０の第２の臀当部３１からなるが、臀当部１３または第２の臀当部３１の何れか、或いは、臀当部１３と第２の臀当部３１の両方に立体網状構造体１００を配設することによって、乳幼児Ｂの臀部が落ち込み易くなり、乳幼児Ｂの重心位置が安定して保持安定性が向上する。また、乳幼児Ｂの臀部にかかる圧力が分散されやすくなり、座り心地が向上し、乳幼児Ｂの負担も軽減される。勿論、長さ調節部３２にも立体網状構造体１００が配設されることで、乳幼児Ｂの座り心地が向上される。しかし、本実施の形態のベビーキャリア１においては、長さ調節部３２の長さを長くした状態では、それが補助保持部２０と重なり合って乳幼児Ｂの身体の股側にあてがわれることから、位置決め座部３０に立体網状構造体１００を配設する場合、乳幼児Ｂの股側の嵩張り、ゴワツキ等を考慮し乳幼児Ｂの臀部にあてがう部位のみの部分的な配設であっても良い。勿論、ベビーキャリア１の目的等に応じて、位置決め座部３０に立体網状構造体１００を配設する場合、乳幼児Ｂの股側にあてがう部位のみの部分的な配設とすることも可能である。
【０１２２】
特に、立体網状構造体１００の通気性が高いことで、乳幼児Ｂの臀部に密着しても蒸れ難く、おむつかぶれ等も招き難い。また、上述したように、衛生面の特性も良好となる。
そして、この位置決め座部３０においても、乳幼児Ｂに直接的にあてがわれることになることから、全体または一部に外装生地に通気性を有する生地を使用することで、蒸れ等の湿気を防止して、不快感を軽減できる。また、少なくとも乳幼児Ｂに触れる上面側（表面側）を吸水性のある綿生地等で形成することによっても吸湿性が向上する。
【０１２３】
なお、折り畳みを可能とする長さ調節部３２においても、折り畳み可能な程度に柔軟性、可撓性を有し、乳幼児Ｂに違和感や不快感を与えることない程度に弾性、緩衝性を有してもよく、薄い厚みで立体網状構造体１００を配設することも可能である。
そして、この位置決め座部３０においては、乳幼児１０の重みを受ける外力が加わったときにその重力方向に弾性力が強く働いて伸長、弾性変形することのない伸縮性の少ない材料で形成される。
【０１２４】
以上、説明してきたように、本実施の形態に係るベビーキャリア１は、乳幼児Ｂを抱っこまたはおんぶにより乳幼児Ｂの身体にあてがい乳幼児Ｂを保持する保持部として本体部１０、補助保持部２０、位置決め部３０を有するベビーキャリア１において、乳幼児Ｂを保持する保持部としての本体部１０、補助保持部２０、位置決め部３０は、外装生地１５０及び外装生地１５０に包まれた緩衝材で構成され、緩衝材は合成樹脂からなる連続線条体１０１が不規則に蛇行して絡み合い、しかも、蛇行した状態で随所に融着し、連続線条体１０１間の空間が連通して通気性のある立体網状構造体１００からなるものである。
【０１２５】
即ち、本実施の形態に係るベビーキャリア１は、乳幼児Ｂの身体にあてがわれて乳幼児Ｂを保持する保持部としての本体部１０、補助保持部２０、位置決め部３０に配設され、保持部としての本体部１０、補助保持部２０、位置決め部３０を構成する一方の表生地１１０及び表生地に対向する他方の裏生地１２０からなる外装生地１５０に入れられた緩衝材が、合成樹脂からなる連続線条体１０１が不規則に蛇行して絡み合っており、かつ、蛇行した状態で随所に融着してなり、連続線条体１０１間の空間が連通して通気性のある立体網状構造体１００からなるものである。
【０１２６】
したがって、本実施の形態に係るベビーキャリア１によれば、立体網状構造体１００の配設によって、外力が加わると、それを構成する湾曲した連続線条体１０１の湾曲の曲率が変化すると共に、連続線条体１０１間の空間が変形し、外力が解除されると、連続線条体１０１が元の曲率に戻り、空間が回復するクッション性（弾力性）に優れる。特に、連続線条体１０１同士が融着されているため、受圧面積が広く、外力が加えられたときには、立体網状構造体１００の全体が変形し、少ない沈み込み深さで使用者Ｍや乳幼児Ｂの身体を支えて身体にかかる圧力を均等に分散させ、厚みが薄くても底付き感が少ないクッション性を有する。
しかも、立体網状構造体１００を構成する連続線条体１０１間の空間が連通して、通気性に優れ、特に、乳幼児Ｂや使用者Ｍの動きによっても空間が変形し、空気の流れが生じるから、湿気や熱が滞留し難く、暑さを軽減し、蒸れ等の発生を防止できる。
よって、乳幼児Ｂにとって快適な抱き心地が得られ、長時間使用して際でも乳幼児Ｂにかかる負担が軽減される。
【０１２７】
そして、このように立体網状構造体１００に湿気や熱が滞留し難いことで、細菌やカビ等も繁殖し難く、更に、連続線条体間１０１の空間が連通して通気性及び透水透湿性に優れることで、水分の乾きも速く、また、立体網状構造体１００を構成する連続線条体１０１が合成樹脂からなり、それらは不規則に蛇行して絡み合って、かつ、蛇行した状態で随所に融着しているから、繰り返しの洗濯に耐える強度を有し、繰り返し洗濯してもクッション性等の特性が低下し難い。よって、衛生さ、清潔さを維持することができる。
【０１２８】
特に、立体網状構造体１００からなる緩衝材が入れられた外装生地１５０の一部または全部が空気の出入りを許容するメッシュ状繊維に形成されると、立体網状構造体１００を構成する連続線条体１０１間の空間への新鮮な空気の供給及び連続線条体１０１間の空間が保持していた空気の排出がなされることで、乳幼児Ｂや使用者Ｍからの湿気や熱が逃れやすくなり部分的な体温の上昇を防止でき、より一層蒸れを生じ難くできる。また、衛生面の特性も向上する。更に、生地が網目構造または通気孔を複数設けたメッシュ状とすることで柔軟性やストレッチ性も増し、乳幼児Ｂや使用者Ｍの体形や動きへのフィット性、馴染みが良くなる。加えて、軽量化されるから、使用者Ｍへの負担も軽減される。
【０１２９】
このようにして、本実施の形態に係るベビーキャリア１によれば、クッション性を有するも蒸れ難くて快適な保持を可能とし、長時間乳幼児Ｂを保持しても乳幼児Ｂの疲れを少なくできる。また、衛生面の特性が向上する。
そして、ヘッドフードを使用しても湿気や熱がこもり難く、寝かしつけにも有利で、また、睡眠中の乳幼児Ｂでも過剰に汗をかくのが防止され、快適な睡眠環境を作り出すことができる。
更に、立体網状構造体１００の通気性が高く、湿気や熱が緩衝材にこもり難いことで、暑さが緩和され、蒸れが軽減されるから、発汗対策、暑さ及び蒸れ対策、汗疹対策になり、汗疹やアトピー性皮膚炎等の患部を衛生的に保つことができて悪化を防止でき、またそれらの発症を防ぐことができる。
加えて、立体網状構造体１００の連通した空隙により、アルコール等の消臭、除菌スプレーを噴霧した際でも湿気が溜まることなく、広範囲に分布できることで、清潔、衛生ささを保つことができる。
【０１３０】
そして、乳幼児Ｂの身体にあてがわれて乳幼児Ｂを保持する保持部において、使用者Ｍ側とは反対側で乳幼児Ｂの身体にあてがわれる本体部１０に、立体網状構造体１０を配設することで、乳幼児Ｂの身体に対して広い面積で支持する部位の立体網状構造体１００によって圧迫、揺れ、衝撃が緩和され、長時間使用した際でも乳幼児Ｂの姿勢に無理がかからず負担を軽減できるも、乳幼児Ｂからの汗等の湿気や熱が立体網状構造体１００に溜まり難くて効果的に乳幼児Ｂの暑さや蒸れを防止でき、乳幼児Ｂにとっての快適性がより高いものとなる。
【０１３１】
ここで、乳幼児Ｂの身体にあてがわれて乳幼児Ｂを保持する保持部としての本体部１０において、乳幼児Ｂを対面抱っこや前向きおんぶで保持する際に乳幼児Ｂの身体の頭部にあてがわれる部位としての頭当部１１に配設する立体網状構造体１００の硬さや反発力が、小さ過ぎると乳幼児Ｂの首部及び頭部がぐらついてしまったり睡眠時等に頭が後方へ垂れてしまったりするため、別途芯材が必要となる。一方で、大き過ぎると身体への当たりが強くなる。
本発明者らの実験研究によれば、２５％圧縮時硬さ（立体網状構造体１００を２００ｍｍ径の円形状の圧縮板にて７５％まで圧縮した後に再度２５％圧縮した時の応力）が、１０Ｎ／φ２００以上、１８０Ｎ／φ２００以下の範囲内、より好ましくは、１０Ｎ／φ２００以上、１３０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内、より好ましくは４ｋｇ／φ１５０以上、１０ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内であれば、別途硬質な芯材を設けなくとも、乳幼児Ｂの頭部及び首部を支持し、衝撃を緩和できる。
【０１３２】
即ち、乳幼児Ｂの身体にあてがわれて乳幼児Ｂを保持する保持部において乳幼児Ｂの頭部にあてがわれる部位に配設する立体網状構造体１００は、１０Ｎ／φ２００以上、１８０Ｎ／φ２００以下の範囲内の２５％圧縮時硬さであることが好ましく、１０Ｎ／φ２００以上、１３０Ｎ／φ２００以下の範囲内の２５％圧縮時硬さがより好ましい。
乳幼児Ｂの腹側を使用者Ｍに向けて配置する対面抱っこや前向きおんぶの際に、保持部において乳幼児Ｂの身体の頭部にあてがわれる部位に配設する立体網状構造体１００の２５％圧縮時硬さが、１０Ｎ／φ２００以上、１８０Ｎ／φ２００以下の範囲内であれば、別途硬質な芯材を設けなくとも、乳幼児Ｂの頭部及び首部を支持し、衝撃を緩和できる。
【０１３３】
また、乳幼児Ｂの身体にあてがわれて乳幼児Ｂを保持する保持部において乳幼児Ｂの頭部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、１５ｋｇ／φ１５０以下の範囲内が好ましく、４ｋｇ／φ１５０以上、１０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の頭部にあてがわれる部位に配設する立体網状構造体１００の２５％（押込量５ｍｍ）圧縮時の反発力が３ｋｇ／φ１５０以上、１５ｋｇ／φ１５０以下の範囲内であれば、別途硬質な芯材を設けなくとも、乳幼児Ｂの頭部及び首部を支持し、衝撃を緩和できる。
【０１３４】
そして、乳幼児Ｂの身体にあてがわれて乳幼児Ｂを保持する保持部において乳幼児Ｂの頭部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、１０ｋｇ／φ１５０以上、３０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の頭部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、別途硬質な芯材を設けなくとも、乳幼児Ｂの頭部及び首部を支持し、衝撃を緩和できる。
【０１３５】
また、乳幼児Ｂの身体にあてがわれて乳幼児Ｂを保持する保持部としての本体部１０において、乳幼児Ｂを対面抱っこや前向きおんぶで保持する際に乳幼児Ｂの身体の腰部から背中部にあてがわれる部位としての背当部１２に配設する立体網状構造体１００の硬さや反発力が、小さ過ぎるとおんぶ時のそり返りの防止効果が小さく、一方で、大き過ぎると身体への当たりが強くなる。
本発明者らの実験研究によれば、２５％圧縮時硬さ（立体網状構造体１００を２００ｍｍ径の円形状の圧縮板にて７５％圧縮した後に再度２５％圧縮した時の応力）が、１０Ｎ／φ２００以上、１８０Ｎ／φ２００以下の範囲内、より好ましくは、１０Ｎ／φ２００以上、１５０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内、より好ましくは３ｋｇ／φ１５０以上、１５ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは１５ｋｇ／φ１５０以上、３０ｋｇ／φ１５０以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３６】
即ち、乳幼児Ｂの身体にあてがわれて乳幼児Ｂを保持する保持部において乳幼児Ｂの背中部にあてがわれる部位に配設する立体網状構造体１００は、１０Ｎ／φ２００以上、１８０Ｎ／φ２００以下の範囲内の２５％圧縮時硬さであることが好ましく、１０Ｎ／φ２００以上、１５０Ｎ／φ２００以下の範囲内の２５％圧縮時硬さがより好ましい。
乳幼児Ｂの腹側を使用者Ｍに向けて配置する対面抱っこや前向きおんぶの際に、保持部において乳幼児Ｂの身体の背中部にあてがわれる部位に配設する立体網状構造体１００の２５％圧縮時硬さが、１０Ｎ／φ２００以上、１５０Ｎ／φ２００以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３７】
また、乳幼児Ｂの身体にあてがわれて乳幼児Ｂを保持する保持部において乳幼児Ｂの背中部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、２０ｋｇ／φ１５０以下の範囲内が好ましく、３ｋｇ／φ１５０以上、１５ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の背中部にあてがわれる部位に配設する立体網状構造体１００の２５％（押込量５ｍｍ）圧縮時の反発力が３ｋｇ／φ１５０以上、２０ｋｇ／φ１５０以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３８】
そして、乳幼児Ｂの身体にあてがわれて乳幼児Ｂを保持する保持部において乳幼児Ｂの背中部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、１５ｋｇ／φ１５０以上、３０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の背中部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３９】
更に、乳幼児Ｂの身体にあてがわれて乳幼児Ｂを保持する保持部としての本体部１０において、乳幼児Ｂを対面抱っこや前向きおんぶで保持する際に乳幼児Ｂの身体の臀部にあてがわれる部位としての臀当部１３の中央部１３Ａや位置決め台座部３０の第２の臀部当部３１に配設する立体網状構造体１００の硬さや反発力が、小さ過ぎると体圧分散効果が小さく快適な座り心地が得られない。一方で、大き過ぎると臀部の落ち込みが少なく、保持安定性に欠ける。
本発明者らの実験研究によれば、２５％圧縮時硬さ（立体網状構造体１００を２００ｍｍ径の円形状の圧縮板にて７５％圧縮した後に再度２５％圧縮した時の応力）が、１０Ｎ／φ２００以上、１５０Ｎ／φ２００以下の範囲内、より好ましくは、１０Ｎ／φ２００以上、１３０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内、より好ましくは３ｋｇ／φ１５０以上、１０ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
【０１４０】
即ち、乳幼児Ｂの身体にあてがわれて乳幼児Ｂを保持する保持部において乳幼児Ｂの臀部にあてがわれる部位に配設する立体網状構造体１００は、１０Ｎ／φ２００以上、１５０Ｎ／φ２００以下の範囲内の２５％圧縮時硬さであることが好ましく、１０Ｎ／φ２００以上、１３０Ｎ／φ２００以下の範囲内の２５％圧縮時硬さがより好ましい。
乳幼児Ｂの腹側を使用者Ｍに向けて配置する対面抱っこや前向きおんぶの際に、保持部において乳幼児Ｂの身体の臀部にあてがわれる部位に配設する立体網状構造体１００の２５％圧縮時硬さが、１０Ｎ／φ２００以上、１５０Ｎ／φ２００以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
【０１４１】
また、乳幼児Ｂの身体にあてがわれて乳幼児Ｂを保持する保持部において乳幼児Ｂの臀部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、２０ｋｇ／φ１５０以下の範囲内が好ましく、３ｋｇ／φ１５０以上、１０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の臀部にあてがわれる部位に配設する立体網状構造体１００の２５％（押込量５ｍｍ）圧縮時の反発力が３ｋｇ／φ１５０以上、２０ｋｇ／φ１５０以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
【０１４２】
そして、乳幼児Ｂの身体にあてがわれて乳幼児Ｂを保持する保持部において乳幼児Ｂの臀部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、５ｋｇ／φ１５０以上、２５ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の臀部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
なお、本発明を実施する場合には、乳幼児Ｂの身体の臀部にあてがわれる部位としての臀当部１３の中央部１３Ａ及び位置決め台座部３０の第２の臀部当部３１の両方に立体網状構造体１００を配設してもよいし、臀当部１３の中央部１３Ａまたは位置決め台座部３０の第２の臀部当部３１の何れかの配設であってもよい。
【０１４３】
更にまた、乳幼児Ｂの身体にあてがわれて乳幼児Ｂを保持する保持部において、乳幼児Ｂの身体の太股にあてがわれる部位としての臀当部１３の端部１３Ｂに配設する立体網状構造体１００の硬さや反発力が、小さ過ぎると乳幼児Ｂの身体の太股への応力集中が大きく、一方で、大き過ぎても太股への圧迫が強く、太股への負担が大きい。
本発明者らの実験研究によれば、２５％圧縮時硬さ（立体網状構造体１００を２００ｍｍ径の円形状の圧縮板にて７５％圧縮した後に再度２５％圧縮した時の応力）が、１０Ｎ／φ２００以上、１８０Ｎ／φ２００以下の範囲内、より好ましくは、１０Ｎ／φ２００以上、１３０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内、より好ましくは４ｋｇ／φ１５０以上、１０ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内であれば、乳幼児Ｂの太股に触れる部位への応力集中、圧迫による負担を少なくできる。
【０１４４】
即ち、乳幼児Ｂの身体にあてがわれて乳幼児Ｂを保持する保持部において乳幼児Ｂの太股部にあてがわれる部位に配設する立体網状構造体１００は、１０Ｎ／φ２００以上、１８０Ｎ／φ２００以下の範囲内の２５％圧縮時硬さであることが好ましく、１０Ｎ／φ２００以上、１３０Ｎ／φ２００以下の範囲内の２５％圧縮時硬さがより好ましい。
乳幼児Ｂの腹側を使用者Ｍに向けて配置する対面抱っこや前向きおんぶの際に、または、乳幼児Ｂの背側を使用者Ｍに向けて配置する前向き抱っこや後ろ向きおんぶの際に、保持部において乳幼児Ｂの身体の太股にあてがわれる部位に配設する立体網状構造体１００の２５％圧縮時硬さが、１０Ｎ／φ２００以上、１８０Ｎ／φ２００以下の範囲内であれば、乳幼児Ｂの太股に触れる部位への応力集中、圧迫による負担を少なくできる。
【０１４５】
また、乳幼児Ｂの身体にあてがわれて乳幼児Ｂを保持する保持部において乳幼児Ｂの太股部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、１５ｋｇ／φ１５０以下の範囲内が好ましく、４ｋｇ／φ１５０以上、１０ｋｇ／φ１５０以下の範囲内がより好ましい。
乳幼児Ｂの腹側を使用者Ｍに向けて配置する対面抱っこや前向きおんぶの際に、または、乳幼児Ｂの背側を使用者Ｍに向けて配置する前向き抱っこや後ろ向きおんぶの際に、保持部において乳幼児Ｂの身体の臀部にあてがわれる部位に配設する立体網状構造体１００の２５％（押込量５ｍｍ）圧縮時の反発力が３ｋｇ／φ１５０以上、１５ｋｇ／φ１５０以下の範囲内であれば、乳幼児Ｂの太股に触れる部位への応力集中、圧迫による負担を少なくできる。
【０１４６】
そして、乳幼児Ｂの身体にあてがわれて乳幼児Ｂを保持する保持部において乳幼児Ｂの太股部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、１０ｋｇ／φ１５０以上、３０ｋｇ／φ１５０以下の範囲内がより好ましい。
乳幼児Ｂの腹側を使用者Ｍに向けて配置する対面抱っこや前向きおんぶの際に、または、乳幼児Ｂの背側を使用者Ｍに向けて配置する前向き抱っこや後ろ向きおんぶの際に、保持部において乳幼児Ｂの身体の臀部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、乳幼児Ｂの太股に触れる部位への応力集中、圧迫による負担を少なくできる。
【０１４７】
なお、上記２５％圧縮時硬さとは、ＪＩＳ  Ｋ  ６４００−２に準拠して、立体網状構造体１００を２００ｍｍ径の円形状の圧縮板にて垂直方向に初めの厚さの７５％まで圧縮して押し込んだ後、直ちに荷重を除き、再び直ぐに初めの厚さの２５％まで押し込み、静止後２０秒経過時の荷重を測定して得られたものである。
また、上記反発力は、厚さ２０ｍｍの立体網状構造体１００を１５０ｍｍ径の円形状の圧縮板にのせ垂直方向に円板中央で荷重を加え、立体網状構造体１００が５ｍｍ、１０ｍｍまで押し込んだ際に加わっている荷重を測定して得られたものである。
荷重の測定器具としては、例えば、株式会社イマダ製のデジタルフォースゲージＺＰＳ、ロードセルＺＰＳ−ＤＰＵ−１０００Ｎ等がある。
【０１４８】
また、本実施の形態に係るベビーキャリア１によれば、更に、本体部１０とは反対側で乳幼児Ｂの身体にあてがわれる補助保持部２０を有し、この補助保持部２０に立体網状構造体１００を配設することで、即ち、乳幼児Ｂを保持する使用者Ｍ側で乳幼児Ｂの身体にあてがわれる補助保持部２０が、補助保持部２０を構成する一方の表生地１１０及び表生地１１０に対向する他方の裏生地１２０からなる外装生地１５０に包まれた立体網状構造体１００からなることで、立体網状構造体１００を覆う外装生地１５０が通気性を有する場合には、空気の通り道が確保されて、使用者Ｍや乳幼児Ｂからの汗等の湿気や熱を逃すことができる。よって、部分的な体温の上昇を防止でき、蒸れを生じ難くできる。また、立体網状構造体１００を覆う外装生地１５０が通気性を有さなくとも、連続線条体１０１間の空間が空気を収容して、立体網状構造体１００による断熱効果が得られる。
したがって、使用者Ｍと乳幼児Ｂの相互間の熱の伝わりが遮断されて両者の密着による熱や湿気の溜まりを防止し、部分的な体温の上昇や蒸れを生じ難くできる。これより、使用者Ｍ及び乳幼児Ｂにとって蒸れ等による不快感を軽減し、保持の快適性を向上させることができる。
【０１４９】
そして、乳幼児Ｂを保持する使用者Ｍの肩に装着される肩ベルト部４０においても、肩ベルト部４０を構成する一方の表生地１１０及び表生地１１０に対向する他方の裏生地１２０からなる外装生地１５０に緩衝材として立体網状構造体１００が配設されると、使用者Ｍの肩、背中に掛かる応力が分散され、肩が凝りやすい使用者Ｍでもその負担が軽減される。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの肩回りに装着した際でも、蒸れ等の発生を防止できる。
【０１５０】
つまり、本実施の形態に係るベビーキャリア１によれば、更に、前記乳幼児を保持する使用者の肩に装着される肩ベルト部４０を有し、この肩ベルト部４０に立体網状構造体１００を配設し、肩ベルト部４０を構成する一方の表生地１１０及び表生地１００に対向する他方の裏生地１２０からなる外装生地１５０に入れられた立体網状構造体１００で緩衝材を構成することで、即ち、肩ベルト部４０が、肩ベルト部４０を構成する表生地１１０及び表生地１１０に対向する裏生地１２０からなる外装生地１５０に包まれた立体網状構造体１００からなることで、立体網状構造体１００によって使用者Ｍの肩回りに掛かる応力を分散できて、使用者Ｍの負担を軽減できる。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの肩回りに装着した際でも、蒸れ等の発生を防止できる。
なお、肩ベルト部４０は、使用者Ｍの両肩に装着されるものであってもよいし、使用者Ｍの一方の肩のみに装着され形態ものであってもよい。
【０１５１】
更に、腰ベルト部５０を構成する一方の表生地１１０及び表生地１１０に対向する他方の裏生地１２０からなる外装生地１５０に緩衝材として立体網状構造体１００が配設されると、立体網状構造体１００によって使用者Ｍの腰回りに掛かる応力が分散され、使用者Ｍの負担が軽減される。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの肩回りに装着した際でも、蒸れ等の発生を防止できる。
【０１５２】
つまり、本実施の形態に係るベビーキャリア１によれば、更に、前記乳幼児を保持する使用者の腰回りに装着される腰ベルト部５０を有し、この腰ベルト部５０に立体網状構造体１００を配設し、腰ベルト部５０を構成する一方の表生地１１０及び表生地１００に対向する他方の裏生地１２０からなる外装生地１５０に入れられた立体網状構造体１００で緩衝材を構成することで、即ち、腰ベルト部５０が、腰ベルト部５０を構成する表生地１１０及び表生地１１０に対向する裏生地１２０からなる外装生地１５０に包まれた立体網状構造体１００からなることで、立体網状構造体１００によって使用者Ｍの腰回りに掛かる応力を分散できて、使用者Ｍの負担を軽減できる。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの腰回りに装着した際でも、蒸れ等の発生を防止できる。
【０１５３】
ここで、上記実施の形態に係るベリーキャリア１においては、本体部１０、補助支持部２０及び位置決め台座部３０によって、乳幼児Ｂを抱っこまたはおんぶにより乳幼児Ｂの身体にあてがい乳幼児Ｂを保持する保持部を構成している。
しかし、本発明を実施する場合には、本体部１０のみで保持部が構成されることもあるし、本体部１０及び補助保持部２０のみで保持部が構成されることもある。
【０１５４】
即ち、上記実施の形態のベビーキャリア１では、乳幼児Ｂの臀部の沈み深さ、即ち、乳幼児Ｂの保持の高さ位置を調節可能とするために、本体部１０及び補助保持部２０の対向側で位置決め座部３０を配設しているが、本発明を実施する場合には、位置決め座部３０は必ずしも必要とするものではない。
【０１５５】
また、上記実施の形態のベビーキャリア１においては、乳幼児Ｂの胴体が横に倒れないように保持するとして、連結差込具２３と連結受具２４との連結係合により補助保持部２０の自由端側の左右側部と本体部１０の背当部１２と臀当部１３の境界付近の左右両側とを接続する所定長の接続部２１を形成しており、本体部１０と補助支持部２０が分離自在であるため、スライド式ファスナ３３の係合操作を容易にできるが、本発明を実施する場合には、本体部１０と補助支持部２０を分離不可能として、乳幼児Ｂの脚用の開口を形成する構成としても良い。
【０１５６】
更に、上記実施の形態のベビーキャリア１では、乳幼児Ｂを保持する保持部としての本体部１０及び補助保持部２０について、乳幼児Ｂを対面抱っこや前向きおんぶで保持する際に本体部１０が乳幼児Ｂの身体の背側にあてがわれ、補助保持部２０が本体部１０とは反対側で乳幼児Ｂの身体の腹側にあてがわれて乳幼児Ｂ及び使用者Ｍの間に介在されるものとして説明をしてきたが、本発明を実施する場合には、ベビーキャリア１の目的とする保持形態等に応じ、例えば、乳幼児Ｂの身体の背側を使用者Ｍに向ける前向き抱っこや、乳幼児Ｂが使用者Ｍに背を向ける後ろ向きおんぶで乳幼児Ｂを保持する抱き方とする場合には、本体部１０が乳幼児Ｂの腹側にあてがわれ、補助保持部２０が乳幼児Ｂの背側にあてがわれることもある。また、本体部１０及び補助保持部２０が重なり合った状態で、乳幼児Ｂの身体の背側または腹側にあてがう使用形態とすることも可能である。
【０１５７】
そして、乳幼児Ｂを保持する保持部としての本体部１０及び補助保持部２０の両方において立体網状構造体１００からなる緩衝材の使用が好ましいが、どちらか一方のみであってもよい。本体部１０及び補助保持部２０の両方において立体網状構造体１００からなる緩衝材が使用されると、本体部１０及び補助保持部２０間に配設された乳幼児Ｂを取り巻く範囲で湿気や熱が滞留し難く、身体の周囲で蒸れが防止され、乳幼児Ｍの体温が上昇し難く、使用者Ｍ及び乳幼児Ｂにとっての蒸れ等による不快感がより一段と軽減され、快適性が高くなる。
【０１５８】
そして、乳幼児Ｂを保持する保持部として、使用者Ｍとは反対側で乳幼児Ｂの身体にあてがわれる本体部１０に立体網状構造体１００が配設されると、立体網状構造体１００によって圧迫、揺れ、衝撃が緩和され、長時間使用した際でも乳幼児Ｂの姿勢に無理がかからず負担を軽減できるも、乳幼児Ｂからの汗等の湿気や熱が溜まり難く、乳幼児Ｂにとって快適性が高いものとなる。
【０１５９】
また、乳幼児Ｂを保持する保持部として、使用者Ｍ側で乳幼児Ｂの身体にあてがわれる補助保持部２００に立体網状構造体１００が配設されると、立体網状構造体１００が通気性を有する外装生地１５０で覆われた際には、空気の通り道が確保されて、使用者Ｍや乳幼児Ｂからの汗等の湿気や熱を逃すことができる。また、立体網状構造体１００を覆う外装生地が通気性を有さなくとも、連続線条体１０１間の空間が空気を収容して、立体網状構造体１００による断熱効果が得られる。したがって、使用者Ｍと乳幼児Ｂの相互間の密着による熱や湿気の溜まりを防止し、部分的な体温の上昇や蒸れを生じ難くできる。これより、使用者Ｍ及び乳幼児Ｂにとって保持の快適性を向上させることができる。
【０１６０】
特に、本実施の形態のベビーキャリア１においては、補助保持部２０及び接続部２１によって、乳幼児Ｂの落下の防止効果を高くでき、また、抱っこやおんぶの際の取り扱いが熟練者なくとも、乳幼児Ｂの配置位置が分かりやすくなる。
しかし、本発明を実施する場合、補助保持部２０は必ずしも必要とされるものでなく、省略することも可能である。
【０１６１】
即ち、本発明を実施する場合、乳幼児Ｍを保持する保持部は、乳幼児Ｂを保持する使用者Ｍ側とは反対側で乳幼児Ｂの身体にあてがう本体部１０のみの場合もあれば、乳幼児Ｂを保持する使用者Ｍ側とは反対側で乳幼児Ｂの身体にあてがう本体部１０及び本体部１０側とは反対側、即ち、使用者Ｍ側で乳幼児Ｂの身体にあてがう補助保持部２０の両方を有する場合もある。
乳幼児Ｍを保持する保持部が本体部１０のみで構成される場合には、この本体部１０に緩衝材としての立体網状構造体１００が配設されることになるが、乳幼児Ｍを保持する保持部が本体部１０及び補助保持部２０により構成される場合には、本体部１０及び補助保持部２０の両方に立体網状構造体１００を配設してもよいし、立体網状構造体１００の配設が本体部１０または補助保持部２０の何れか一方のみであってもよい。
【０１６２】
また、本発明を実施する場合、腰ベルト部５０についても必ずしも必要とされるものでなく、省略することも可能であり、乳幼児Ｂが落下しない保持形態で乳幼児Ｂの脚が出される開口を形成し、左右の肩ベルト部４０のみで乳幼児Ｂの体重を支持して乳幼児Ｂを抱いたりおんぶしたりする形態としても良い。
【０１６３】
そして、図において、肩ベルト部４０は補助保持部２０に接続されたものであるが、本発明を実施する場合には、乳幼児Ｂを保持することができれば、本体部１０のみに肩ベルト部４０が接続されても良いし、本体部１０と補助保持部２０とに肩ベルト部４０が接続された構成としても良い。何れにせよ乳幼児Ｂの身体の邪魔にならない位置に接続されて、使用者Ｍの肩が通される環状を形成するように構成されていればよい。
【０１６４】
また、上記実施の形態では、乳幼児Ｂを縦抱きに保持する形態のベビーキャリ１についての説明であったが、本発明を実施する場合には、乳幼児Ｂを寝かせた横抱き抱っこの保持形態を有するベリーキャリア１であっても良い。なお、横抱きの際には、通常、肩ベルト部４０はたすき掛けで装着される。また、縦抱き及び横抱きの両方の保持形態を可能とする構成であっても良い。
特に、横抱きの際に乳幼児Ｂの背側をあてがう保持部に立体網状構造体１００が配設されることで、横に寝かされた乳幼児Ｂの身体の背側を多方向から支持して、耐圧分散効果が高く、また、振動等を吸収でき、長時間の保持でも乳幼児Ｂの負担を少なくできる。
【０１６５】
更に、本発明を実施する場合には、外装生地１５０で立体網状構造体１００が被覆されるが、外装生地１５０から立体網状構造体１００を取り外し自在に構成してもよい。乳幼児Ｂの保持形態や成長の大きさに応じて、立体網状構造体１００を取付け及び取り外し自在とすると、乳幼児Ｂにとって快適な保持姿勢を追及することができる。また、立体網状構造体１００のみを洗濯したり、早く乾かしたりすることができ、衛生面の維持が容易となり、利便性が高くなる。特に、体勢が不安定な低月齢の乳幼児Ｂを保持する際には、上述した硬さや反発力を有する立体網状構造体１００の配設により乳幼児Ｂの保護、緩衝効果が高く、乳幼児Ｂの身体への負担を小さくできるが、成長して大きくなった乳幼児Ｂを保持する際には、立体網状構造体１００を取り外しても良好な保持姿勢が維持されやすく、乳幼児Ｂの適度な動きを開放できる。
また、例えば、夏場にはメッシュ繊維からなる通気性を有する生地で立体網状構造体１００を包み込むことで、新鮮な空気の取り入れ及び排出を行い湿気を逃し易くする一方で、冬場には、通気性のない生地で立体網状構造体１００を被覆することにより保温性が得られる。
【０１６６】
一方で、外装生地１５０に対して立体網状構造体１００を縫い付け等によって固定する形態としても良い。これにより、外装生地１５０の中で立体網状構造体１００が動いてしまうことによる偏りを防止でき、立体網状構造体１００が小さい表裏面積でも適切な位置に維持され、効果的に緩衝効果等を発揮することができ、立体網状構造体１００の使用量を抑えて、低コスト化を図ることができる。
なお、本発明を実施する場合には、本体部１０においても、適宜芯材を配設し、身体への当たりを良くするために、乳幼児Ｂ側に立体網状構造体１００を配設する構成としてもよい。これによっても立体網状構造体１００が通気性に優れるため、湿気や熱が滞留し難いことで蒸れ等を軽減できる。また、立体網状構造体１００によって体圧が分散され、乳幼児Ｂの負担を軽減できる。
【符号の説明】
【０１６７】
１      ベビーキャリア
１０    本体部（保持部）
２０    補助保持部（保持部）
４０    肩ベルト部
５０    腰ベルト部
１００    立体網状構造体
１０１    連続線条体
１１０    表生地
１２０    裏生地
１５０    外装生地                                                                             
【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
乳幼児を抱っこまたはおんぶにより前記乳幼児の身体にあてがい前記乳幼児を保持する保持部を有するベビーキャリアにおいて、
前記乳幼児を保持する前記保持部は、前記乳幼児を保持する使用者側または使用者側とは反対側で前記乳幼児の身体にあてがう部位が、表生地及び前記表生地に対向する裏生地からなり、前記乳幼児と前記使用者の動きによって、一部または全部が空気の出入りを許容するメッシュ状繊維で形成された外装生地に包まれた３ｍｍ以上、３０ｍｍ以下の厚みの範囲内の立体網状構造体を有し、
また、前記立体網状構造体は合成樹脂からなる連続線条体が不規則に蛇行して絡み合い、しかも、前記蛇行した状態で随所に融着し、前記連続線条体間の空間が連通して通気性があり、かつ、外力が加わると前記連続線条体の曲率及び前記連続線条体間の前記空間が変形し、外力が解除されると前記連続線条体が元の曲率に戻って前記空間が回復するクッション性を有することを特徴とするベビーキャリア。
【手続補正２】
【補正対象書類名】明細書
【補正対象項目名】全文
【補正方法】変更
【補正の内容】
【発明の詳細な説明】
【技術分野】
【０００１】
本発明は、乳幼児を抱っこしたりおんぶしたりするときに、それを補助して運搬するベビーキャリア（子守帯）に関するもので、特に、保持時の快適さ及び衛生面の特性を向上させたベビーキャリアに関するものである。
【背景技術】
【０００２】
乳幼児を抱いたりおんぶしたりする際にベビーキャリアを使用して乳幼児を保持する場合、乳幼児の身体の一部にベビーキャリアの一部があてがわれることになるが、乳幼児は新陳代謝が活発で体温調節機能が未熟なために体温が高く、また、長時間同じ保持姿勢が維持されることから、ベビーキャリアの使用中に乳幼児及び乳幼児が密着する使用者は体温が上昇して汗をかきやすく、蒸れ等の湿気も生じやすい。
特に、使用者の身体の胸腹部側で乳幼児を縦向きに保持する抱っこや、使用者の背中側で乳幼児を縦向きで保持するおんぶでは、使用者に乳幼児が密着される保持形態であることから、使用者及び乳幼児の相互の熱の伝わりにより暑さや蒸れが生じやすく使用者や乳幼児が不快感を受けたり、長時間の使用によっては蒸れて痒くなり汗疹やおむつかぶれを発症したりする。また、乳幼児の後頭部を覆って支える、所謂、ヘッドフードを採用した際には、ヘッドフード使用時に乳幼児の身体の全体が包み込まれることになるため、より一段と乳幼児が汗をかきやすい状態となる。殊更、肌が敏感で体勢が不安定な低月齢の乳幼児にとっては、身体のグラつきを少なくして負担の少ない安定保持のために使用者との密着性を高くした保持が必要であるから、暑さや蒸れによる影響は大きいものである。
【０００３】
また、このようにベビーキャリアで乳幼児を保持する際の蒸れ等による湿気及び温度の上昇により、更に、使用者や乳幼児の体温の上昇で使用者や乳幼児の身体から発汗した汗がベビーキャリアに付着することで、そこが菌の温床となり、ベビーキャリアにおいて菌の増殖や不快臭の発生を招く恐れがある。特に、核家族化が進む現代ではベビーキャリアの使用頻度も増大傾向にあり、更に、新生児期から使えるベビーキャリアの開発によって長期間の使用が可能となっていることから、汗をかきやすい乳幼児の敏感な肌に触れるベビーキャリアについて、清潔さや衛生面を気に掛ける使用者も増えている。
【０００４】
一方で、ベビーキャリアにおいて圧迫、揺れ、衝撃の緩和性や、乳幼児の姿勢や保持の安定性といった抱き心地を追求すると、乳幼児の背側や腹側にあてがう部分ではクッション性を良くする必要があり、そのために従来、例えば、特許文献１にも記載されているように、乳幼児の背側にあてがう部分に低反発等の軟質なウレタンフォーム、ポリオレフィン系発泡体等が使用されている。また、乳幼児の身体、特に、腰から上位の沈み込みを防いで乳幼児の身体を安定した支持状態に保つために、芯材として硬質の発泡ウレタンフォーム、ポリオレフィン系発泡体等が使用されることもある。更には、使用者への負荷を軽減するために使用者に装着される肩ベルトや腰ベルトにもウレタンフォーム、ポリオレフィン系発泡体等が使用されることもある。
【先行技術文献】
【特許文献】
【０００５】
【特許文献１】特開２００６−１３００１６号公報
【発明の概要】
【発明が解決しようとする課題】
【０００６】
しかしながら、このようなウレタン素材、ポリオレフィン系発泡体は基本的に通気性や透水透湿性に劣り、内部に入り込んだ熱や湿気も外部に抜け難く内部にこもりやすいことから、暑さや蒸れを助長してしまう。特に、独立気泡の発泡型は蓄熱性があり、より一段と厚さや蒸れを助長する。また、ウレタン素材、ポリオレフィン系発泡体は、洗濯によって破損、変形したり、ヘタリが生じたりする恐れがあり、乾燥にも時間がかかるため、頻繁な洗濯は躊躇わざるを得ず、衛生的にも気がかりである。
【０００７】
そこで、本発明は、クッション性を有するも蒸れ難くて快適な保持を可能とし、衛生面の特性を向上させたベビーキャリアの提供を課題とするものである。
【課題を解決するための手段】
【０００８】
請求項１の発明のベビーキャリアは、乳幼児の身体にあてがわれて前記乳幼児を保持する使用者側または使用者側とは反対側で前記乳幼児の身体にあてがう部位が、表生地及び前記表生地に対向する裏生地からなり、前記乳幼児と前記使用者の動きによって、一部または全部が空気の出入りを許容するメッシュ状繊維で形成された外装生地に包まれた３ｍｍ以上、３０ｍｍ以下の厚みの範囲内の立体網状構造体を有するものである。
【０００９】
ここで、上記保持部は、乳幼児の身体にあてがわれて乳幼児を保護する部材であり、ベビーキャリアの目的（抱っこまたはおんぶ等の保持態様、対象とする乳幼児の月齢）、種類等によって、乳幼児にあてがわれる部材のみのものもあれば、乳幼児及び乳幼児を抱っこやおんぶして支持する使用者（親等）にあてがわれる部材を有することもある。即ち、乳幼児の反使用者側にあてがわれる部材のみのものもあれば、乳幼児の反使用者側にあてがわれる部材及び乳幼児の使用者側にあてがわれる部材の両方を有するものもある。また、立体網状構造体の使用が、乳幼児の反使用者側にあてがわれる部材のみに用いられることもあれば、乳幼児の使用者側にあてがわれる部材のみに用いられることもあれば、乳幼児の反使用者側にあてがわれる部材及び乳幼児の使用者側にあてがわれる部材の両方に用いられることもある。
【００１０】
そして、上記緩衝材は、緩衝作用の機能を有していれば、その目的に限定されず、例えば、クッション性（弾力性）を高めたり、身体への当たりを良くしたり、支持力を高めたり、フィット性を高めたりする等の目的で配置されるものも含まれる。
上記立体網状構造体とは、合成樹脂からなる連続線条体が不規則に蛇行し、かつ、前記蛇行した状態で随所に融着してなるクッション性を有するものである。即ち、外力によって連続線条体間の空間が変形しても、外力が解除されると空間が回復する弾性を有するものである。そして、連続線条体間の空間が連通しており、通常、７０〜９８％の高い空隙率によって、通気性を有するものである。上記立体網状構造体は、外装生地に包まれて前記保持部を構成する。
【００１１】
この立体網状構造体の製造技術は、後述する特許公報等で公知である。この立体網状構造体は、保持部の対向する表裏面に対して垂直方向の厚み方向の弾性変化が大きく、表裏面に平行する方向の伸縮が小さくなるように配置される。なお、表面と裏面の区別は特に問われない。このように、立体網状構造体の弾性が任意に選択できることは、再生処理する場合に選別する合成樹脂の種類が少なくて済む。そして、立体網状構造体の弾性は、乳幼児を保持していると、その保持力または乳幼児の動きにより変化し、呼吸するから、蒸れることを防止できる。
【００１２】
上記保持部は、前記乳幼児の身体の反使用者側であてがわれる部位が、表生地及び前記表生地に対向する裏生地からなる前記外装生地に包まれた前記立体網状構造体から構成されているものである。
前記乳幼児を抱っこまたはおんぶする使用者側とは反対側で前記乳幼児の身体にあてがう部位は、前記乳幼児を対面抱っこや前向きおんぶする際に、前記乳幼児の背側にあてがうものである。
【００１３】
上記立体網状構造体が入れられた外装生地の一部または全部が空気の出入りを許容するメッシュ状繊維とは、空気の流通を可能とするものであればよく、多少織目の粗い、密度の低い生地を使用したり、生地が編目状（ネット状）であったりすることに限定されず、例えば、生地に所定形状の貫通孔（開口）が複数形成されていることによって空気の流通を可能としていてもよい。
好ましくは、少なくとも乳幼児の身体にあてがわれる面の一部または全部がメッシュ状繊維で形成されているものである。
【発明の効果】
【００１４】
請求項１の発明に係るベビーキャリアによれば、乳幼児の身体にあてがわれて前記乳幼児を保持する保持部に配設された緩衝材が、合成樹脂からなる連続線条体が不規則に蛇行して絡み合っており、しかも、前記蛇行した状態で随所に融着してなり、前記連続線条体間の空間が連通して通気性のある立体網状構造体からなる。この立体網状構造体によれば、外力が加わると、それを構成する湾曲した連続線条体の曲率が変化すると共に、連続線条体間の空間が変形し、外力が解除されると、連続線条体が元の曲率に戻り、空間が回復するクッション性（弾力性）を表現でき、クッション性に優れる。
【００１５】
しかも、立体網状構造体を構成する連続線条体間の空間が連通して、通気性に優れ、特に、乳幼児や使用者の動きによっても空間が変形し、空気の流れが生じるから、湿気や熱が滞留し難く、蒸れ等の発生を防止できる。
よって、乳幼児にとって快適な抱き心地が得られ、長時間使用した際でも乳幼児にかかる負担が軽減される。
【００１６】
そして、このように立体網状構造体に湿気や熱が滞留し難いことで、細菌やカビ等も繁殖し難く、更に、前記連続線条体間の空間が連通して通気性及び透水透湿性に優れることで、水分の乾きも速く、また、立体網状構造体を構成する連続線条体が合成樹脂からなり、それらは不規則に蛇行して絡み合って、かつ、蛇行した状態で随所に融着しているから、繰り返しの洗濯に耐える強度を有し、繰り返し洗濯してもクッション性等の特性が低下し難い。よって、衛生さ、清潔さを維持することができる。
このようにして、クッション性を有するも蒸れ難くて快適な保持を可能とし、衛生面の特性を向上させたベビーキャリアとなる。
【００１７】
また、例えば、前記乳幼児を保持する使用者の肩に装着される肩ベルト部、前記乳幼児を保持する使用者の腰に装着される腰ベルト部、前記保持部としての前記乳幼児の反使用者側にあてがわれる部位、前記保持部としての前記乳幼児の使用者側にあてがわれる部位によって、前記立体網状構造体からなる弾性を任意に選択できるから、弾性を適材適所で選択できる。
【００１８】
上記保持部においては、反使用者側で前記乳幼児の身体にあてがわれる部位に前記立体網状構造体が配設されるから、乳幼児の身体に対して広い面積で支持する部位に立体網状構造体が配設されることで、立体網状構造体によって圧迫、揺れ、衝撃が緩和され、長時間使用した際でも乳幼児の姿勢に無理がかからず負担を軽減できるも、乳幼児からの汗等の湿気や熱が立体網状構造体に溜まり難くて効果的に乳幼児の暑さや蒸れを防止でき、乳幼児にとっての快適性がより高いものとなる。
【００１９】
そして、前記立体網状構造体からなる緩衝材が入れられた外装生地の一部または全部が空気の出入りを許容するメッシュ状繊維に形成されているから、立体網状構造体を構成する連続線条体間の空間への新鮮な空気の供給及び連続線条体間の空間が保持していた空気の排出がなされることで、乳幼児や使用者からの湿気や熱が逃れやすくなり、また、衛生面の特性も一段と向上する。
【図面の簡単な説明】
【００２０】
【図１】図１（ａ）は本発明の実施の形態に係るベビーキャリアに配設した緩衝材としての立体網状構造体の斜視図であり、図１（ｂ）は表生地及び裏生地からなる外装生地内に立体網状構造体が配設されていることを説明するための説明図である。
【図２】図２は本発明の実施の形態に係るベビーキャリアに配設した立体網状構造体の製造方法を説明するための製造装置の概略構造を示す説明図である。
【図３】図３は本発明の実施の形態に係るベビーキャリアの全体を示す展開図であり、ベビーキャリアにおいて乳幼児が収容される側とは反対側である本体部及び補助保持部の外面側の展開を示す全体説明図である。
【図４】図４は本発明の実施の形態に係るベビーキャリアの全体を示す展開図であり、ベビーキャリアにおいて乳幼児が収容される側である本体部及び補助保持部の内面側の展開を示す全体説明図である。
【図５】図５は本発明の実施の形態に係るベビーキャリアの全体を示す斜視図であり、ベビーキャリアにおいて乳幼児が収容される空間を示す全体説明図である。
【図６】図６は本発明の実施の形態に係るベビーキャリアの使用状態として乳幼児を使用者が相向き合う対面抱っこで保持する状態の説明図である。
【図７】図７（ａ）は、緩衝材としての立体網状構造体の変形例を示す斜視図であり、図７（ｂ）は表生地及び裏生地からなる外装生地内に変形例に係る立体網状構造体が配設されていることを説明するための説明図である。
【図８】図８（ａ）は、緩衝材としての立体網状構造体の別の変形例を示す斜視図であり、図８（ｂ）は表生地及び裏生地からなる外装生地内に別の変形例に係る立体網状構造体が配設されていることを説明するための説明図である。
【発明を実施するための形態】
【００２１】
以下、本発明の実施の形態について、図面を参照しながら説明する。
なお、実施の形態において、同一の記号及び同一の符号はそれら実施の形態に共通する機能部分であるから、ここでは重複する詳細な説明を省略する。
【００２２】
まず、本実施の形態のベビーキャリア１に用いた緩衝材としての立体網状構造体１００について図１、図２、図７及び図８を参照して説明する。
【００２３】
緩衝材としての立体網状構造体１００は、図１に示すように、合成樹脂からなる連続線条体１０１が不規則に蛇行して絡み合っており、かつ、蛇行した状態で随所に接着してなるものである。
【００２４】
このような立体網状構造体１００は、特許文献の特開平７−１７３７５３号公報、特開平７−６８０１号公報、特開２００１−３２８１５３号公報、特開２００６−９７２２３号公報、国際公開２０１１０３５７３６号公報、特開２０１６―５２８号公報、特開２０１３―４０４３７号公報、特開２００７―１３００５９号公報等で公知であり、その製造方法が説明されており、また、その商品も、例えば、東洋紡株式会社から商品名「ブレスエアー（登録商標）」、株式会社シーエンジから「Ｃ−ＣＯＲＥ」、株式会社エアウィーヴから商品名「エアウィーヴ（登録商標）」、東レ・デュポン株式会社から「ハイトレル（登録商標）等として販売されて公知であり、そのような市販品を用いることも可能である。
【００２５】
念のため、立体網状構造体１００の製造方法の一例を簡単に説明すると、図２に示すように、溶融した熱可塑性樹脂を押出成形機２００の底面に形成した複数の穿孔を設けてなるノズル（ダイス）から連続線条体１０１として垂直下方に押し出して降下させ、下方位置において冷却水２１０内に並設された無端コンベア２１１，２１２間に供給する。
なお、このとき無端コンベア２１１，２１２の間隔は、押し出された溶融樹脂の連続線条体１０１からなる外形よりも隙間を小さく形成し、連続線条体１０１が無端コンベア２１１，２１２から漏れないようにしている。また、水槽内の冷却水２１０の水温及び深さ、連続線条体１０１の押出温度等は無端コンベア２１１，２１２の速度、位置との間で相対的に設定している。
【００２６】
これにより、連続線条体１０１は、押出成形機２００の底面に形成した複数のノズルから押し出したとき、その押し出し速度は、無端コンベア２１１，２１２間の搬送速度よりも速く設定されているから、複数のノズルから押し出したときには直線状であるが、その温度降下と共に押し下げ力が左右方向の力となって立体網状となり、無端コンベア２１１，２１２の下降速度によってその立体網状が変化する。このとき、無端コンベア２１１，２１２の下降速度は、連続線条体１０１の押し出し下降速度よりも遅く設定されており、連続線条体１０１が湾曲して部分的に結合される。即ち、押出成形機２００から押し出された溶融状態の連続線条体１０１が、冷却水２１０の浮力、抵抗により、更には連続線条体１０１の下降速度よりも回転を遅くした無端コンベア２１１，２１２との接触等により３次元方向に湾曲し、そして、連続線条体１０１相互が部分的に溶着し、溶着部が冷却水２１０により冷却され、連続線条体１０１相互の接触部が強固に結合されると共に連続線条体１０１が固定化される。こうして、連続線条体１０１が曲がりくねって（カールして）無秩序に絡み合い、部分的に溶着してなり特定の厚みを有する立体網状構造体１００が形成される。
【００２７】
このようにして製造された立体網状構造体１００は、溶融する合成樹脂材料が連続線条体１０１として押し出され、その多数本が湾曲し立体的に不規則に絡み合って相互に高温度のとき、溶着され、３次元網状構造を有して所定の厚み及び幅に形成され、また、連続線条体１０１の間が空間となっており、その空間が連通して７０％〜９８％の空隙率を有する。そして、湾曲した連続線条体１０１は、外力によって湾曲の曲率が変化し、外力が解除されると、元の曲率に戻る弾性を有する。このため、立体網状構造体１００は、外力によって連続線条体１０１の湾曲の曲率が変化し、連続線条体１０１相互間の空間が変形するが、外力が解除された際には、連続線条体１０１の湾曲が元の曲率に戻り、空間が回復する程度に弾性を有する。即ち、外力が加えられた場合でも立体網状構造体１００の全体が変形することにより、また、合成樹脂のゴム弾性等により、応力を吸収・分散すると共に、応力が解除されると元の形態に回復され、適度な弾力性（クッション性）、反発性を有する。特に、連続線条体１０１同士が融着されているため、外力が加えられたときには、ベビーキャリア１に配設する立体網状構造体１００の略全体が一体に変形されることで、圧分散性に優れ、また、部分的なヘタリが生じ難く耐久性に優れる。立体網状構造体１００の全体が一体に変形するエネルギー変換により弾力性（クッション性）、反発性等にも優れる。
【００２８】
また、合成樹脂からなる連続線条体１０１で形成され、空隙率も７０％〜９８％であるため、軽量である。合成樹脂のみからなるためリサイクル性にも優れる。
更に、ウレタン素材、ポリオレフィン系発泡体と比較して連続線条体１０１間の空間も大きく、その空間も連通しており、７０％〜９８％の空隙率、より好ましくは８５％〜９８％の空隙率を有することにより、通気性や透水透湿性に優れる。このため、水分が溜まり難く、速乾性を有し、特に、材質が合成樹脂であることで、弾性復元力も良好で、収納時の折り畳みや洗濯により破損、変形、ヘタリも生じ難く、アルコール、次亜塩素酸ナトリウム等の殺菌消毒によっても破損、変形するこがなく、耐久性に優れる。即ち、連続線条体１０１同士が固定されているため、圧縮や洗濯によって、連続線条体１０１が移動したり、全体形状が崩れたりすることがなく、嵩高性の低下や弾力性の低下等のヘタリも少ない。
そして、このように通気性や速乾性に優れることで、熱や湿気が放散されやすく、温度と湿度の上昇が防止されるため、微生物の繁殖を抑制できる。水洗い等の洗濯を行っても、乾燥までに微生物の増殖を招く恐れがなく、洗濯によって清潔に保つことができ衛生的である。
【００２９】
ここで、立体網状構造体１００を構成する連続線条体１０１としては、熱可塑性樹脂が使用され、例えば、ポリエチレン、ポリエステル、ＥＶＡ (エチレン酢酸ビニルコポリマー) 、ポリプロピレン等のポリオレフィン、ポリエチレンテレフタレート等のポリエステル、ナイロン６６等のポリアミド、ポリ塩化ビニル、ポリスチレン、ＥＭＭＡ（エチレン・メチルメタクリレートコポリマー）、ＰＥＴ等が挙げられる。これらの合成樹脂をベースとして共重合したコポリマやエラストマー等を混合したものでもよい。
特に、ＥＶＡ樹脂は、弾性に富み、応力の集中を分散させる圧分散性を高くできる。また、ポリエチレンは、融点が高いために、熱湯消毒、蒸気殺菌等によっても物性変化を起こすことがなく、より衛生的な使用に適する。
このように立体網状構造体１００を構成する連続線条体１０１が熱可塑性樹脂であると、リサイクル性にも優れる。また、ベビーキャリア１使用時の温度上昇による塑性変形も少なく、クッション性等の特性が安定的に維持される。
【００３０】
立体網状構造体１００を形成する連続線条体１０１の繊度は、１００〜１０００００デシテックスの範囲内が好ましく、より好ましくは３００〜５００００デシテックスの範囲内、更に好ましくは５００〜３００００デシテックスの範囲内である。当該範囲内であれば反発力、引っ張り応力（抗圧縮力）等が良好で応力集中によるへたりも発生し難く、長期間に亘って高い弾力性（クッション性）を保持する。このため緩衝材として使用した際に保持する乳幼児Ｂの姿勢も安定し、快適な抱き心地が得られる。
【００３１】
また、立体網状構造体１００を構成する連続線条体１０１は、単一繊度の線条からなる連続線状体だけでなく、繊度の異なる線条からなる連続線状体であってもよいし、単一種のみならず、複数種の合成樹脂で形成してもよい。
【００３２】
更に、連続線条体１０１は、中空管(チューブ状)であってもよいし、中実管であってもよいし、その断面形状も特に限定されず、円形断面であってもよいし、三角形、四角形等の多角断面形状や、Ｙ字型断面形状、星型断面形状等、円形断面とは異なる異形断面であってもよい。
中空管(チューブ状)ではより軽くなることから、中実管のものと同じ重量とした立体網状構造体１００では連続線条体１０１の密度が高く硬いものとなる。乳幼児や使用者の身体にあてがわれるその部位に応じて、連続線条体１０１の形状を選択することも可能である。例えば、乳幼児の臀部にあてがわれる部位では、中実状の連続線条体１０１からなる低密度な立体網状構造体１００の使用により、ソフトな感触で乳幼児の臀部を柔らかく受け止めて臀部の落ち込みをより安定化させることができる。また、乳幼児の腹側及び使用者側にあてがわれる部位でも低密度な立体網状構造体１００の使用により、ソフトな感触で乳幼児及び使用者の間の密着性を良くし、抱き心地を良くする。一方で、乳幼児の頭部や背中部にあてがわる部位では、中空状の連続線条体１０１からなる高密度で硬い立体網状構造体１００の使用により、乳幼児の体重をしっかり支える強度で、乳幼児の姿勢を安定させて体重を高分散できる。また、使用者の腰や肩に装着される腰ベルト部や肩ベルトでも、高密度な立体網状構造体１００の使用により、乳幼児の体重をしっかり支える強度で受け止めて高分散させることができる。
【００３３】
本実施の形態では、立体網状構造体１００をベビーキャリア１に配設した際に、厚み方向に対向するフロント側及びバック側に位置することになり最大面積の面を有する表裏端面は、連続線条体１０１の連続する長さ方向の端部が表出することなく、連続線条体１０１同士の接触部の大部分が溶着されてフラット化されている。即ち、２次元的に接続されている。これにより、乳幼児や使用者に当たる表面がでこぼこ感や違和感を与える恐れがなく、連続線条体１０１の長さ方向の剥き出し端部が立体網状構造体１００を覆う後述の外装生地１５０に引っ掛かることによる破損も生じない。また、２次元的な接続により、表面に局部的な外力が掛かった際でも応力集中によるヘタリが生じ難く外力が面で受け止められるため、面に重みが加わっても剛性の低下が生じ難く、応力を吸収し、分散する圧分散性が高い。よって身体にかかる負担を緩和でき、保持姿勢を安定させたり抱き心地や身体への当たりを良くしたりできる。
【００３４】
なお、このような表裏端面で連続線条体１０１の長さ方向の端部が表出することない２次元的な溶着は、対向する無端コンベア２１１，２１２との接触によって形成される。勿論、外周の３面以上で連続線条体１０１の連続する長さ方向の端部が表出することなく、連続線条体１０１同士の接触部の大部分が溶着されてフラット状に整列されていてもよい。
また、本発明を実施する場合には、対向する一対の表裏端面が連続線条体１０１の連続する長さ方向の端部が表出しないものであれば、その表層が波形状、連続する凹凸状、凸状または凹状形状、鋸状、隅が曲面（Ｒ）または面取り形状に形成されていても良い。
【００３５】
更に、立体網状構造体１００は、全体の密度が均一であってもよいし、粗密があってもよい。
特に厚み方向の表裏側が内層の密度と比較して高いと、ヘタリ難く、耐圧分散性が高くて快適な抱き心地を得ることができる。一方で、例えば、乳幼児の身体にあてがわれる側の一方の面側よりも他方の面側の方で連続線条体１０１の密度を高めることにより、つまり、乳幼児に近いほど低密度で弾性を柔らかくし、乳幼児から遠くなるほど、高密度として乳幼児側と反対側で弾力性を硬くすることで、乳幼児へのフィット性が増し、ソフトな感触で沈み易くなり、位置ずれが防止され、安定感が得られる。
また、組成や特性が異なる合成樹脂（連続線条体１０１）の組み合わせによって、厚み方向に（層状に）、特性や密度を変化させたものであってもよい。
【００３６】
なお、立体網状構造体１００の密度は、図２に示した連続線条体１０１を押し出すノズル（ダイス）の複数の穿孔位置、間隔を調節することによって連続線条体１０１の分布密度を調節したり、ノズルの複数の穿孔の大きさを調節することによって連続線条体１０１の太さを調節したり、ノズルからの合成樹脂の供給速度を調節したりすることによって、調整可能となっている。また、無端コンベア２１１，２１２の間隔や、無端コンベア２１１，２１２の回転速度を変化させることによっても調節でき、無端コンベア２１１，２１２の回転速度を速めると低密度とすることができ、回転速度を遅くすることにより高密度に形成できる。
即ち、立体網状構造体１００において、同一太さであっても連続線条体１０１の押出速度、無端コンベア２１１，２１２の搬送速度によっても密度を変化させて、ソフトからハードまでのクッション性を付与できる。また、連続線条体１０１の押出し太さによっても変化させることができる。
【００３７】
これにより、例えば、図７に示したように、図１に示した立体網状構造体１００と比較して連続線条体１０１間の密度が高められて緻密な立体網状構造体１００を使用してもよいし、図８に示したように、図１に示した立体網状構造体１００と比較して連続線条体１０１間の密度を低下させた低密度の立体網状構造体１００としてもよい。
【００３８】
因みに、図２に示したように、押出成形機２００の下部であって冷却水２１０が入った水槽上部に、連続線条体１０１の冷却水２１０への着水前後に連続線条体１０１を受け止めて無端コンベア２１１，２１２まで案内するための４面を順次狭くした４角ロート状の案内板（シュート）２２０を設置することにより、ノズル（ダイス）の孔から押し出された連続線条体１０１の一部が、案内板２２０の斜面を滑って無端コンベア２１１，２１２に案内されるが、その際、案内板２２０の表面上で連続線条体１０１の絡み合いや溶着が生じて、内層に向かって絞り込まれることで、密度の高い表面層を形成することができる。同時に、平坦な案内板２２０上を滑ることにより、その表面層の端面は平坦に形成される。
【００３９】
本実施の形態のベビーキャリア１において、緩衝材として使用する立体網状構造体１００は、例えば、２５％圧縮時硬さ（ＪＩＳ  Ｋ  ６４００−２に準拠して、立体網状構造体１００を２００ｍｍ径の円形状の圧縮板にて７５％まで圧縮した後に再度２５％圧縮した時の応力）が、１０Ｎ／φ２００以上、２００Ｎ／φ２００以下、より好ましくは１５Ｎ／φ２００以上、１８０Ｎ／φ２００以下の範囲内とされる。また、平均の見掛け密度が０．００５〜０．９０ｇ／ｃｍ、より好ましくは０．０２以上、０．２０ｇ／ｃｍ3以下、更に好ましくは０．０５以上、０．１５ｇ／ｃｍ3以下の範囲内とされる。上記範囲内であれば、適度な硬さでクッション性、衝撃吸収性、圧分散性が良好で乳幼児Ｂや使用者Ｍの身体への当たりも良好であり、長時間ベビーキャリア１を装着しても凝りが少なく負担が少ない。また、立体網状構造体１００の厚みは、配置場所等によって選択可能であり、特に限定されないが、３ｍｍ〜３０ｍｍ、より好ましくは３ｍｍ〜２０ｍｍの範囲内であれば、緩衝機能が発現されやすく、また、乳幼児Ｂや使用者Ｍの身体形状に対応して屈曲可能な程度に可撓性、柔軟性を有する。
【００４０】
なお、このような立体網状構造体１００は、押出し成形の他、型はめ成形によっても形成可能であり、また、連続線条体１０１相互間が、融着に限られず、接着剤による接着されたものであってもよい。何れにせよ、合成樹脂からなる連続線条体１０１が不規則に蛇行して絡み合っており、かつ、蛇行した状態で随所に接着してなる立体網状構造体１００は、その製造及び加工も容易で、製造中に使用される薬品の公害問題も殆どなく、焼却時にダイオキシン類を発生せず、更にリサイクル性も高い。
【００４１】
このように、本実施の形態にかかるベビーキャリア１に使用される緩衝材としての立体網状構造体１００は、合成樹脂からなる連続線条体１０１が不規則に蛇行して絡み合っており、しかも、蛇行した状態で随所に融着して、特定の厚みを有し、連続線条体１０１相互の空間が連通して通気性があるものである。なお、通気や透水透湿性に関しては、その方向性は特定されない。
【００４２】
次に、このような構成の立体網状構造体１を緩衝材として使用したベビーキャリア１の一例について、主に、図１、図３乃至図６を参照してその構造を説明する。
本実施の形態のベビーキャリア１は、乳幼児Ｂを抱っこまたはおんぶにより乳幼児Ｂの身体にあてがい乳幼児Ｂを保持する保持部として、乳幼児Ｂを抱っこまたはおんぶする親等の使用者Ｍ側とは反対側で乳幼児Ｂの身体にあてがわれ乳幼児Ｂの体重を支持する本体部１０と、本体部１０の下部に接続し本体部１０とは反対側で乳幼児Ｂの身体にあてがわれる補助保持部２０と、本体部１０と補助保持部２０の間に渡されて配設された位置決め台座部３０とを有する。更に、補助保持部２０に接続され、使用者Ｍの肩に掛けられる左右１対の肩ベルト部４０と、本体部１０と補助保持部２０の下端部に接続されて本体部１０と補助保持部２０の長さ方向に対して直角方向に配設し、使用者Ｍの腰回りに装着される腰ベルト部５０とを有する。
【００４３】
乳幼児Ｂを保持する使用者Ｍ側とは反対側で乳幼児Ｂの身体にあてがわれる本体部１０は、乳幼児Ｂと使用者Ｍの顔が相向き合う対面抱っこや乳幼児Ｂと使用者Ｍの顔が同一方向を向く前向きおんぶのように、乳幼児Ｂの身体の腹側が乳幼児Ｂを保持する親等の使用者Ｍに向くように乳幼児Ｂを保持する際に乳幼児Ｂの身体の背側にあてがわれるものである。
本実施の形態の本体部１０は、乳幼児Ｂを対面抱っこや前向きおんぶで保持する際に乳幼児Ｂの主に頭部にあてがわれて主に頭部を受ける略半楕円形状の頭当部１１と、乳幼児Ｂの頭部側から背中、腰にかけてあてがわれて主に背中部を受ける背当部１２と、乳幼児Ｂの背中側から臀部にかけてあてがわれて主に臀部を受ける臀当部１３が一体に形成されている。
【００４４】
そして、本実施の形態においては、この頭当部１１、背当部１２及び臀当部１３からなる本体部１０に緩衝材としての立体網状構造体１００が配設される。
具体的には、緩衝材としての立体網状構造体１００は、図１（ｂ）に示すように、表生地１１０及び裏生地１２０からなる外装生地１５０で覆われて、本体部１０に配設される。つまり、袋状に閉じられた表生地１１０及び裏生地１２０からなる外装生地１５０に緩衝材としての立体網状構造体１００が入れられて本体部１０が構成されている。
【００４５】
このように、本体部１０において、表生地１１０と裏生地１２０との２枚の布からなる外装生地１５０は、図１（ｂ）に示すように、立体網状構造体１００を包み込む。表生地１１０と裏生地１２０は１枚物の生地を折り畳んで形成してもよいし、３枚または４枚で形成してもよい。特に、本実施の形態では、表生地１１０と裏生地１２０を折り曲げて重ね合わせ、２条のミシン糸で縫い合わせたり、そのうちの１条のミシン糸によってパイピンを縫い付けたりしてもよい。或いは、表生地１１０と裏生地１２０によって袋状を形成しておき、そこに立体網状構造体１００を挿入してもよい。
【００４６】
本実施の形態のベビーキャリア１において、本体部１０を構成する表生地１１０及び裏生地１２０の外装生地１５０は、少なくとも乳幼児Ｂの身体にあてがわれる内面側（乳幼児Ｂ側）の全面、または一部の面、例えば、乳幼児Ｂの身体に対応する位置で、通気性を有する生地が使用される。
通気性を有する生地としては、例えば、所定の開口の網目・網模様構造を有するネット生地や、多少織目を粗くした粗密度の生地や、表裏のネット生地間に特定の厚みの空気層を形成する連結糸を織り込んでなる特定の厚みを有する立体編物（ダブルラッシェル）等が使用される。このような通気性を有する生地の使用により外装生地１５０をメッシュ状繊維に形成することで、通気性を確保し、また、乳幼児Ｂに接触する表面からの吸湿性を上げ、湿気や熱を放散することができる。吸水性の高い綿素材等の素材を使用することでも吸湿性が向上する。
【００４７】
特に、立体編物（ダブルラッシェル）によれば、表裏のメッシュ生地間に織り込まれた連結糸によって形成される空気層により乳幼児Ｂや使用者Ｍの汗等の湿気や熱の発生に対しても、その湿気や熱を収容できる容積を有しており、更に、使用者Ｍの動き及び乳幼児Ｂの動きが空気層の体積変化となって、空気層の空気が排出及び供給されるから、使用者Ｍや乳幼児Ｂの身体から発汗した汗を速やかに吸収でき、また、使用者Ｍや乳幼児Ｂの身体の熱を逃すことができる。勿論、表裏のメッシュ生地及び空気層により通気性、通水性にも優れるから、水分の乾きも速い。更に、連結糸によって形成される空気層により多少の弾力性（クッション性）等を有し、乳幼児Ｂが動いても、空気層の追随変化によって違和感が生じず、乳幼児Ｂの体形への馴染みもよい。
【００４８】
なお、このような立体編物（ダブルラッシェル）はダブルラッシェル機やトリコット機等の織布製造機によって製造され、その商品は、旭化成株式会社から「フュージョン（商標名）」、また、帝人興産から「エアクィーン（商標名）」等として販売されているので、ここでは仔細な説明を省略する。
【００４９】
本発明を実施する場合には、上述した通気性を有する生地は、本体部１０の内面側、即ち、乳幼児Ｂ側の全面に使用されることもあれば、部分的に使用されることもある。特に、乳幼児Ｂが発汗しやすい頭部や背中部分にあてがう頭当部１１や背当部１２のみの使用であってもよいし、おむつかぶれを防止するために臀当部１３のみに使用してもよい。頭当部１１、背当部１２、臀当部１３の何れかのみの使用であってもよいし、頭当部１１及び背当部１２のみ、頭当部１１及び臀当部１３のみ、背当部１２及び臀当部１３のみの使用であってもよいし、頭当部１１及び背当部１２及び臀当部１３の全部で使用してもよい。勿論、頭当部１１や背当部１２や臀当部１３の各一部分であってもよい。
また、本体部１０の内面側のみならず、本体部１０の外面側の外装生地１５０においても通気性を有する生地を使用しても良く、本体部１０の内面側（乳幼児Ｂ側）及び外面（乳幼児Ｂ側とは反対側）の表裏の両面の厚み方向で空気の流通を許容する構造が望ましい。本体部１０の表裏面が所定のメッシュ状繊維で形成されていれば、表裏の厚み方向の空気の通り道が確保されることから、通気量が増し、より効果的に湿気や熱を逃すことができる。また、特定部分で通気性を有する生地に対して通気性のない生地を被覆自在とした２層構造に形成してもよい。何れにせよ、外装生地１５０において、その全部または一部で通気性を有する生地の使用により空気が排出及び供給される開口を形成することで、表生地１１０及び裏生地１２０間に入れた立体網状構造体１００の通気性が生かされて通気が維持される構造であればよい。
【００５０】
なお、メッシュの孔の大きさ、数によって、即ち、メッシュ密度の選択により、空気の出入りを決定する流体抵抗を任意に設定できる。更に、対応させる乳幼児Ｂの部位に応じてメッシュの粗密を変えてもよい。例えば、乳幼児Ｂの顔や触れやすい部位では、目の細かいメッシュによって肌触りを良くしたり、乳幼児Ｂが発汗しやすい頭部や背中部に対応する頭当部１１及び背当部１２では、目の粗いメッシュによって高い通気性を確保したりできる。また、デザイン的にメッシュの形状を決定してもよい。必ずしも網目構造である必要はなく、複数の開口によって空気の流通を確保しても良い。
【００５１】
本体部１０の表生地１１０及び裏生地１２０からなる外装生地１５０において、通気性を有する生地以外は、任意の生地で形成できる。また、対応させる乳幼児Ｂの部位に応じて生地の種類を変えても良く、例えば、肌触りのよい生地、ソフト感のある柔らかい生地、刺激性のない生地が乳幼児Ｂの頭部近辺で使用されたり、吸湿性の高い生地が乳幼児Ｂの頭部や背中近辺で使用されたりする。デザイン的、機械強度的に生地の材質を選択しても良い。
【００５２】
そして、本実施の形態のベビーキャリア１においては、このように通気性が確保された表生地１１０及び裏生地１２０からなる袋状とした外装生地１５０の内部に、緩衝材として、合成樹脂からなる連続線条体１０１が不規則に蛇行して絡み合っており、しかも、蛇行した状態で随所に融着してなる特定の厚みを有する立体網状構造体１００が配設されている。
【００５３】
立体網状構造体１００の配設は、ベビーキャリア１の目的（保持対象の月齢、保持形態等）、商品的価値の特徴・特性等に応じて、本体部１０の全体に配設しても良いし、特定の一部のみの配設であっても良い。即ち、頭当部１１、背当部１２、臀当部１３の何れかのみの配設であってもよいし、頭当部１１及び背当部１２のみ、頭当部１１及び臀当部１３のみ、背当部１２及び臀当部１３のみの配設であってもよいし、頭当部１１及び背当部１２及び臀当部１３の全体に配設してもよい。好ましくは、位置ずれを防止するために各部を構成する面積相当で充填されるが、頭当部１１や背当部１２や臀当部１３の各一部分であってもよく、その場合には部分的に外装生地１５０に縫い付ける等、或いは外装生地
１５０内に収容部を形成する等の位置ずれ防止手段が設けられる。
また、上述したように立体網状構造体１００は、その密度、大きさ、厚み、原料の材質や、連続線条体１０１の形状等によって、硬さや柔らかさ、弾力性等の特性を調節可能であるから、例えば、背当部１２では硬く、臀当部１３では柔らかいものを使用する等、配設位置、部位によって異なる特性（密度、厚み等）の立体網状構造体１００を選択することも可能である。
そして、本体部１０に配設される立体網状構造体１００は厚みが３ｍｍ以上、３０ｍｍ以下の範囲内、より好ましくは３ｍｍ以上、２０ｍｍ以下の範囲内のものが使用されることで、緩衝機能が発現されやすく、また、乳幼児Ｂや使用者Ｍの身体形状に対応して屈曲可能な程度に可撓性、柔軟性を有し、更に、携帯時の嵩張りも少ないものとなる。
【００５４】
例えば、頭当部１１に立体網状構造体１００を配設することによって、乳幼児Ｂの頭部を支持してグラつきを防止したり、後方への傾きを防止したり、頭部への衝撃を和らげたりできる。また、周囲の音が減衰されて快適な睡眠環境を形成することもできる。
特に、頭当部１１に配設する立体網状構造体１００の２５％圧縮時硬さ（立体網状構造体１００を２００ｍｍ径の円形状の圧縮板にて７５％まで圧縮した後に再度２５％圧縮した時の応力）を、１０Ｎ／φ２００以上、１８０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内が好ましく、より好ましくは４ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内である。
上記範囲内であれば、別途、硬質な芯材を外装生地１５０内に入れなくとも、乳幼児Ｂの頭部にあてがわれる頭当部１１では乳幼児Ｂの頭部をしっかり支持して乳幼児Ｂの頭部の後方への傾き、反り返りを防止できることから、低月齢の乳幼児Ｂを保持する際や、乳幼児Ｂが眠った際でも乳幼児Ｂの頭部をしっかり支持して頭部のグラつきを防止することが可能である。更に、使用者Ｍの歩行等による振動、衝撃吸収性も高く、乳幼児Ｂの頭部や首部にかかる負担を少なくできる。
【００５５】
また、背当部１２に立体網状構造体１００を配設することによって、乳幼児Ｂにとっての抱き心地が向上して、乳幼児Ｂの姿勢や保持の安定性も向上する。
特に、背当部１２に配設する立体網状構造体１００の２５％圧縮時硬さを、１０Ｎ／φ２００以上、１８０Ｎ／φ２００以下の範囲内とするのが好ましく、より好ましくは、１０Ｎ／φ２００以上、１５０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１５ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは１５ｋｇ／φ１５０以上、３０ｋｇ／φ１５０以下の範囲内である。
上記範囲内であれば、別途、硬質な芯材を入れなくとも乳幼児Ｂの腰から背中部にあてがわれる背当部１２では乳幼児Ｂの腰から背中部をしっかり支持して、落ち込みを防止して乳幼児Ｂの安定した姿勢を維持でき、また、使用者Ｍの目の届かないおんぶ時でも、乳幼児Ｂの反り返りを防止できる。
【００５６】
更に、臀当部１３に立体網状構造体１００を配設することによって、乳幼児Ｂの臀部が落ち込み易くなり、乳幼児Ｂの重心位置が安定して保持安定性が向上する。また、乳幼児Ｂの臀部にかかる圧力が分散されやすくなり、座り心地が向上し、乳幼児Ｂの負担も軽減される。
特に、臀当部１３に配設する立体網状構造体１００の２５％圧縮時硬さを、後述する中央部１３Ａにおいて１０Ｎ／φ２００以上、１５０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内である。
上記範囲内であれば、乳幼児Ｂの臀部を落ち込み易くし、臀部の重心位置を安定化させて位置ずれを防止することにより、乳幼児Ｂの安定した沈みを得て保持安定性を高め、使用者Ｍ及び乳幼児Ｂにとって負担の少ない快適な姿勢での保持を可能とする。また、乳幼児Ｂの脚に触れてもそれに追従し、乳幼児Ｂの脚の動きが制限され難い。殊に、首据わり前の低月齢の乳幼児Ｂを保持する際でも、乳幼児Ｂの臀部が落ち込み易いことで、乳幼児Ｂの臀部の位置よりも高い位置で膝が曲げられ、Ｍ字開脚とする自然な開脚姿勢で、乳幼児Ｂの重心が脚側ではなく臀部にかかり、乳幼児Ｂの体形に負担の少ない保持を可能とする。
【００５７】
ここで、本実施の形態の臀当部１３においては、乳幼児Ｂの臀部の中央側を受ける中央部１３Ａと中央部１３Ａの左右両側に位置し乳幼児Ｂの太股付近に当たる左右１対の端部１３Ｂとから構成されている。
【００５８】
なお、本実施の形態のベビーキャリア１においては、立体裁断によって臀当部１３の中央部１３Ａ及び左右両側の端部１３Ｂを形成しており、中央部１３Ａ及び端部１３Ｂを内側（中心側）に向かって弧状に湾曲した縫製線１３ａによって接ぎ合わせ、更に、臀当部１３の下端部を後述の腰ベルト部５０の本体ベルト部５１に対して、本体ベルト部５１の上端部に接ぎ合わせる略直線状の縫製線及びその下方に弧状に湾曲した縫製線（図示せず）にて一体に接続することにより、立体的な収容空間を形成している。これにより、後述する高い位置で保持する際の乳幼児Ｂの脚の動きが拘束され難くなり、また、乳幼児Ｂの臀部の重心位置も安定しやすい。
【００５９】
このとき、臀当部１３において中央部１３Ａと端部１３Ｂの接続は、表生地１１０及び裏生地１２０間に入れる立体網状構造体１００を連続させないことによって、或いは、立体網状構造体１００を連続させても表生地１１０及び裏生地１２０を縫合することによって、または、立体網状構造体１００自体が折曲自在に形成されていることで、中央部１３Ａと端部１３Ｂの間が区別され、中央部１３Ａの面に対し端部１３Ｂが乳幼児Ｂ側に折曲自在に形成されている。
【００６０】
特に、端部１３Ｂに縫製線１３ａによって接ぎ合わされる中央部１３Ａの外形が中央側に湾曲した形状、即ち、上下の端部よりも中央側で幅狭の形状であるから、この中央部１３Ａに立体網状構造体１００が配設されると、乳幼児Ｂの臀部が落ち込み易くて、臀部の位置ずれも生じ難い。よって、乳幼児Ｂの負担が少なく快適な姿勢での保持を可能とし、保持安定性を高くできる。
【００６１】
なお、本発明を実施する場合には、臀当部１３の中央部Ａの表面形状を変化させたり、表生地１１０及び裏生地１２０の外装生地１５０の中に入れる立体網状構造体１００について厚みに変化を付けたりすることによって、臀部の落ち込みが自在なように窪みを形成することで、または、表生地１１０及び裏生地１２０の外装生地１５０の中に入れる立体網状構造体１００についてクッション性や柔軟性を変化させる構造とすることによっても、乳幼児Ｂの臀部の落ち込みを安定化させ、保持安定性を高めることができる。
【００６２】
更に、臀当部１３の端部１３Ｂにおいては、その外縁が乳幼児Ｂの太股に接触することにより乳幼児Ｂの太股に対し大きな負荷をかけやすいことから、乳幼児Ｂの太股に触れる左右両側の端部１３Ｂでは、中央部１３Ａよりもクッション性（弾力性）の高い立体網状構造体１００の配設により、乳幼児Ｂの太股への圧迫を軽減できる。例えば、端部１３Ｂに配設する立体網状構造体１００は、２５％圧縮時硬さを、１０Ｎ／φ２００以上、１８０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内が好ましく、より好ましくは４ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内である。
【００６３】
また、本実施の形態のベビーキャリア１では、背当部１２と臀当部１３の境界部で水平方向の横幅が狭くそこから下方に向かって臀当部１３を幅広とする設計によっても、構造的に臀当部１３で乳幼児Ｂの臀部の落ち込みを容易としているが、背当部１２に配設する立体網状構造体１００と臀当部１３に配設する立体網状構造体１００とで、クッション性、硬さ等の特性を変えることでも、例えば、背当部１２に配設する立体網状構造体１００と比較して、臀当部１３に配設する立体網状構造体１００の硬さを柔らかくし、クッション性を小さくすることによって、背当部１２では乳幼児Ｂの姿勢をしっかり支持するも、臀当部１３では乳幼児Ｂの臀部を落ち込みやすくできる。
特に、立体網状構造体１００が高い通気性を有することで、立体網状構造体１００の厚みを厚くしてクッション性や硬さを高めても蒸れを防止できる。
【００６４】
なお、上述したように、立体網状構造体１００の硬さ、反発力、クッション性等の特性については、その密度、大きさ、厚み、原料の材質や、連続線条体１０１の形状等によって決定されることから、立体網状構造体１００の密度、原料の材質、連続線条体１０１の形状を統一し、厚みのみ変化させることで所望の硬さを得ても良いし、立体網状構造体１００を均一な厚みに統一して、それを構成する原料の材質、連続線条体１０１の形状、密度等を変化させることによって所望の硬さ、反発力、クッション性等の特性を得ても良い。
【００６５】
このように、本実施の形態のベビーキャリア１によれば、一部または全部を通気性を有する生地で形成して通気性を確保した表生地１１０及び裏生地１２０からなる袋状の外装生地１５０の中に、特定部位または全体に緩衝材として、合成樹脂からなる連続線条体１０１が不規則に蛇行して絡み合っており、しかも、蛇行した状態で随所に融着してなり、連続線条体１０１間の空間が連通してなる特定の厚みを有する立体網状構造体１００が入れられて本体部１０が形成されている。
【００６６】
したがって、立体網状構造体１００が配設された部位では緩衝作用、クッション性（弾力性）が得られるが、この立体網状構造体１００は、それを構成する連続線条体１０１間の空間が連続していることによって、好ましくは７０％〜９８％の空隙率によって、通気性を有している。このため、緩衝材として立体網状構造体１００を配設しても、連続線条体１０１間の空隙によって空気の通り道が形成されていることから、また、乳幼児Ｂや使用者Ｍの動きにより立体網状構造体１００の空間の体積変化が生じることによって空気の流れが生じることから、熱や湿気が滞留し難く、乳幼児Ｂに対して暑さや蒸れを生じさせ難い。
【００６７】
そして、このように立体網状構造体１００が通気性に優れ、湿気や熱が滞留し難いことから、また、合成樹脂からなる連続線条体１０１の不規則に蛇行した絡み合いによって連続線条体１０１の多くがループ状で合成樹脂屑も出にくいことから、従来の緩衝材として使用されていたウレタン、ポリオレフィン系発泡体と比較しても、細菌、カビ等が繁殖し難く、乳幼児Ｂや使用者Ｍからの汗の染み込みや細菌・カビ等の繁殖による臭気も発生し難い。更に、連続線条体１０１間の連続した空間によって通気性及び透水透湿性に優れることで、速乾性を有し、洗濯しても水分の乾きが速くて、乾燥までに細菌が繁殖する恐れもなく、洗濯によって衛生さ、清潔さを保つことができる。乳幼児Ｂのよだれ、吐き戻し等の水分の付着に対しても、乾きが速く、細菌、カビ等の繁殖を防止できる。よって、衛生特性が向上する。また、立体網状構造体１００を構成する連続線条体１０１が合成樹脂からなり、それらは不規則に蛇行して絡み合って、かつ、蛇行した状態で随所に融着しているから、繰り返しの洗濯に耐える強度を有し、繰り返し洗濯しても緩衝性、クッション性等の特性が低下し難い。即ち、連続線条体１０１同士が固定されているため、圧縮や洗濯によって、連続線条体１０１が移動したり、全体形状が崩れたりすることがなく、嵩高性の低下や弾力性の低下等のヘタリも少ない。
【００６８】
特に、本実施の形態では、一部または全体が通気性を有する生地からなる外装生地１５０によって立体網状構造体１００が覆われており、外装生地１５０の通気性により空気の流れ道が形成され、乳幼児Ｂの身体の熱や湿気を逃すことができる。更に、外装生地１５０の通気性により、外装生地１５０に入れられた立体網状構造体１００に新鮮な空気が供給されるから、立体網状構造体１００に入り込んだ湿気や熱の高い空気の排出が促進される。即ち、立体網状構造体１００は、その高い空隙率により、乳幼児Ｂの汗等の湿気や熱の発生に対してその湿気や熱を収容できる容積を有するも、それを覆う外装生地１５０が通気性を有することで、新鮮な空気が取り入れられて、湿気や熱が逃れやすくなる。特に、使用者Ｍの動きや乳幼児Ｂの動きによっても、立体網状構造体１００を構成する連続線条体１０１間の空隙（空間）の体積変化となって、空隙の空気の供給及び排出が促進される。したがって、外装生地１５０を介して乳幼児Ｂの身体から発汗した汗を速やかに吸収でき、また、使用者Ｍや乳幼児Ｂの身体の熱を逃すことが可能である。よって、立体網状構造体１００に湿気や熱がこもり難く、乳幼児Ｂの暑さや蒸れを軽減できる。そして、長時間の保持に対しても部分的に異常に乳幼児Ｂの体温が上昇することが防止されて、ジトジト感、ベトベト感も少なく、発汗対策、暑さ及び蒸れ対策、汗疹対策になる。
【００６９】
より好ましくは、外装生地１５０の表生地１１０及び裏生地１２０の両方、即ち、乳幼児Ｂの身体にあてがわれる面及びそれとは反対側面との本体部１０の両面（表裏）で、通気性を有する生地を使用した場合には、立体網状構造体１００の通気性及び表裏の生地の通気性によって、本体部１０の厚み方向の通気量が増すことで、より効果的に湿気や熱を逃すことができ、清涼感、爽快感が得られる。なお、本体部１０の表裏の両面（対向面）がメッシュ状であれば、使用者Ｍ及び乳幼児Ｂの体形や動作に従って空気の出入りを決定する流体抵抗を任意に設定できる。
【００７０】
そして、このように合成樹脂からなる連続線条体１０１が不規則に蛇行して絡み合っており、かつ、蛇行した状態で随所に融着してなる特定の厚みを有する立体網状構造体１００によれば、空隙率が高いが、それを構成する連続線条体１０１が合成樹脂からなり、互いに３次元状に絡み合い融着していることで面全体で外力を受けるから、従来の緩衝材としてのウレタン、ポリオレフィン系発泡体と比較して、同等のクッション性としても軽量化される。よって、装着する使用者Ｍにとっての重さや持ち運びの負担を少なくできる。
また、従来、ベビーキャリア１のクッション材として使用されていたウレタン、ポリオレフィン系発泡体と比較して、立体網状構造体１００は回復特性が速く、乳幼児Ｂの身体の動きに追従するフィット性、抱持性が得られ、抱き心地や保持安定性を向上させることができる。よって、厚みを少なくしても適度なクッション性が得られ、嵩張りを小さくできる。
【００７１】
加えて、連続線条体１０１が３次元状に絡み合い、連続した空間を有する立体網状構造体１００によれば、乳幼児Ｂの面積に対して均一に支持して体重の応力の集中を少なくできる。即ち、立体網状構造体１００の配設によって受圧面積が広くなり、乳幼児Ｂにかかる圧力が分散されやすい。よって、乳幼児Ｂの体形にかかる負担を軽減できる。特に、乳幼児Ｂの重心位置がくる臀当部１３において、立体網状構造体１００を配設することで、長時間保持する場合でも、乳幼児Ｂの臀部にかかる圧力が分散されることで快適な座り心地となり、乳幼児Ｂの臀部への負担が軽減される。
【００７２】
なお、本実施の形態では、立体網状構造体１００を頭当部１１と背当部１２に配設しても、頭当部１１と背当部１２の境界部において表生地１１０及び裏生地１２０の外装生地１５０の間に入れた立体網状構造体１００を連続させないことによって、或いは、立体網状構造体１００を連続させても立体網状構造体１００自体を折曲げ自在とした構造により、頭当部１１と背当部１２の間が区別され、背当部１２の面に対し頭当部１１が折曲自在となっている。これにより、背当部１２にて乳幼児Ｂの腰から背中部を安定して支持するも乳幼児Ｂの頭部の重みに応じて頭当部１１が背当部１２の面に対して傾斜し易く（折れ曲がり易く）、乳幼児Ｂの頭部及び首部に無理が加わらないように乳幼児Ｂの頭部及び首部を保護できるようになっている。また、乳幼児Ｂの成長に応じ、背当部１２の面に対して頭当部１１を乳幼児Ｂ側とは反対側に折曲して使用することで、乳幼児Ｂの視界を広げることができる。
【００７３】
更に、本実施の形態のベビーキャリア１においては、本体部１０の乳幼児Ｂが配置される側で、頭当部１１と背当部１２の境界部の頭当部１１と背当部１２の面から略三角形状の接続部１４を突出して設けており、この接続部１４により乳幼児Ｂの頭部の左右方向の傾きを支え、グラつきを防止して乳幼児Ｂの頭部及び首部への負担を軽減できる。特に、接続部１４をクッション性を有する材料で形成することで、衝撃を緩和して乳幼児Ｂの頭部及び首部を保護できる。そして、この接続部１４に緩衝材としての立体網状構造体１００を配設することも可能である。即ち、接続部１４を構成する外装生地１５０の表生地１１０及び裏生地１２０の間に立体網状構造体１００を入れても良い。
【００７４】
なお、頭当部１１には、図示しない所定の収容容積を有するポケット状の収納部が設けられており、図３に示した本体部１０の乳幼児Ｂが配置される側とは反対側の面（使用者Ｍがベビーキャリア１を装着した状態で意匠面側となる外面側）に、図示しない収納部を開閉自在とするためのスライドファスナ１５（ホック、ボタン、接着布等であってもよい）を有し、乳幼児Ｂの頭部を覆う所定面積の図示しないヘッドフードや、保冷剤、タオル等の持ち物等を収容可能としている。図示しないヘッドフードは、例えば、その一端が収納部内に縫着等によって固着され、また、他端を肩ベルト部４０に連結具（例えば、バックル、ホック、ナスカン、カラビナ、Ｄロック、クイックキャッチ、楕円リング等）を介して取付けることで、乳幼児Ｂの頭部を後頭部側から覆って支持し、保持している乳幼児Ｂが眠った際でも乳幼児Ｂの頭部が後方に倒れて乳幼児Ｂの身体がのけ反る事態を防止したり、乳幼児Ｂの日除けや、ベビーキャリア１の装着状態で抱っこしたまま授乳する際に授乳を隠すカバー等として機能したりする。
なお、このヘッドフードにおいても通気性を有するのが望ましく、緩衝材として立体網状構造体１００を使用することで、通気性を確保できる。
【００７５】
そして、本実施の形態のベビーキャリア１において、このように頭当部１１、背当部１２及び臀当部１３が一体に形成された本体部１０には、臀当部１３側の下端部で直線状の縫製線及び弧状に湾曲した縫製線（図示せず）にて腰ベルト部５０が縫い付けられている。なお、本体部１０と腰ベルト部５０は全体として略逆Ｔ字状に配設され、本体部１０の下端及びその付近の縫製によって腰ベルト部５０に一体に縫い合わされていることによって、腰ベルト部５０の面方向に対して本体部１０は直角方向に折れ曲がり自在となっている。
【００７６】
腰ベルト部５０は、本体部１０及び後述する補助保持部２０の下部において、本体部１０及び補助保持部２０の長さ方向（上下方向）に対して略直交方向に配設して乳幼児Ｂの体重の多くを受けるので強度的に耐えられ、かつ、使用者Ｍの腰回りに取付けても使用者Ｍの体形に無理が掛からないように力（乳幼児Ｂの体重）の分散が行われる形態として、本体部１０及び後述の補助保持部２０と一体化されて縦幅が幅広な本体ベルト部５１と本体ベルト部５１の長さ方向の両端部に配設されアジャスター付きバックルを有する布ベルトからなる左右１対の長さ調節部５２とから構成されている。そして、この腰ベルト部５０は、長さ調節部５２に設けたアジャスター付きバックルの連結差込具５３と連結受具５４の連結係合によって使用者Ｍの腰回りに固定可能とし、連結差込具５３と連結受具５４を連結自在としていることで、使用者Ｍの腰回りに取付け及び取外し自在となっている。
【００７７】
このように腰ベルト部５０において、本体ベルト部５１の両端部に設けた左右１対の長さ調節部５２は、使用者Ｍの腰回りへの取付けに必要なベルト長が決められるように所定の長さを有し、１対の雌雄のアジャスター付きバックルからなる連結差込具５３と連結受具５４においてアジャスター機能を有することで、使用者Ｍの腰の周囲の長さに合わせることができる。なお、アジャスターは、ベルト長を調節できるものであれば、独立したアジャスターでもよいし、連結具と一体となったものでもよい。
【００７８】
縦幅が幅広な本体ベルト部５１は、例えば、表生地１１０及び裏生地１２０の外装生地１５０の間に緩衝材を入れた所定の柔軟性、可撓性、弾性、硬度等を有する材料で形成され、使用者Ｍへの腰回りへの馴染みを良くし、食い込まない程度にフィット性を高め、使用者Ｍの腰回りに掛かる荷重を分散しやすくして、使用者Ｍへの負担を少なくしている。好ましくは、本体ベルト部５１においても、それを構成する外装生地１５０の全体または一部に上述したような通気性を有する生地を使用することで、蒸れ等を防止して、不快感を軽減できる。また、少なくとも使用者Ｍの腰回りに触れる内面側を吸水性のある綿生地等で形成することによっても吸湿性が向上する。
【００７９】
本発明を実施する場合には、表生地１１０及び裏生地１２０の外装生地１５０の間に、緩衝材として硬質なウレタンやポリオレフィン系発泡体からなる芯材及び軟質なウレタンやポリオレフィン系発泡体からなるクッション材を使用して本体ベルト部５１を形成することもできるし、表生地１１０及び裏生地１２０の外装生地１５０の間に、緩衝材としての立体網状構造体１００を入れて本体ベルト部５１を構成することも可能である。
【００８０】
特に、本体ベルト部５１においては、緩衝材としての立体網状構造体１００を配設することによって、ウレタン、ポリオレフィン系発泡体と比較して、軽量で通気性が高く、蒸れ等を軽減でき衛生的に保つことが可能となる。
つまり、立体網状構造体１００が通気性に優れることで、空気の通り道が形成されており、使用者Ｍの動きによっても、立体網状構造体１００内の空間の体積変化が生じることで空気の流れが促進されることから、湿気や熱が滞留し難く、蒸れ等を軽減できる。
【００８１】
特に、立体網状構造体１００の全体または一部が通気性を有する生地で覆われていると、新鮮な空気が取り入れられ湿気や熱が逃れやすい。また、立体網状構造体１００の高い空隙率により、使用者Ｍの汗等の湿気の発生に対しても、その湿気を収容できる容積を有するも、使用者Ｍの動きが立体網状構造体１００内の空気層の体積変化となって、空気層の空気が排出及び供給されるから、通気性を有する生地を介して使用者Ｍや乳幼児Ｂの身体から発汗した汗を速やかに吸収でき、また、使用者Ｍや乳幼児Ｂの身体の湿気や熱を逃すことができる。よって、立体網状構造体１００に湿気や熱がこもることなく、暑さや蒸れを軽減でき、長時間の使用に対しても部分的に異常に体温が上昇することが防止されて、発汗対策、蒸れ対策にもなり、使用者Ｍの腰回りの蒸れ感による不快感を軽減できる。
【００８２】
勿論、本体ベルト部５１を構成する表生地１１０及び裏生地１２０の両面、即ち、使用者Ｍの身体にあてがわれる面及びそれとは反対面との本体ベルト部５１の表裏面で、通気性を有する生地を使用した場合には、立体網状構造体１００の通気性及び表裏の生地の通気性によって、厚み方向にも通気量が増すことで、蒸れがより一層軽減される。
【００８３】
そして、このように立体網状構造体１００を本体ベルト部５１の緩衝材として使用した際には、本体ベルト部５１が通気性に優れ湿気や熱が滞留し難いことで、ウレタン、ポリオレフィン系発泡体と比較して、細菌・カビも繁殖し難く、使用者Ｍからの汗の染み込みや細菌・カビの繁殖による臭気を防止することができる。更に、立体網状構造体１００によれば、連続した空間によって、通気性及び透水透湿性に優れることで、速乾性を有することから、洗濯しても水分の乾きが速くて、乾燥までに細菌が繁殖する恐れもなく、洗濯によって衛生さ、清潔さを保つことができる。よって、衛生特性が向上する。また、立体網状構造体１００を構成する連続線条体１０１が合成樹脂からなり、それらは不規則に蛇行して絡み合っており、かつ、蛇行した状態で随所に融着しているから、繰り返しの洗濯に耐える強度を有し、繰り返し洗濯してもクッション性が低下し難い。
【００８４】
更に、連続線条体１０１が３次元状に絡み合い、連続した空間を有する立体網状構造体１００の配設によって使用者Ｍの腰回りの受圧面積が広くなり、使用者Ｍにかかる圧力が分散されやすく、使用者Ｍが感じる重さを軽減できる。
特に、本体ベルト部５１に配設する立体網状構造体１００は、厚みが３ｍｍ〜３０ｍｍの範囲内が好ましく、より好ましくは、３ｍｍ〜１０ｍｍの範囲内である。そして、２５％圧縮時硬さが、１０Ｎ／φ２００〜２００Ｎ／φ２００以下の範囲内であれば、適度な弾性を有して、別途、硬質な芯材を用いなくとも使用者Ｍの腰回りに掛かる応力の集中が回避され、更に、適度な柔らかさがあることで、腰ベルト部５０の浮きが防止されて腰ベルト部５０を使用者Ｍの体型に応じて腰回りの曲線に沿ってフィットさせることができる。これより、馴染みが良くて使用者Ｍの腰回りに掛かる荷重が分散されやすく、特定の箇所で重みが集中しないので使用者Ｍの負担が軽減され、長時間の着用でも痛み等の不快感を感じ難くなる。そして、所定の硬さの立体網状構造体１００によって使用者Ｍの腰回りの体形に沿ってフィットし易くても、立体網状構造体１００が通気性を有することで、蒸れ難い。特に、使用者Ｍの腰回りにおいて、背腹部に比べて膨らみがないフラットな腰の背後側でも、フィットさせることが可能であり、おんぶしたときでも腰の背後にかかる負担が軽減され、楽になる。
また、立体網状構造体１００によれば、従来のウレタン、ポリオレフィン系発泡体からなる緩衝材と比較して、同等の緩衝作用としても軽量であり、装着する使用者Ｍにとっての重さや持ち運びの負担を少なくできる。
【００８５】
なお、本発明を実施する場合には、本体ベルト部５１に硬質のウレタン、ポリオレフィン系発泡体からなる芯材を配設し、身体への当たりを良くするために、使用者Ｍ側に立体網状構造体１００を配設する構成としてもよい。これによっても立体網状構造体１００が通気性に優れるため、湿気や熱が滞留し難いことで蒸れ等を軽減できる。また、立体網状構造体１００によって体圧が分散され、使用者Ｍの負担を軽減できる。
また、腰ベルト部５０の本体部１０や補助支持部２０への接続は、縫製であってもよいし、係合手段等による取付け、取り外し自在な構成であっても良い。
【００８６】
更に、本実施の形態のベビーキャリア１においては、補助保持部２０が本体部１０と共に腰ベルト部５０に縫い合わされている。
この補助保持部２０は、本体部１０の乳幼児Ｂ側に配設されて、その下端部が腰ベルト部５０に本体部１０と共に一体に取付けられているも、それ以外は本体部１０と分離自在とされており、本体部１０とは反対側で乳幼児Ｂの身体にあてがわれる。乳幼児Ｂを対面抱っこや前向きおんぶで保持する際には、乳幼児Ｂの反背側、即ち、股側や腹側にあてがわれることになる。
【００８７】
なお、図において、補助保持部２０は、本体部１０と腰ベルト部５０の接続横幅よりも内方にて本体部１０と共に腰ベルト部５０に縫製され、上方に延びた自由端の他端側に向かって徐々に幅広とした略台形状を呈している。補助保持部２０と腰ベルト部５０の関係も全体として略逆Ｔ字状に配設され、補助保持部２０の下端のみの縫製によって腰ベルト部５０に一体に接続されており、腰ベルト部５０の面方向に対して補助保持部２０も直角方向に折れ曲がり自在となっている。
【００８８】
そして、本実施の形態においては、本体部１０とは反対側で乳幼児Ｂの身体にあてがわれる補助保持部２０においても緩衝材としての立体網状構造体１００が配設される。
ここでも、緩衝材としての立体網状構造体１００が表生地１１０及び裏生地１２０からなる外装生地１５０で覆われて、補助支持部２０を構成している。つまり、袋状に閉じられた表生地１１０及び裏生地１２０からなる外装生地１５０に緩衝材としての立体網状構造体１００が入れられて補助支持部２０が構成されている。これにより、補助支持部２０は所定の柔軟性、可撓性、弾性等を有し、乳幼児Ｂの体形に無理が加わらないようにする。
更に、補助保持部２０においても、乳幼児Ｂ側または使用者Ｍ側の外装生地１５０、或いはその両方の表裏の外装生地１５０において、一部または全部に通気性を有する生地が使用される。
【００８９】
このように本実施の形態のベビーキャリア１において、本体部１０とは反対側の乳幼児Ｂの身体にあてがわれる補助保持部２０を設け、保持する乳幼児Ｂと使用者Ｍとの間で通気性を有する生地で被覆された立体網状構造体１００を配設することにより、乳幼児Ｂと使用者Ｍの間に空気の通り道ができ、湿気や熱が逃れやすくなるため異常な保温状態に至らない。また、乳幼児Ｂや使用者Ｍの動きによっても、立体網状構造体１００の空間（空気層）の体積変化が生じることから空気の流れが生じて、新鮮な空気の供給及び湿気や熱の高い空気の排出が促進される。更に、汗等の湿気の発生に対しても、立体網状構造体１００がその湿気を収容できる容積を有し、使用者Ｍの体や乳幼児Ｂの体から発汗した汗は速やかに吸収されるが、立体網状構造体１００の空間が連続していることによって、吸収した湿気は外部に放散されやすく、湿気や熱がこもり難い。よって、使用者Ｍ及び乳幼児Ｂの密着による暑さやむれは著しく軽減され、発汗対策、汗疹対策にもなり、乳幼児Ｂを保持したときにベトベト感、ジトジト感が生じない。更に、乳幼児Ｂ及び使用者Ｍの体形や動きが変化しても、補助保持部２０の追随変化によって違和感がない。加えて、使用者Ｍと乳幼児Ｂの間に補助保持部２０が介在することで、使用者Ｍの衣類に乳幼児Ｂの体温によって生じる皺が入るのを防止できる。また、立体網状構造体１００を覆う外装生地１５０が通気性を有さなくとも、連続線条体１０１の密度を高めると、空気を保持して断熱効果が得られる。
【００９０】
そして、このように立体網状構造体１００が通気性を有し湿気や熱が滞留し難いことから、また、合成樹脂からなる連続線条体１０１の不規則に蛇行した絡み合いによって連続線条体１０１の多くがループ状で合成樹脂屑も出にくいことから、細菌・カビも繁殖し難く、乳幼児Ｂや使用者Ｍからの汗の染み込みや細菌・カビの繁殖による臭気を防止することができる。更に、連続した空間によって、通気性及び透水透湿性に優れることで、速乾性を有することから、洗濯しても水分の乾きが速くて、乾燥までに細菌が繁殖する恐れもなく、洗濯によって衛生さ、清潔さを保つことができる。また、立体網状構造体１００を構成する連続線条体１０１が合成樹脂からなり、それらは不規則に蛇行して絡み合っており、かつ、蛇行した状態で随所に融着しているから、繰り返しの洗濯に耐える強度を有し、繰り返し洗濯してもクッション性が低下し難い。
加えて、立体網状構造体１００の適度なクッション性によって快適な抱き心地が得られる。
【００９１】
そして、補助保持部２０に配設される立体網状構造体１００は厚みが３ｍｍ以上、２０ｍｍ以下の範囲内、より好ましくは３ｍｍ以上、１０ｍｍ以下の範囲内のものが使用されることで、緩衝機能が発現されやすく、また、乳幼児Ｂや使用者Ｍの身体形状に対応して屈曲可能な程度に可撓性、柔軟性を有し、更に、携帯時の嵩張りも少ないものとなる。
補助保持部２０に配設する立体網状構造体１００の２５％圧縮時硬さは、１０Ｎ／φ２００以上、１５０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内である。
上記範囲内であれば、立体網状構造体１００が乳幼児Ｂと使用者Ｍの動きに追従して、体形への馴染みが良くて乳幼児Ｂと使用者Ｍの間でゴワゴワ感等の違和感のない密着感を確保することができる。
【００９２】
また、本実施の形態のベビーキャリア１においては、補助保持部２０の自由端側の左右両端部に、接続布地２５を介し、先端にアジャスター付きバックルの連結差込具２３を有する所定長の布ベルトからなる左右１対の連結調整部２２が取付けられ、また、本体部１０の乳幼児Ｂ側（外面側）の左右において背当部１２と臀当部１３の境界付近に連結差込具２３の係合に対応するバックルの連結受具２４が取付けられており、連結差込具２３と連結受具２４との連結係合により補助保持部２０の自由端側の左右側部と本体部１０の背当部１２と臀当部１３の境界付近の左右両側とを接続する所定長の接続部２１を形成する（図６参照）。
【００９３】
よって、本実施の形態のベビーキャリア１においては、本体部１０の乳幼児Ｂ側（内面側）で本体部１０と共に腰ベルト部５０に縫い付けられた補助保持部２０が、その左右両側で連結調整部２２及び連結差込具２３と連結受具２４の連結係合により形成される所定長の接続部２１によって本体部１０と接続されることで、本体部１０と補助保持部２０との間隔（距離）が固定され、本体部１０と補助保持部２０と接続部２１との間に形成された空間内で乳幼児Ｂが位置決めされる。これより、本体部１０と補助保持部２０と接続部２１との間に乳幼児Ｂが収容され、対面抱っこや前向きおんぶでは乳幼児Ｂの背側に本体部１０があてがわれ、乳幼児Ｂの反背側の腹側には補助保持部２０があてがわれ、そして、接続部２１によって乳幼児Ｂが横に倒れないように保持される。特に、接続部２１の下側において本体部１０の左右側縁部と補助保持部２０の左右側縁部との間に形成された環状の開口に乳幼児Ｂの脚が通されることになり、乳幼児Ｂの収容空間が規制されることで乳幼児Ｂのおんぶ時のそり返りや、抱っこ時に使用者Ｍの前屈姿勢等で本体部１０の頭当部１１側から乳幼児Ｂが落下してしまう事態を防止できる。更に、抱っことおんぶの切り替えを行って使用者Ｍに対する乳幼児Ｂの位置を移動するときでも、乳幼児Ｂの落下を防止して、熟練でなくとも使用者Ｍにとって抱っことおんぶの切り替えの操作を容易とする。
【００９４】
更に、本実施の形態のベビーキャリア１においては、左右１対の肩ベルト部４０が補助保持部２０の自由端側に縫い付けられている。
この左右１対の肩ベルト部４０は、その一端部が補助保持部２０の自由端側の上端部の左右に縫製によって堅固に取付けられ、その他端部が補助保持部２０の自由端側の上部の左右側部に接続布地２５を介して縫製によって堅固に取付けられている。即ち、本実施の形態の肩ベルト部４０は、補助保持部２０の上下方向に渡されている。
【００９５】
左右１対の肩ベルト部４０は、補助保持部２０及び本体部１０に直接的または間接的に接続して乳幼児Ｂの体重の多くを受けるので強度的に耐えられ、かつ、使用者Ｍの肩回りに取付けても使用者Ｍの体形に無理が掛からないように力（乳幼児Ｂの体重）の分散が行われる形態として、補助保持部２０の自由端側の上端に一体に接続し横幅が幅広な肩掛け部４１と、肩掛け部４１の他端に取付けられ補助保持部２０の自由端側の上部の左右側部側に接続する調節ベルト部４２から構成されている。
【００９６】
肩掛け部４１は、使用者Ｍの左肩または右肩に掛けられることから、所定の柔軟性、可撓性等を有する材料で形成され、使用者Ｍへの肩回りへの馴染みを良くし、フィット性を高めて使用者Ｍへの負担を少なくしている。例えば、表生地１１０及び裏生地１２０の外装生地１５０の間に緩衝材を入れて形成され、使用者Ｍの肩または首の背後の一部分が乳幼児Ｂの体重集中が生じないようにすることができる。また、肩掛け部４１においても、全体または一部に外装生地１５０に通気性を有する生地を使用することで、蒸れ等の湿気を防止して、不快感を軽減できる。更に、少なくとも使用者Ｍの肩回りに触れる内面側を吸水性のある綿生地等で形成することによっても吸湿性が向上する。
【００９７】
本発明を実施する場合には、表生地１１０及び裏生地１２０の外装生地１５０の間に、緩衝材として硬質なウレタンやポリオレフィン系発泡体からなる芯材及び軟質なウレタンやポリオレフィン系発泡体からなるクッション材を使用して肩掛け部４１を形成することもできるし、緩衝材として立体網状構造体１００を使用することも可能である。
肩掛け部４１において、緩衝材としての立体網状構造体１００を配設することによって、ウレタン、ポリオレフィン系発泡体と比較して、軽量で通気性が高く、蒸れ等を軽減でき衛生さを保つことが可能となる。
【００９８】
つまり、立体網状構造体１００が通気性に優れることで、空気の通り道が形成されており、使用者Ｍの動きによっても、立体網状構造体１００内の空間の体積変化が生じることで空気の流れが促進されることから、湿気や熱が滞留し難く、蒸れ等を軽減できる。
【００９９】
特に、立体網状構造体１００の全体または一部が通気性を有する生地で覆われていると、新鮮な空気が取り入れられ湿気や熱が逃れやすい。また、立体網状構造体１００の高い空隙率により、使用者Ｍの汗等の湿気の発生に対しても、その湿気を収容できる容積を有するも、使用者Ｍの動きの動きが立体網状構造体１００内の空気層の体積変化となって、空気層の空気が排出及び供給されるから、通気性を有する生地を介して使用者Ｍや乳幼児Ｂの身体から発汗した汗を速やかに吸収でき、また、使用者Ｍや乳幼児Ｂの身体の湿気や熱を逃すことができる。よって、立体網状構造体１００に湿気や熱がこもることなく、暑さや蒸れを軽減でき、長時間の使用に対しても部分的に異常に体温が上昇することが防止されて、発汗対策、蒸れ対策にもなり、使用者Ｍの肩回りの蒸れ感による不快感を軽減できる。
【０１００】
勿論、肩掛け部４１を構成する表生地１１０及び裏生地１２０の両面、即ち、使用者Ｍの身体にあてがわれる面及びそれとは反対面との肩掛け部４１の表裏面で、通気性を有する生地を使用した場合には、立体網状構造体１００の通気性及び表裏の生地の通気性によって、厚み方向にも通気量が増すことで、蒸れがより一層軽減される。
【０１０１】
そして、このように立体網状構造体１００を肩掛け部４１の緩衝材として使用した際には、肩掛け部４１が通気性に優れ湿気や熱が滞留し難いことで、ウレタン、ポリオレフィン系発泡体と比較して、細菌・カビも繁殖し難く、使用者Ｍからの汗の染み込みや細菌・カビの繁殖による臭気を防止することができる。更に、立体網状構造体１００によれば、連続した空間によって、通気性及び透水透湿性に優れることで、速乾性を有することから、洗濯しても水分の乾きが速くて、乾燥までに細菌が繁殖する恐れもなく、洗濯によって衛生さ、清潔さを保つことができる。よって、衛生特性が向上する。また、立体網状構造体１００を構成する連続線条体１０１が合成樹脂からなり、それらは不規則に蛇行して絡み合っており、かつ、蛇行した状態で随所に融着しているから、繰り返しの洗濯に耐える強度を有し、繰り返し洗濯してもクッション性が低下し難い。また、乳幼児Ｂのよだれや、吐き戻し等の付着に対しても、水分の乾きが速く、細菌・カビの繁殖を防止できる。
【０１０２】
更に、連続線条体１０１が３次元状に絡み合い、連続した空間を有する立体網状構造体１００の配設によって使用者Ｍの肩や背中回りの受圧面積が広くなり、使用者Ｍにかかる圧力が分散されやすく、使用者Ｍが感じる重さを軽減できる。
特に、肩掛け部４１に配設する立体網状構造体１００は、厚みが３ｍｍ〜３０ｍｍの範囲内が好ましく、より好ましくは、３ｍｍ〜１０ｍｍの範囲内である。そして、２５％圧縮時硬さが、１０Ｎ／φ２００〜２００Ｎ／φ２００以下の範囲内であれば、適度な弾性を有して、別途、硬質な芯材を用いなくとも使用者Ｍの肩回りに掛かる応力の集中が回避されて食い込みが少なく、更に、適度な柔らかさがあることで、馴染みが良くて使用者Ｍの肩回りに掛かる荷重が分散されやすく、特定の箇所で重みが集中しないので使用者Ｍの負担が軽減され、長時間の着用でも痛み等の不快感や肩凝りを感じ難くなる。そして、所定の硬さの立体網状構造体１００によって使用者Ｍの肩回りの体形に沿ってフィットし易くても、立体網状構造体１００が通気性を有することで、蒸れ難い。
【０１０３】
また、立体網状構造体１００によれば、従来のウレタン、ポリオレフィン系発泡体からなる緩衝材と比較して、同等の緩衝作用としても軽量であり、装着する使用者Ｍにとっての重さや持ち運びの負担を少なくできる。
なお、本発明を実施する場合には、肩掛け部４１に硬質のウレタン、ポリオレフィン系発泡体からなる芯材を配設し、身体への当たりを良くするために、使用者Ｍ側に立体網状構造体１００を配設する構成としてもよい。これによっても立体網状構造体１００が通気性に優れるため、湿気や熱が滞留し難いことで蒸れ等を軽減できる。また、立体網状構造体１００によって体圧が分散され、使用者Ｍの負担を軽減できる。
【０１０４】
そして、図において、肩掛け部４１の一端部に接続する調節ベルト部４２は、使用者Ｍの肩回りへの取付けに必要なベルト長が決められるように所定の長さを有する布ベルトからなるベルト部４２ａと、肩掛け部４１への接続側に配設されたアジャスタ４２ｂと補助保持部２０の左右側部への接続側に配設されたアジャスタ４２ｃとから構成される。
このように、所定長のベルト部４２ａの長さ方向の一端側にアジャスタ４２ｂが取付けられ、また、他端側でもアジャスタ４２ｃが取付けられていることで、ベルト長を調節自在とし、肩ベルト部４０の長さを使用者Ｍの肩に掛け、背後に回すその肩回り長さに合わせることができる。
【０１０５】
また、左右１対の肩ベルト部４０の肩掛け部４１には、本体部１０と接続するための回転式のバックルの連結差込具４３が取付けられている。この連結差込具４３が、本体部１０の乳幼児Ｂ側（内面側）で頭当部１１と背当部１２の境界付近の左右両側から乳幼児Ｂ側に突設した接続部１４の先端に取付けた回転式バックルの連結受具４４と連結係合することにより、回転式バックルの連結差込具４３及び連結受具４４と接続部１４とによって肩ベルト部４０と本体部１０が接続され、人為的にバックルの係合を外さない限り、肩ベルト部４０と本体部１０の接続状態が固定され、本体部１０と補助保持部２０の間に収容された乳幼児Ｂの保持を可能とする。
【０１０６】
更に、本実施の形態の肩掛け部４１には、左右の肩ベルト部４０間の間隔を調整保持する肩ベルト調整部４６が設けられている。この肩ベルト調整部４６は、左肩に掛ける肩掛け部４１にベルト可動用アジャスター４８を介して取付けた所定長さの調整ベルト部４６ａの先端にバックルの連結差込具４６ｃを取付け、また、右肩に掛ける肩掛け部４１にベルト可動用アジャスター４８及びベルト布４６ｂを介してバックルの連結受具４６ｄを取付けており、連結差込具４６ｃと連結受具４６ｄが係合自在となっている。そして、バックルの連結差込具４６ｃのアジャスターに取付けた調整ベルト部４６ａによるベルト長の調節により、左右の肩ベルト部４０間を接続する肩ベルト調整部４６の接続長さを調節して、左右の肩ベルト部４０相互間の間隔（距離）が調整できるようになっている。なお、本発明を実施する場合には、連結差込具４６ｃと連結受具４６ｄの両者にアジャスター機能を設けても良いし、何れか一方のみでもよいし、アジャスター機能を独立させてもよい。
【０１０７】
これにより、左右の肩ベルト部４０を肩に掛けた状態で、肩ベルト調整部４６の連結差込具４６ｃと連結受具４６ｄを連結係合することで、左右の肩ベルト部４０の間隔が固定されて所定の距離を保つことができ、左右の肩ベルト部４０が肩から外れることがなくなる。また、アジャスターに取付けた調整ベルト部４６ａによるベルト長によるベルト長の調節により、使用者Ｍの体型、使い勝手、好みや乳幼児Ｂの抱き方等に応じて、乳幼児Ｂの体重を支持する支点を使用者Ｍにとって負担の少ない位置に調節できる。よって、肩の凝りやすい人でも、肩の負担を軽減できる。
【０１０８】
加えて、本実施の形態の肩ベルト調整部４６は、肩掛け部４１の表面上に沿って配設したスライドベルト４７に対して４方向にベルト通し部があるベルト可動用アジャスター４８を介して摺動自在とされ、肩ベルト調整部４６の位置が肩掛け部４１の表面上で移動自在となっている。
したがって、左右１対の肩ベルト部４０を使用者Ｍの肩に掛けた際でも肩ベルト調整部４６の位置を移動させて肩ベルト調整部４６の連結差込具４６ｃと連結受具４６ｄの連結係合の位置を使用者Ｍにとって連結係合の操作がし易い最適な位置に調節できる。また、使用者Ｍの体型、使い勝手、好みや乳幼児Ｂの抱き方等に応じて、乳幼児Ｂの体重を支持する支点を使用者Ｍにとって負担の少ない位置に調節できる。これによっても、肩の凝る人には肩の負担を軽減できる。
因みに、本発明を実施する場合には、左右の肩ベルト部４０相互間の間隔（距離）を調節したり、固定したりする手段は、バックルの連結やバックルの摺動によるものに限定されることはない。また、これらの機能は一つの部材で行ってもよいし、別々の部材で行ってもよい。
【０１０９】
なお、図においては、肩ベルト部４０の肩掛け部４１に取付けられた連結差込具４３を、肩掛け部４１に取付けた被覆カバー４５によって被覆することにより、乳幼児Ｂが誤ってバックルの係合を解除してしまうのを防止している。また、プラスチックで形成されるバックルの紫外線等による劣化を防止する。更に、肩掛け部４１に乳幼児Ｂの唇が当たり、それによって乳幼児Ｂの唇が刺激され、肩ベルト部４０を舐めることがあっても、肩掛け部４１に取付けた被覆カバー４５によって被覆することにより、バックルで乳幼児Ｂの唇や舌を怪我させることがない。
【０１１０】
本実施の形態のベビーキャリア１においては、更に、本体部１０と補助保持部２０の間に渡されて配設され、長さ方向に折り畳む長さ調節によって本体部１０と補助保持部２０の間の深さの調節を自在とし、乳幼児１０の臀部の沈み深さを位置決めする位置決め座部３０を有する。この位置決め座部３０も乳幼児Ｂの身体に直接的にあてがわれることになるため、所定の柔軟性、可撓性等を有する材料で形成される。
【０１１１】
図において、位置決め台座部３０は、本体部１０の背当部１２と臀当部１３の境界部付近から一体に延びて中心側に向かって徐々に幅狭とされたのち、反対側の他端部に向かって徐々に幅広とされ、乳幼児Ｂを対面抱っこや前向きおんぶで保持する際に乳幼児１０の臀部にあてがわれる第２の臀当部３１から一定の横幅で一体に延びて形成され長さ寸法を調節可能とする長さ調節部３２とからなる。
【０１１２】
第２の臀当部３１から一体に形成された長さ調節部３２は、横幅が一定に形成され、本体部１０及び補助保持部２０の対向側とは反対の裏面側に、その長さ寸法を調節可能とするための調節具としてのスライド式ファスナ３３の１対の雌側３３ａと雄側３３ｂを有し、このスライド式ファスナ３３の１対の雌側３３ａと雄側３３ｂは、所定距離、離れて取付けられている。
【０１１３】
よって、長さ調節部３２において所定距離、離して取付けたスライド式ファスナ３３の１対の雌側３３ａと雄側３３ｂを合わせて閉じることにより、雌側３３ａと雄側３３ｂの間の長さが折り畳まれた状態で固定され、本体部１０と補助保持部２０の間を接続する位置決め台座部３０の長さが短縮されることになる。一方、スライド式ファスナ３３の１対の雌側３３ａと雄側３３ｂの係合を解除している状態では折り畳みが展開され、位置決め台座部３０は本来の長さによって本体部１０と補助保持部２０の間を接続する。
【０１１４】
これより、本体部１０と補助保持部２０との間に乳幼児Ｂを配置した際、本体部１０と補助保持部２０の間を渡す位置決め台座部３０のスライド式ファスナ３３の１対の雌側３３ａと雄側３３ｂの係合がなされていない状態では、本体部１０と補助保持部２０の間に配設された位置決め台座部３０の長さが長いため、本体部１０と補助保持部２０の間の深さが深く、本体部１０と補助保持部２０の間に収容されて位置決め台座部３０に臀部が受け止められる乳幼児Ｂは、その臀部の沈み深さが深くなる。即ち、乳幼児Ｂの臀部が低い位置で位置決めされることになる。
【０１１５】
一方で、本体部１０と補助保持部２０の間を渡す位置決め台座部３０のスライド式ファスナ３３の１対の雌側３３ａと雄側３３ｂを合わせて閉じた係合状態では、１対の雌側３３ａと雄側３３ｂ間の長さが折り畳まれて本体部１０と補助保持部２０の間を接続している位置決め台座部３０の接続長さが短縮されることから、位置決め台座部３０によって本体部１０と補助保持部２０の間の深さが底上げされ、本体部１０と補助保持部２０の間に収容されて位置決め台座部３０に臀部が受け止められる乳幼児Ｂは、その臀部の沈み深さが浅くなる。即ち、乳幼児Ｂの臀部が高い位置で位置決めされることになる。
【０１１６】
したがって、本実施の形態のベビーキャリア１によれば、保持対象とする乳幼児Ｂの身長が低いときには、本体部１０と補助保持部２０の間に渡されて配設された位置決め台座部３０のスライド式ファスナ３３の１対の雌側３３ａと雄側３３ｂを係合させて、位置決め台座部３０において本体部１０と補助保持部２０の間の接続長さを短くすることで、乳幼児Ｂの臀部の沈みが高い位置で位置決めされることから、保持する乳幼児Ｂの身長が低くても本体部１０と乳幼児Ｂの位置関係において乳幼児Ｂの頭部が低い位置とならず、乳幼児Ｂの頭部が頭当部１１に適切に配置され、本体部１０と補助保持部２０の間で乳幼児Ｂの身体が沈み込む姿勢とならずに、負担の少ない快適な姿勢で乳幼児Ｂが安定して保持される。
【０１１７】
そして、保持対象とする乳幼児Ｂの身長が高いときには、即ち、成長により乳幼児Ｂが大きくなった際には、スライド式ファスナ３３の１対の雌側３３ａと雄側３３ｂの係合を解いて、位置決め台座部３０において本体部１０と補助保持部２０の間の接続長さを本来の長さに展開することで、乳幼児Ｂの臀部の沈みが低い位置で位置決めされることから、乳幼児Ｂの身体に対して適切な位置で本体部１０の頭当部１１、背当部１２、臀当部１３があてがわれ、負担の少ない快適な姿勢で乳幼児Ｂが安定して保持される。
【０１１８】
また、乳幼児Ｂを使用者Ｍの背中側で使用者Ｍと同一方向に向けた前向きおんぶする場合では、本体部１０及び補助保持部２０の間を接続する位置決め台座部３０の長さを短くして乳幼児Ｂの臀部の位置を高くできることで、乳幼児Ｂの位置を使用者Ｍの腰の位置からより離れた位置で保持できることになるから、使用者Ｍの背骨と乳幼児Ｂの背骨が反発することなく使用者Ｍの曲線状の背骨ラインの形状に対して乳幼児Ｂの曲線状の背骨ラインの形状が沿いやすく、使用者Ｍに乳幼児Ｂが密着しやすくなる。よって、使用者Ｍ及び乳幼児Ｂにとって楽な姿勢で快適な保持が可能となる。特に、乳幼児Ｂをおんぶする使用者Ｍは抱っこよりも乳幼児Ｂの重みを感じ難くなり、楽に保持できる。また、使用者Ｍに乳幼児Ｂが密着しやすくなることによって、乳幼児Ｂの後方への反り返りが生じ難い状態のものとなる。
なお、本体部１０及び補助保持部２０の間の長さを本来の長さとした位置決め台座部３０に乳幼児Ｂの臀部を着地させて低い位置でおんぶする場合でも、補助保持部２０と本体部１０が接続部２１によって接続されて、補助保持部２０と本体部１０と接続部２１によって形成される環状に乳幼児Ｂの脚が通されていることで、乳幼児Ｂの反り返りによる落下を防止できる。
【０１１９】
このような位置決め台座部３０においても、乳幼児Ｂの身体にあてがわれることから、所定の柔軟性、可撓性等を有する材料で形成され、例えば、表生地１１０及び裏生地１２０の外装生地１５０の間に緩衝材を入れて形成することで、乳幼児Ｂの、抱き心地、座り心地を快適にできる。例えば、乳幼児１０の臀部にあてがわれる第２の臀当部３１において、それを構成する表生地１１０及び裏生地１２０との相互間に立体網状構造体１００を配設することにより、乳幼児Ｂの臀部を柔らかく受けることがき、臀部の落ち込みを容易とし、乳幼児Ｂの重心位置を安定して保持安定性を高めることができる。そして、長時間保持する場合でも、乳幼児Ｂの臀部へのフィット性が高く、臀部にかかる圧力が分散されることで快適な座り心地となり、乳幼児Ｂの臀部への負担が軽減される。
【０１２０】
位置決め台座部３０に配設する立体網状構造体１００の２５％圧縮時硬さは、１０Ｎ／φ２００以上、１５０Ｎ／φ２００以下の範囲内とするのが好ましく、より好ましくは、１０Ｎ／φ２００以上、１３０Ｎ／φ２００以下の範囲内である。また、厚み２０ｍｍの立体網状構造体１００を１５０ｍｍ径の円形状の圧縮板に乗せて荷重を加え、５ｍｍ（圧縮率２５％）、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内が好ましく、より好ましくは３ｋｇ／φ１５０以上、１０ｋｇ／φ１５０以下の範囲内である。そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内である。
上記範囲内であれば、乳幼児Ｂの臀部を落ち込み易くし、臀部の重心位置を安定化させて位置ずれを防止することにより、乳幼児Ｂの安定した沈みを得て保持安定性を高め、使用者Ｍ及び乳幼児Ｂにとって負担の少ない快適な姿勢での保持を可能とする。また、乳幼児Ｂの脚に触れてもそれに追従し、乳幼児Ｂの脚の動きが制限され難い。殊に、首据わり前の低月齢の乳幼児Ｂを保持する際でも、乳幼児Ｂの臀部が落ち込み易いことで、乳幼児Ｂの臀部の位置よりも高い位置で膝が曲げられ、Ｍ字開脚とする自然な開脚姿勢で、乳幼児Ｂの重心が脚側ではなく臀部にかかり、乳幼児Ｂの体形に負担の少ない保持を可能とする。
【０１２１】
本実施の形態のベビーキャリア１においては、乳幼児Ｂの身体にあてがう保持部として乳幼児Ｂの反使用者側で乳幼児Ｂの身体の臀部にあてがう部位が本体部１０の臀当部１３と位置決め台座部３０の第２の臀当部３１からなるが、臀当部１３または第２の臀当部３１の何れか、或いは、臀当部１３と第２の臀当部３１の両方に立体網状構造体１００を配設することによって、乳幼児Ｂの臀部が落ち込み易くなり、乳幼児Ｂの重心位置が安定して保持安定性が向上する。また、乳幼児Ｂの臀部にかかる圧力が分散されやすくなり、座り心地が向上し、乳幼児Ｂの負担も軽減される。勿論、長さ調節部３２にも立体網状構造体１００が配設されることで、乳幼児Ｂの座り心地が向上される。しかし、本実施の形態のベビーキャリア１においては、長さ調節部３２の長さを長くした状態では、それが補助保持部２０と重なり合って乳幼児Ｂの身体の股側にあてがわれることから、位置決め台座部３０に立体網状構造体１００を配設する場合、乳幼児Ｂの股側の嵩張り、ゴワツキ等を考慮し乳幼児Ｂの臀部にあてがう部位のみの部分的な配設であっても良い。勿論、ベビーキャリア１の目的等に応じて、位置決め台座部３０に立体網状構造体１００を配設する場合、乳幼児Ｂの股側にあてがう部位のみの部分的な配設とすることも可能である。
【０１２２】
特に、立体網状構造体１００の通気性が高いことで、乳幼児Ｂの臀部に密着しても蒸れ難く、おむつかぶれ等も招き難い。また、上述したように、衛生面の特性も良好となる。
そして、この位置決め台座部３０においても、乳幼児Ｂに直接的にあてがわれることになることから、全体または一部に外装生地に通気性を有する生地を使用することで、蒸れ等の湿気を防止して、不快感を軽減できる。また、少なくとも乳幼児Ｂに触れる上面側（表面側）を吸水性のある綿生地等で形成することによっても吸湿性が向上する。
【０１２３】
なお、折り畳みを可能とする長さ調節部３２においても、折り畳み可能な程度に柔軟性、可撓性を有し、乳幼児Ｂに違和感や不快感を与えることない程度に弾性、緩衝性を有してもよく、薄い厚みで立体網状構造体１００を配設することも可能である。
そして、この位置決め台座部３０においては、乳幼児１０の重みを受ける外力が加わったときにその重力方向に弾性力が強く働いて伸長、弾性変形することのない伸縮性の少ない材料で形成される。
【０１２４】
以上、説明してきたように、本実施の形態に係るベビーキャリア１は、乳幼児Ｂを抱っこまたはおんぶにより乳幼児Ｂの身体にあてがい乳幼児Ｂを保持する保持部として本体部１０、補助保持部２０、位置決め台座部３０を有するベビーキャリア１において、乳幼児Ｂを保持する保持部としての本体部１０、補助保持部２０、位置決め台座部３０は、外装生地１５０及び外装生地１５０に包まれた緩衝材で構成され、緩衝材は合成樹脂からなる連続線条体１０１が不規則に蛇行して絡み合い、しかも、蛇行した状態で随所に融着し、連続線条体１０１間の空間が連通して通気性のある立体網状構造体１００からなるものである。
【０１２５】
即ち、本実施の形態に係るベビーキャリア１は、乳幼児Ｂの身体にあてがわれて乳幼児Ｂを保持する保持部としての本体部１０、補助保持部２０、位置決め台座部３０に配設され、保持部としての本体部１０、補助保持部２０、位置決め台座部３０を構成する一方の表生地１１０及び表生地に対向する他方の裏生地１２０からなる外装生地１５０に入れられた緩衝材が、合成樹脂からなる連続線条体１０１が不規則に蛇行して絡み合っており、かつ、蛇行した状態で随所に融着してなり、連続線条体１０１間の空間が連通して通気性のある立体網状構造体１００からなるものである。
【０１２６】
したがって、本実施の形態に係るベビーキャリア１によれば、立体網状構造体１００の配設によって、外力が加わると、それを構成する湾曲した連続線条体１０１の湾曲の曲率が変化すると共に、連続線条体１０１間の空間が変形し、外力が解除されると、連続線条体１０１が元の曲率に戻り、空間が回復するクッション性（弾力性）に優れる。特に、連続線条体１０１同士が融着されているため、受圧面積が広く、外力が加えられたときには、立体網状構造体１００の全体が変形し、少ない沈み込み深さで使用者Ｍや乳幼児Ｂの身体を支えて身体にかかる圧力を均等に分散させ、厚みが薄くても底付き感が少ないクッション性を有する。
しかも、立体網状構造体１００を構成する連続線条体１０１間の空間が連通して、通気性に優れ、特に、乳幼児Ｂや使用者Ｍの動きによっても空間が変形し、空気の流れが生じるから、湿気や熱が滞留し難く、暑さを軽減し、蒸れ等の発生を防止できる。
よって、乳幼児Ｂにとって快適な抱き心地が得られ、長時間使用して際でも乳幼児Ｂにかかる負担が軽減される。
【０１２７】
そして、このように立体網状構造体１００に湿気や熱が滞留し難いことで、細菌やカビ等も繁殖し難く、更に、連続線条体間１０１の空間が連通して通気性及び透水透湿性に優れることで、水分の乾きも速く、また、立体網状構造体１００を構成する連続線条体１０１が合成樹脂からなり、それらは不規則に蛇行して絡み合って、かつ、蛇行した状態で随所に融着しているから、繰り返しの洗濯に耐える強度を有し、繰り返し洗濯してもクッション性等の特性が低下し難い。よって、衛生さ、清潔さを維持することができる。
【０１２８】
特に、立体網状構造体１００からなる緩衝材が入れられた外装生地１５０の一部または全部が空気の出入りを許容するメッシュ状繊維に形成されると、立体網状構造体１００を構成する連続線条体１０１間の空間への新鮮な空気の供給及び連続線条体１０１間の空間が保持していた空気の排出がなされることで、乳幼児Ｂや使用者Ｍからの湿気や熱が逃れやすくなり部分的な体温の上昇を防止でき、より一層蒸れを生じ難くできる。また、衛生面の特性も向上する。更に、生地が網目構造または通気孔を複数設けたメッシュ状とすることで柔軟性やストレッチ性も増し、乳幼児Ｂや使用者Ｍの体形や動きへのフィット性、馴染みが良くなる。加えて、軽量化されるから、使用者Ｍへの負担も軽減される。
【０１２９】
このようにして、本実施の形態に係るベビーキャリア１によれば、クッション性を有するも蒸れ難くて快適な保持を可能とし、長時間乳幼児Ｂを保持しても乳幼児Ｂの疲れを少なくできる。また、衛生面の特性が向上する。
そして、ヘッドフードを使用しても湿気や熱がこもり難く、寝かしつけにも有利で、また、睡眠中の乳幼児Ｂでも過剰に汗をかくのが防止され、快適な睡眠環境を作り出すことができる。
更に、立体網状構造体１００の通気性が高く、湿気や熱が緩衝材にこもり難いことで、暑さが緩和され、蒸れが軽減されるから、発汗対策、暑さ及び蒸れ対策、汗疹対策になり、汗疹やアトピー性皮膚炎等の患部を衛生的に保つことができて悪化を防止でき、またそれらの発症を防ぐことができる。
加えて、立体網状構造体１００の連通した空隙により、アルコール等の消臭、除菌スプレーを噴霧した際でも湿気が溜まることなく、広範囲に分布できることで、清潔、衛生ささを保つことができる。
【０１３０】
そして、乳幼児Ｂの身体にあてがわれて乳幼児Ｂを保持する保持部において、使用者Ｍ側とは反対側で乳幼児Ｂの身体にあてがわれる本体部１０に、立体網状構造体１００を配設することで、乳幼児Ｂの身体に対して広い面積で支持する部位の立体網状構造体１００によって圧迫、揺れ、衝撃が緩和され、長時間使用した際でも乳幼児Ｂの姿勢に無理がかからず負担を軽減できるも、乳幼児Ｂからの汗等の湿気や熱が立体網状構造体１００に溜まり難くて効果的に乳幼児Ｂの暑さや蒸れを防止でき、乳幼児Ｂにとっての快適性がより高いものとなる。
【０１３１】
ここで、乳幼児Ｂの身体にあてがわれて乳幼児Ｂを保持する保持部としての本体部１０において、乳幼児Ｂを対面抱っこや前向きおんぶで保持する際に乳幼児Ｂの身体の頭部にあてがわれる部位としての頭当部１１に配設する立体網状構造体１００の硬さや反発力が、小さ過ぎると乳幼児Ｂの首部及び頭部がぐらついてしまったり睡眠時等に頭が後方へ垂れてしまったりするため、別途芯材が必要となる。一方で、大き過ぎると身体への当たりが強くなる。
本発明者らの実験研究によれば、２５％圧縮時硬さ（立体網状構造体１００を２００ｍｍ径の円形状の圧縮板にて７５％まで圧縮した後に再度２５％圧縮した時の応力）が、１０Ｎ／φ２００以上、１８０Ｎ／φ２００以下の範囲内、より好ましくは、１０Ｎ／φ２００以上、１３０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内、より好ましくは４ｋｇ／φ１５０以上、１０ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内であれば、別途硬質な芯材を設けなくとも、乳幼児Ｂの頭部及び首部を支持し、衝撃を緩和できる。
【０１３２】
即ち、乳幼児Ｂの身体にあてがわれて乳幼児Ｂを保持する保持部において乳幼児Ｂの頭部にあてがわれる部位に配設する立体網状構造体１００は、１０Ｎ／φ２００以上、１８０Ｎ／φ２００以下の範囲内の２５％圧縮時硬さであることが好ましく、１０Ｎ／φ２００以上、１３０Ｎ／φ２００以下の範囲内の２５％圧縮時硬さがより好ましい。
乳幼児Ｂの腹側を使用者Ｍに向けて配置する対面抱っこや前向きおんぶの際に、保持部において乳幼児Ｂの身体の頭部にあてがわれる部位に配設する立体網状構造体１００の２５％圧縮時硬さが、１０Ｎ／φ２００以上、１８０Ｎ／φ２００以下の範囲内であれば、別途硬質な芯材を設けなくとも、乳幼児Ｂの頭部及び首部を支持し、衝撃を緩和できる。
【０１３３】
また、乳幼児Ｂの身体にあてがわれて乳幼児Ｂを保持する保持部において乳幼児Ｂの頭部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、１５ｋｇ／φ１５０以下の範囲内が好ましく、４ｋｇ／φ１５０以上、１０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の頭部にあてがわれる部位に配設する立体網状構造体１００の２５％（押込量５ｍｍ）圧縮時の反発力が３ｋｇ／φ１５０以上、１５ｋｇ／φ１５０以下の範囲内であれば、別途硬質な芯材を設けなくとも、乳幼児Ｂの頭部及び首部を支持し、衝撃を緩和できる。
【０１３４】
そして、乳幼児Ｂの身体にあてがわれて乳幼児Ｂを保持する保持部において乳幼児Ｂの頭部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、１０ｋｇ／φ１５０以上、３０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の頭部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、別途硬質な芯材を設けなくとも、乳幼児Ｂの頭部及び首部を支持し、衝撃を緩和できる。
【０１３５】
また、乳幼児Ｂの身体にあてがわれて乳幼児Ｂを保持する保持部としての本体部１０において、乳幼児Ｂを対面抱っこや前向きおんぶで保持する際に乳幼児Ｂの身体の腰部から背中部にあてがわれる部位としての背当部１２に配設する立体網状構造体１００の硬さや反発力が、小さ過ぎるとおんぶ時のそり返りの防止効果が小さく、一方で、大き過ぎると身体への当たりが強くなる。
本発明者らの実験研究によれば、２５％圧縮時硬さ（立体網状構造体１００を２００ｍｍ径の円形状の圧縮板にて７５％圧縮した後に再度２５％圧縮した時の応力）が、１０Ｎ／φ２００以上、１８０Ｎ／φ２００以下の範囲内、より好ましくは、１０Ｎ／φ２００以上、１５０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内、より好ましくは３ｋｇ／φ１５０以上、１５ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは１５ｋｇ／φ１５０以上、３０ｋｇ／φ１５０以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３６】
即ち、乳幼児Ｂの身体にあてがわれて乳幼児Ｂを保持する保持部において乳幼児Ｂの背中部にあてがわれる部位に配設する立体網状構造体１００は、１０Ｎ／φ２００以上、１８０Ｎ／φ２００以下の範囲内の２５％圧縮時硬さであることが好ましく、１０Ｎ／φ２００以上、１５０Ｎ／φ２００以下の範囲内の２５％圧縮時硬さがより好ましい。
乳幼児Ｂの腹側を使用者Ｍに向けて配置する対面抱っこや前向きおんぶの際に、保持部において乳幼児Ｂの身体の背中部にあてがわれる部位に配設する立体網状構造体１００の２５％圧縮時硬さが、１０Ｎ／φ２００以上、１５０Ｎ／φ２００以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３７】
また、乳幼児Ｂの身体にあてがわれて乳幼児Ｂを保持する保持部において乳幼児Ｂの背中部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、２０ｋｇ／φ１５０以下の範囲内が好ましく、３ｋｇ／φ１５０以上、１５ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の背中部にあてがわれる部位に配設する立体網状構造体１００の２５％（押込量５ｍｍ）圧縮時の反発力が３ｋｇ／φ１５０以上、２０ｋｇ／φ１５０以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３８】
そして、乳幼児Ｂの身体にあてがわれて乳幼児Ｂを保持する保持部において乳幼児Ｂの背中部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、１５ｋｇ／φ１５０以上、３０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の背中部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、別途硬質な芯材を設けなくとも、乳幼児Ｂの腰から背中部を支持し、おんぶ時のそり返りを防止でき、落ち込みも少なく負担の少ない保持姿勢を維持できる。
【０１３９】
更に、乳幼児Ｂの身体にあてがわれて乳幼児Ｂを保持する保持部としての本体部１０において、乳幼児Ｂを対面抱っこや前向きおんぶで保持する際に乳幼児Ｂの身体の臀部にあてがわれる部位としての臀当部１３の中央部１３Ａや位置決め台座部３０の第２の臀当部３１に配設する立体網状構造体１００の硬さや反発力が、小さ過ぎると体圧分散効果が小さく快適な座り心地が得られない。一方で、大き過ぎると臀部の落ち込みが少なく、保持安定性に欠ける。
本発明者らの実験研究によれば、２５％圧縮時硬さ（立体網状構造体１００を２００ｍｍ径の円形状の圧縮板にて７５％圧縮した後に再度２５％圧縮した時の応力）が、１０Ｎ／φ２００以上、１５０Ｎ／φ２００以下の範囲内、より好ましくは、１０Ｎ／φ２００以上、１３０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、２０ｋｇ／φ１５０以下の範囲内、より好ましくは３ｋｇ／φ１５０以上、１０ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは５ｋｇ／φ１５０以上、２５ｋｇ／φ１５０以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
【０１４０】
即ち、乳幼児Ｂの身体にあてがわれて乳幼児Ｂを保持する保持部において乳幼児Ｂの臀部にあてがわれる部位に配設する立体網状構造体１００は、１０Ｎ／φ２００以上、１５０Ｎ／φ２００以下の範囲内の２５％圧縮時硬さであることが好ましく、１０Ｎ／φ２００以上、１３０Ｎ／φ２００以下の範囲内の２５％圧縮時硬さがより好ましい。
乳幼児Ｂの腹側を使用者Ｍに向けて配置する対面抱っこや前向きおんぶの際に、保持部において乳幼児Ｂの身体の臀部にあてがわれる部位に配設する立体網状構造体１００の２５％圧縮時硬さが、１０Ｎ／φ２００以上、１５０Ｎ／φ２００以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
【０１４１】
また、乳幼児Ｂの身体にあてがわれて乳幼児Ｂを保持する保持部において乳幼児Ｂの臀部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、２０ｋｇ／φ１５０以下の範囲内が好ましく、３ｋｇ／φ１５０以上、１０ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の臀部にあてがわれる部位に配設する立体網状構造体１００の２５％（押込量５ｍｍ）圧縮時の反発力が３ｋｇ／φ１５０以上、２０ｋｇ／φ１５０以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
【０１４２】
そして、乳幼児Ｂの身体にあてがわれて乳幼児Ｂを保持する保持部において乳幼児Ｂの臀部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、５ｋｇ／φ１５０以上、２５ｋｇ／φ１５０以下の範囲内がより好ましい。
乳幼児Ｂの腹側を使用者Ｍに向けて配置する対面抱っこや前向きおんぶの際に、保持部において乳幼児Ｂの身体の臀部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、乳幼児Ｂの臀部を落ち込み易くし、臀部の重心位置を安定させて、乳幼児Ｂ及び使用者Ｍにとっての快適な保持状態を維持できる。即ち、乳幼児Ｂの臀部の位置から重心位置が定まり、乳幼児Ｂを保持することに無理がなくなる。
なお、本発明を実施する場合には、乳幼児Ｂの身体の臀部にあてがわれる部位としての臀当部１３の中央部１３Ａ及び位置決め台座部３０の第２の臀部当部３１の両方に立体網状構造体１００を配設してもよいし、臀当部１３の中央部１３Ａまたは位置決め台座部３０の第２の臀部当部３１の何れかの配設であってもよい。
【０１４３】
更にまた、乳幼児Ｂの身体にあてがわれて乳幼児Ｂを保持する保持部において、乳幼児Ｂの身体の太股にあてがわれる部位としての臀当部１３の端部１３Ｂに配設する立体網状構造体１００の硬さや反発力が、小さ過ぎると乳幼児Ｂの身体の太股への応力集中が大きく、一方で、大き過ぎても太股への圧迫が強く、太股への負担が大きい。
本発明者らの実験研究によれば、２５％圧縮時硬さ（立体網状構造体１００を２００ｍｍ径の円形状の圧縮板にて７５％圧縮した後に再度２５％圧縮した時の応力）が、１０Ｎ／φ２００以上、１８０Ｎ／φ２００以下の範囲内、より好ましくは、１０Ｎ／φ２００以上、１３０Ｎ／φ２００以下の範囲内であり、厚み２０ｍｍの立体網状構造体１００を１５０ｍｍ径の円形状の圧縮板に乗せて荷重を加え、５ｍｍ（圧縮率２５％）、また、１０ｍｍ（圧縮率５０％）沈み込んだときの加わっている力（反発力）の測定で、圧縮率２５％（押込量５ｍｍ）時の反発力が３ｋｇ／φ１５０以上、１５ｋｇ／φ１５０以下の範囲内、より好ましくは４ｋｇ／φ１５０以上、１０ｋｇ／φ１５０以下の範囲内であり、そして、圧縮率５０％（押込量１０ｍｍ）時の反発力が５ｋｇ／φ１５０以上、３０ｋｇ／φ１５０以下の範囲内が好ましく、より好ましくは１０ｋｇ／φ１５０以上、３０ｋｇ／φ１５０以下の範囲内であれば、乳幼児Ｂの太股に触れる部位への応力集中、圧迫による負担を少なくできる。
【０１４４】
即ち、乳幼児Ｂの身体にあてがわれて乳幼児Ｂを保持する保持部において乳幼児Ｂの太股部にあてがわれる部位に配設する立体網状構造体１００は、１０Ｎ／φ２００以上、１８０Ｎ／φ２００以下の範囲内の２５％圧縮時硬さであることが好ましく、１０Ｎ／φ２００以上、１３０Ｎ／φ２００以下の範囲内の２５％圧縮時硬さがより好ましい。
乳幼児Ｂの腹側を使用者Ｍに向けて配置する対面抱っこや前向きおんぶの際に、または、乳幼児Ｂの背側を使用者Ｍに向けて配置する前向き抱っこや後ろ向きおんぶの際に、保持部において乳幼児Ｂの身体の太股にあてがわれる部位に配設する立体網状構造体１００の２５％圧縮時硬さが、１０Ｎ／φ２００以上、１８０Ｎ／φ２００以下の範囲内であれば、乳幼児Ｂの太股に触れる部位への応力集中、圧迫による負担を少なくできる。
【０１４５】
また、乳幼児Ｂの身体にあてがわれて乳幼児Ｂを保持する保持部において乳幼児Ｂの太股部にあてがわれる部位に配設する立体網状構造体１００は、厚み２０ｍｍの立体網状構造体１００を１５０ｍｍ径の円形状の圧縮板に乗せて荷重を加え、５ｍｍ（圧縮率２５％）沈み込んだときの加わっている力（反発力）の測定で、２５％（押込量５ｍｍ）圧縮時の反発力が３ｋｇ／φ１５０以上、１５ｋｇ／φ１５０以下の範囲内が好ましく、４ｋｇ／φ１５０以上、１０ｋｇ／φ１５０以下の範囲内がより好ましい。
乳幼児Ｂの腹側を使用者Ｍに向けて配置する対面抱っこや前向きおんぶの際に、または、乳幼児Ｂの背側を使用者Ｍに向けて配置する前向き抱っこや後ろ向きおんぶの際に、保持部において乳幼児Ｂの身体の臀部にあてがわれる部位に配設する立体網状構造体１００の２５％（押込量５ｍｍ）圧縮時の反発力が３ｋｇ／φ１５０以上、１５ｋｇ／φ１５０以下の範囲内であれば、乳幼児Ｂの太股に触れる部位への応力集中、圧迫による負担を少なくできる。
【０１４６】
そして、乳幼児Ｂの身体にあてがわれて乳幼児Ｂを保持する保持部において乳幼児Ｂの太股部にあてがわれる部位に配設する立体網状構造体１００は、厚み２０ｍｍの立体網状構造体１００を５０％）沈み込んだときの加わっている力（反発力）の測定で、５０％（押込量１０ｍｍ）圧縮時の反発力が５ｋｇ／φ１５０以上、３０ｋｇ／φ１５０以下の範囲内が好ましく、１０ｋｇ／φ１５０以上、３０ｋｇ／φ１５０以下の範囲内がより好ましい。
乳幼児Ｂの腹側を使用者Ｍに向けて配置する対面抱っこや前向きおんぶの際に、または、乳幼児Ｂの背側を使用者Ｍに向けて配置する前向き抱っこや後ろ向きおんぶの際に、保持部において乳幼児Ｂの身体の臀部にあてがわれる部位に配設する立体網状構造体１００の２５％（押込量５ｍｍ）圧縮時の反発力が５ｋｇ／φ１５０以上、３０ｋｇ／φ１５０以下の範囲内であれば、乳幼児Ｂの太股に触れる部位への応力集中、圧迫による負担を少なくできる。
【０１４７】
なお、上記２５％圧縮時硬さとは、ＪＩＳ  Ｋ  ６４００−２に準拠して、立体網状構造体１００を２００ｍｍ径の円形状の圧縮板にて垂直方向に初めの厚さの７５％まで圧縮して押し込んだ後、直ちに荷重を除き、再び直ぐに初めの厚さの２５％まで押し込み、静止後２０秒経過時の荷重を測定して得られたものである。
また、上記反発力は、厚さ２０ｍｍの立体網状構造体１００を１５０ｍｍ径の円形状の圧縮板にのせ垂直方向に円板中央で荷重を加え、立体網状構造体１００が５ｍｍ、１０ｍｍまで押し込んだ際に加わっている荷重を測定して得られたものである。
荷重の測定器具としては、例えば、株式会社イマダ製のデジタルフォースゲージＺＰＳ、ロードセルＺＰＳ−ＤＰＵ−１０００Ｎ等がある。
【０１４８】
また、本実施の形態に係るベビーキャリア１によれば、更に、本体部１０とは反対側で乳幼児Ｂの身体にあてがわれる補助保持部２０を有し、この補助保持部２０に立体網状構造体１００を配設することで、即ち、乳幼児Ｂを保持する使用者Ｍ側で乳幼児Ｂの身体にあてがわれる補助保持部２０が、補助保持部２０を構成する一方の表生地１１０及び表生地１１０に対向する他方の裏生地１２０からなる外装生地１５０に包まれた立体網状構造体１００からなることで、立体網状構造体１００を覆う外装生地１５０が通気性を有する場合には、空気の通り道が確保されて、使用者Ｍや乳幼児Ｂからの汗等の湿気や熱を逃すことができる。よって、部分的な体温の上昇を防止でき、蒸れを生じ難くできる。また、立体網状構造体１００を覆う外装生地１５０が通気性を有さなくとも、連続線条体１０１間の空間が空気を収容して、立体網状構造体１００による断熱効果が得られる。
したがって、使用者Ｍと乳幼児Ｂの相互間の熱の伝わりが遮断されて両者の密着による熱や湿気の溜まりを防止し、部分的な体温の上昇や蒸れを生じ難くできる。これより、使用者Ｍ及び乳幼児Ｂにとって蒸れ等による不快感を軽減し、保持の快適性を向上させることができる。
【０１４９】
そして、乳幼児Ｂを保持する使用者Ｍの肩に装着される肩ベルト部４０においても、肩ベルト部４０を構成する一方の表生地１１０及び表生地１１０に対向する他方の裏生地１２０からなる外装生地１５０に緩衝材として立体網状構造体１００が配設されると、使用者Ｍの肩、背中に掛かる応力が分散され、肩が凝りやすい使用者Ｍでもその負担が軽減される。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの肩回りに装着した際でも、蒸れ等の発生を防止できる。
【０１５０】
つまり、本実施の形態に係るベビーキャリア１によれば、更に、前記乳幼児を保持する使用者の肩に装着される肩ベルト部４０を有し、この肩ベルト部４０に立体網状構造体１００を配設し、肩ベルト部４０を構成する一方の表生地１１０及び表生地１１０に対向する他方の裏生地１２０からなる外装生地１５０に入れられた立体網状構造体１００で緩衝材を構成することで、即ち、肩ベルト部４０が、肩ベルト部４０を構成する表生地１１０及び表生地１１０に対向する裏生地１２０からなる外装生地１５０に包まれた立体網状構造体１００からなることで、立体網状構造体１００によって使用者Ｍの肩回りに掛かる応力を分散できて、使用者Ｍの負担を軽減できる。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの肩回りに装着した際でも、蒸れ等の発生を防止できる。
なお、肩ベルト部４０は、使用者Ｍの両肩に装着されるものであってもよいし、使用者Ｍの一方の肩のみに装着され形態ものであってもよい。
【０１５１】
更に、腰ベルト部５０を構成する一方の表生地１１０及び表生地１１０に対向する他方の裏生地１２０からなる外装生地１５０に緩衝材として立体網状構造体１００が配設されると、立体網状構造体１００によって使用者Ｍの腰回りに掛かる応力が分散され、使用者Ｍの負担が軽減される。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの肩回りに装着した際でも、蒸れ等の発生を防止できる。
【０１５２】
つまり、本実施の形態に係るベビーキャリア１によれば、更に、前記乳幼児を保持する使用者の腰回りに装着される腰ベルト部５０を有し、この腰ベルト部５０に立体網状構造体１００を配設し、腰ベルト部５０を構成する一方の表生地１１０及び表生地１１０に対向する他方の裏生地１２０からなる外装生地１５０に入れられた立体網状構造体１００で緩衝材を構成することで、即ち、腰ベルト部５０が、腰ベルト部５０を構成する表生地１１０及び表生地１１０に対向する裏生地１２０からなる外装生地１５０に包まれた立体網状構造体１００からなることで、立体網状構造体１００によって使用者Ｍの腰回りに掛かる応力を分散できて、使用者Ｍの負担を軽減できる。そして、立体網状構造体１００を構成する連続線条体１０１間の空間が連通して、通気性に優れ、特に、使用者Ｍの動きによっても空間が変形し、空気の流れが生じるから、湿気や熱が滞留し難く、使用者Ｍの腰回りに装着した際でも、蒸れ等の発生を防止できる。
【０１５３】
ここで、上記実施の形態に係るベリーキャリア１においては、本体部１０、補助保持部２０及び位置決め台座部３０によって、乳幼児Ｂを抱っこまたはおんぶにより乳幼児Ｂの身体にあてがい乳幼児Ｂを保持する保持部を構成している。
しかし、本発明を実施する場合には、本体部１０のみで保持部が構成されることもあるし、本体部１０及び補助保持部２０のみで保持部が構成されることもある。
【０１５４】
即ち、上記実施の形態のベビーキャリア１では、乳幼児Ｂの臀部の沈み深さ、即ち、乳幼児Ｂの保持の高さ位置を調節可能とするために、本体部１０及び補助保持部２０の対向側で位置決め台座部３０を配設しているが、本発明を実施する場合には、位置決め座部３０は必ずしも必要とするものではない。
【０１５５】
また、上記実施の形態のベビーキャリア１においては、乳幼児Ｂの胴体が横に倒れないように保持するとして、連結差込具２３と連結受具２４との連結係合により補助保持部２０の自由端側の左右側部と本体部１０の背当部１２と臀当部１３の境界付近の左右両側とを接続する所定長の接続部２１を形成しており、本体部１０と補助保持部２０が分離自在であるため、スライド式ファスナ３３の係合操作を容易にできるが、本発明を実施する場合には、本体部１０と補助保持部２０を分離不可能として、乳幼児Ｂの脚用の開口を形成する構成としても良い。
【０１５６】
更に、上記実施の形態のベビーキャリア１では、乳幼児Ｂを保持する保持部としての本体部１０及び補助保持部２０について、乳幼児Ｂを対面抱っこや前向きおんぶで保持する際に本体部１０が乳幼児Ｂの身体の背側にあてがわれ、補助保持部２０が本体部１０とは反対側で乳幼児Ｂの身体の腹側にあてがわれて乳幼児Ｂ及び使用者Ｍの間に介在されるものとして説明をしてきたが、本発明を実施する場合には、ベビーキャリア１の目的とする保持形態等に応じ、例えば、乳幼児Ｂの身体の背側を使用者Ｍに向ける前向き抱っこや、乳幼児Ｂが使用者Ｍに背を向ける後ろ向きおんぶで乳幼児Ｂを保持する抱き方とする場合には、本体部１０が乳幼児Ｂの腹側にあてがわれ、補助保持部２０が乳幼児Ｂの背側にあてがわれることもある。また、本体部１０及び補助保持部２０が重なり合った状態で、乳幼児Ｂの身体の背側または腹側にあてがう使用形態とすることも可能である。
【０１５７】
そして、乳幼児Ｂを保持する保持部としての本体部１０及び補助保持部２０の両方において立体網状構造体１００からなる緩衝材の使用が好ましいが、どちらか一方のみであってもよい。本体部１０及び補助保持部２０の両方において立体網状構造体１００からなる緩衝材が使用されると、本体部１０及び補助保持部２０間に配設された乳幼児Ｂを取り巻く範囲で湿気や熱が滞留し難く、身体の周囲で蒸れが防止され、乳幼児Ｍの体温が上昇し難く、使用者Ｍ及び乳幼児Ｂにとっての蒸れ等による不快感がより一段と軽減され、快適性が高くなる。
【０１５８】
そして、乳幼児Ｂを保持する保持部として、使用者Ｍとは反対側で乳幼児Ｂの身体にあてがわれる本体部１０に立体網状構造体１００が配設されると、立体網状構造体１００によって圧迫、揺れ、衝撃が緩和され、長時間使用した際でも乳幼児Ｂの姿勢に無理がかからず負担を軽減できるも、乳幼児Ｂからの汗等の湿気や熱が溜まり難く、乳幼児Ｂにとって快適性が高いものとなる。
【０１５９】
また、乳幼児Ｂを保持する保持部として、使用者Ｍ側で乳幼児Ｂの身体にあてがわれる補助保持部２０に立体網状構造体１００が配設されると、立体網状構造体１００が通気性を有する外装生地１５０で覆われた際には、空気の通り道が確保されて、使用者Ｍや乳幼児Ｂからの汗等の湿気や熱を逃すことができる。また、立体網状構造体１００を覆う外装生地が通気性を有さなくとも、連続線条体１０１間の空間が空気を収容して、立体網状構造体１００による断熱効果が得られる。したがって、使用者Ｍと乳幼児Ｂの相互間の密着による熱や湿気の溜まりを防止し、部分的な体温の上昇や蒸れを生じ難くできる。これより、使用者Ｍ及び乳幼児Ｂにとって保持の快適性を向上させることができる。
【０１６０】
特に、本実施の形態のベビーキャリア１においては、補助保持部２０及び接続部２１によって、乳幼児Ｂの落下の防止効果を高くでき、また、抱っこやおんぶの際の取り扱いが熟練者なくとも、乳幼児Ｂの配置位置が分かりやすくなる。
しかし、本発明を実施する場合、補助保持部２０は必ずしも必要とされるものでなく、省略することも可能である。
【０１６１】
即ち、本発明を実施する場合、乳幼児Ｍを保持する保持部は、乳幼児Ｂを保持する使用者Ｍ側とは反対側で乳幼児Ｂの身体にあてがう本体部１０のみの場合もあれば、乳幼児Ｂを保持する使用者Ｍ側とは反対側で乳幼児Ｂの身体にあてがう本体部１０及び本体部１０側とは反対側、即ち、使用者Ｍ側で乳幼児Ｂの身体にあてがう補助保持部２０の両方を有する場合もある。
乳幼児Ｂを保持する保持部が本体部１０のみで構成される場合には、この本体部１０に緩衝材としての立体網状構造体１００が配設されることになるが、乳幼児Ｂを保持する保持部が本体部１０及び補助保持部２０により構成される場合には、本体部１０及び補助保持部２０の両方に立体網状構造体１００を配設してもよいし、立体網状構造体１００の配設が本体部１０または補助保持部２０の何れか一方のみであってもよい。
【０１６２】
また、本発明を実施する場合、腰ベルト部５０についても必ずしも必要とされるものでなく、省略することも可能であり、乳幼児Ｂが落下しない保持形態で乳幼児Ｂの脚が出される開口を形成し、左右の肩ベルト部４０のみで乳幼児Ｂの体重を支持して乳幼児Ｂを抱いたりおんぶしたりする形態としても良い。
【０１６３】
そして、図において、肩ベルト部４０は補助保持部２０に接続されたものであるが、本発明を実施する場合には、乳幼児Ｂを保持することができれば、本体部１０のみに肩ベルト部４０が接続されても良いし、本体部１０と補助保持部２０とに肩ベルト部４０が接続された構成としても良い。何れにせよ乳幼児Ｂの身体の邪魔にならない位置に接続されて、使用者Ｍの肩が通される環状を形成するように構成されていればよい。
【０１６４】
また、上記実施の形態では、乳幼児Ｂを縦抱きに保持する形態のベビーキャリ１についての説明であったが、本発明を実施する場合には、乳幼児Ｂを寝かせた横抱き抱っこの保持形態を有するベリーキャリア１であっても良い。なお、横抱きの際には、通常、肩ベルト部４０はたすき掛けで装着される。また、縦抱き及び横抱きの両方の保持形態を可能とする構成であっても良い。
特に、横抱きの際に乳幼児Ｂの背側をあてがう保持部に立体網状構造体１００が配設されることで、横に寝かされた乳幼児Ｂの身体の背側を多方向から支持して、耐圧分散効果が高く、また、振動等を吸収でき、長時間の保持でも乳幼児Ｂの負担を少なくできる。
【０１６５】
更に、本発明を実施する場合には、外装生地１５０で立体網状構造体１００が被覆されるが、外装生地１５０から立体網状構造体１００を取り外し自在に構成してもよい。乳幼児Ｂの保持形態や成長の大きさに応じて、立体網状構造体１００を取付け及び取り外し自在とすると、乳幼児Ｂにとって快適な保持姿勢を追及することができる。また、立体網状構造体１００のみを洗濯したり、早く乾かしたりすることができ、衛生面の維持が容易となり、利便性が高くなる。特に、体勢が不安定な低月齢の乳幼児Ｂを保持する際には、上述した硬さや反発力を有する立体網状構造体１００の配設により乳幼児Ｂの保護、緩衝効果が高く、乳幼児Ｂの身体への負担を小さくできるが、成長して大きくなった乳幼児Ｂを保持する際には、立体網状構造体１００を取り外しても良好な保持姿勢が維持されやすく、乳幼児Ｂの適度な動きを開放できる。
また、例えば、夏場にはメッシュ繊維からなる通気性を有する生地で立体網状構造体１００を包み込むことで、新鮮な空気の取り入れ及び排出を行い湿気を逃し易くする一方で、冬場には、通気性のない生地で立体網状構造体１００を被覆することにより保温性が得られる。
【０１６６】
一方で、外装生地１５０に対して立体網状構造体１００を縫い付け等によって固定する形態としても良い。これにより、外装生地１５０の中で立体網状構造体１００が動いてしまうことによる偏りを防止でき、立体網状構造体１００が小さい表裏面積でも適切な位置に維持され、効果的に緩衝効果等を発揮することができ、立体網状構造体１００の使用量を抑えて、低コスト化を図ることができる。
なお、本発明を実施する場合には、本体部１０においても、適宜芯材を配設し、身体への当たりを良くするために、乳幼児Ｂ側に立体網状構造体１００を配設する構成としてもよい。これによっても立体網状構造体１００が通気性に優れるため、湿気や熱が滞留し難いことで蒸れ等を軽減できる。また、立体網状構造体１００によって体圧が分散され、乳幼児Ｂの負担を軽減できる。
【符号の説明】
【０１６７】
１      ベビーキャリア
１０    本体部（保持部）
２０    補助保持部（保持部）
４０    肩ベルト部
５０    腰ベルト部
１００    立体網状構造体
１０１    連続線条体
１１０    表生地
１２０    裏生地
１５０    外装生地